(57)【要約】本願は、概して、医療システム、デバイス、および方法に関し、より具体的には、医療システム、医療デバイス、および医療施設の面積、ならびに疾患の制御および予防が所望される他の面積の衛生化、消毒、および滅菌に関する。標的容積を衛生化するための紫外線放射システムは、圧潰位置および拡張位置を有する、複数の調節可能に位置付け可能な光源を含むことができる。複数の調節可能に位置付け可能な光源のうちの光源は、圧潰位置と拡張位置との間の任意の位置で標的容積内に実質的に均一な照射において紫外線を放射するように構成されることができる。
2021511169.tif 000002
【特許請求の範囲】
【請求項１】
紫外線放射デバイスであって、
構造であって、前記構造は、標的容積内に位置付け可能であり、前記標的容積内の圧潰位置と拡張位置との間で移動可能である、構造と、
複数の光源であって、前記複数の光源は、前記圧潰位置と前記拡張位置との間の前記構造の任意の位置で前記標的容積内に実質的に均一な照射において紫外線光を放射するように前記構造に接続される、複数の光源と
を備える、紫外線放射デバイス。
【請求項２】
前記複数の光源は、前記複数の光源の単一の動作サイクル内に前記標的容積内の生物の少なくとも９０％を死滅させるように前記構造上に位置付けられる、請求項１に記載の紫外線放射デバイス。
【請求項３】
前記複数の光源の単一の動作サイクルは、２０分未満である、請求項２に記載の紫外線放射デバイス。
【請求項４】
前記複数の光源は、前記複数の光源の単一の動作サイクル内に前記標的容積内の表面上の生物の少なくとも９９．９％を死滅させるように前記構造上に位置付けられる、請求項１に記載の紫外線放射デバイス。
【請求項５】
前記複数の光源の単一の動作サイクルは、３分未満である、請求項２に記載の紫外線放射デバイス。
【請求項６】
前記標的容積内の全表面の照射は、実質的に均一であり、５０〜８００マイクロワット／平方センチメートルの最小照射を有する、請求項１に記載の紫外線放射デバイス。
【請求項７】
前記標的容積は、幅１．５〜８メートル×長さ１．５〜８メートル×高さ２〜５メートルの寸法を有する部屋である、請求項１に記載の紫外線放射デバイス。
【請求項８】
前記標的容積は、幅６〜８メートル×長さ６〜８メートル×高さ２〜５メートルの寸法を有する部屋である、請求項１に記載の紫外線放射デバイス。
【請求項９】
前記構造は、各アームの各光源が、そのアームの前記複数の光源に対して比例的に離間されるように、前記標的容積内で前記複数の光源のうちの各光源を分配するように相互から離れて延在可能な複数のアームを含む、請求項１に記載の紫外線放射デバイス。
【請求項１０】
前記複数の光源は、種々の寸法の複数の標的容積内で実質的に均一な照射において紫外線光を放射するように調節可能に位置付け可能である、請求項１に記載の紫外線放射デバイス。
【請求項１１】
前記標的容積は、幅１．５〜６メートル×長さ１．５〜６メートル×高さ１．５〜６メートルの寸法を有する部屋であり、各アームの前記複数の光源は、１０〜１２７センチメートル毎に前記幅に沿って相互から離間され、１０〜１２７センチメートル毎に前記長さに沿って相互から離間される、請求項６に記載の紫外線放射デバイス。
【請求項１２】
各アームの前記複数の光源は、そのアームの各光源から比例的に離間される、請求項６に記載の紫外線放射デバイス。
【請求項１３】
前記構造は、基部を含み、前記基部は、前記複数のアームのそれぞれが、基部から離れて延在可能であるように、前記複数のアームのそれぞれに接続され、それを支持するように構成される、請求項９に記載の紫外線放射デバイス。
【請求項１４】
前記基部および複数のアームは、前記アームが前記圧潰位置と前記延在位置との間にあるときに、前記標的容積内の陰影を排除するように構成される、請求項１３に記載の紫外線放射デバイス。
【請求項１５】
前記基部は、複数のコンパートメントを含み、前記複数のコンパートメントのうちの各コンパートメントは、前記アームが前記圧潰位置にあるときに、その中に前記複数のアームのうちのアームを受容するように構成される、請求項１３に記載の紫外線放射デバイス。
【請求項１６】
前記基部は、前記基部の周辺の少なくとも部分的に周囲に延在するトラックを含み、前記複数のアームのうちの各アームは、前記トラックに接続可能であり、前記トラックに沿って移動し、前記複数のアームに対して前記アームのそれぞれの位置を調節するように構成される、請求項１３に記載の紫外線放射デバイス。
【請求項１７】
前記構造は、複数のスタンドを含み、各スタンドは、前記複数のアームが前記圧潰位置と前記延在位置との間にあるときに、前記複数のアームのそれぞれに接続され、それを支持するように構成される、請求項１３に記載の紫外線放射デバイス。
【請求項１８】
前記基部および前記複数のスタンドのうちの１つ以上のものは、前記紫外線放射デバイスが前記標的容積内で転動することを可能にするように構成される車輪を含む、請求項１７に記載の紫外線放射デバイス。
【請求項１９】
紫外線放射システムであって、
構造であって、前記構造は、標的容積内に位置付け可能であり、前記標的容積内の圧潰位置と拡張位置との間で移動可能である、構造と、
複数の光源であって、前記複数の光源は、前記構造が、前記圧潰位置と前記拡張位置との間の任意の位置で前記標的容積内に実質的に均一な照射において紫外線光を放射するように前記圧潰位置と前記拡張位置との間で移動されるにつれて、複数の光源のうちの光源がそれぞれ、光源のそれぞれに対して比例的に離間されるように、前記構造に接続される、複数の光源と
を備える、紫外線放射システム。
【請求項２０】
前記複数の光源は、前記複数の光源の単一の動作サイクル内に前記標的容積内の生物の最大９０％を死滅させるように前記構造上に位置付けられ、前記複数の光源の単一の動作サイクルは、３００秒未満である、請求項１９に記載の紫外線放射システム。
【請求項２１】
前記光源をオンおよびオフにするように前記複数の光源に接続され、それと通信するコントローラをさらに備える、請求項１９に記載の紫外線放射システム。
【請求項２２】
前記構造に接続され、前記コントローラと通信するモータをさらに備え、前記コントローラは、前記モータを動作させ、前記圧潰位置と前記拡張位置との間で前記構造を移動させるように構成される、請求項２１に記載の紫外線放射システム。
【請求項２３】
前記構造に接続され、前記標的容積内の物体の近接性および前記構造に対する前記物体の寸法に基づいて、近接性信号を生成するように構成される１つ以上の近接性センサをさらに備える、請求項２２に記載の紫外線放射システム。
【請求項２４】
前記コントローラは、前記近接性センサから前記近接性信号を受信するように、かつ前記近接性センサに基づいて前記部屋内の物体のマップを作成するように構成される、請求項２３に記載の紫外線放射システム。
【請求項２５】
前記コントローラは、前記モータを動作させ、前記部屋のマップに基づいて前記圧潰位置と前記拡張位置との間で前記構造を移動させるように構成される、請求項２４に記載の紫外線放射システム。
【請求項２６】
前記コントローラは、前記モータを動作させ、前記部屋のマップに基づいて前記複数の光源の所定のつり合いまで前記圧潰位置と前記拡張位置との間で前記構造を移動させるように構成される、請求項２４に記載の紫外線放射システム。
【請求項２７】
前記コントローラは、前記マップに基づいて照射設定点を決定し、前記照射設定点に基づいて前記複数の光源によって放射される前記照射を調節するように構成される、請求項２４に記載の紫外線放射システム。
【請求項２８】
前記コントローラは、前記マップおよび前記照射設定点に基づいて、前記複数の光源の個々の光源の電力レベルを調節するように構成される、請求項１９に記載の紫外線放射システム。
【請求項２９】
前記コントローラは、精密なエネルギーおよび前記標的容積の相関に基づいて、光エネルギー行列を作成するように構成され、前記コントローラは、前記光エネルギー行列に基づいて、前記複数の光源によって放射される前記照射を調節するように構成される、請求項２４に記載の紫外線放射システム。
【請求項３０】
前記コントローラと通信するテザーセンサをさらに備え、前記テザーセンサは、前記構造に接続され、前記標的容積のドアに接続可能であり、前記テザーは、前記ドアの位置に基づいてテザー信号を生成するように構成され、前記コントローラは、前記ドアが開放位置にあることを示す前記テザー信号を用いて、前記光源を無効にするように構成される、請求項２１に記載の紫外線放射システム。
【請求項３１】
紫外線放射システムであって、
中心支持体であって、前記中心支持体は、標的容積内に位置付け可能であり、中心軸に沿って延在する、中心支持体と、
第１のレールであって、前記第１のレールは、前記中心支持体に解放可能に固着可能であり、前記中心軸を略横断して前記中心支持体の周辺の周囲に延在する、第１のレールと、
第１のアームであって、前記第１のアームは、前記第１のレールに解放可能に固着可能であり、前記中心軸を略横断して前記第１のレールに沿って移動可能であり、前記第１のアームは、圧潰位置と拡張位置との間で移動可能である、第１のアームと、
第１の複数の光源であって、前記第１の複数の光源は、前記第１のアームが前記圧潰位置と前記拡張位置との間で移動されるにつれて、第１の複数の光源のうちの光源のそれぞれが、前記光源のそれぞれに対して比例的に離間されるように、前記第１のアームに接続される、第１の複数の光源と
を備える、紫外線放射システム。
【請求項３２】
前記第１の複数の光源は、前記圧潰位置と前記拡張位置との間の任意の位置で前記標的容積内に実質的に均一な照射において紫外線光を放射するように、比例的に離間される、請求項３１に記載の紫外線放射システム。
【請求項３３】
前記中心支持体は、略長方形角柱の幾何学形状を有する、請求項３１に記載の紫外線放射システム。
【請求項３４】
第２のレールをさらに備え、前記第２のレールは、前記中心支持体に解放可能に固着可能であり、前記中心軸を略横断し、前記第１のレールと略平行に、前記中心支持体の周辺の周囲に延在する、請求項３１に記載の紫外線放射システム。
【請求項３５】
第２のアームであって、前記第２のアームは、前記第１のレールおよび前記第２のレールに解放可能に固着可能であり、前記中心軸を略横断し、前記第１のアームと略直交して、前記第１のレールに沿って移動可能であり、前記第２のアームは、圧潰位置と拡張位置との間で移動可能である、第２のアームと、
第２の複数の光源であって、前記第２の複数の光源は、前記第２のアームが前記圧潰位置と前記拡張位置との間で移動されるにつれて、第２の複数の光源のうちの光源のそれぞれが、前記光源のそれぞれに対して比例的に離間されるように、前記第２のアームに接続される、第２の複数の光源と
をさらに備える、請求項３４に記載の紫外線放射システム。
【請求項３６】
第３のアームであって、前記第３のアームは、前記第１のレールおよび前記第２のレールに解放可能に固着可能であり、前記中心軸を略横断し、前記第１のアームと略平行に、かつ前記第２のアームと略直交して、前記第１のレールに沿って移動可能であり、前記第３のアームは、圧潰位置と拡張位置との間で移動可能である、第３のアームと、
第３の複数の光源であって、前記第３の複数の光源は、前記第３のアームが前記圧潰位置と前記拡張位置との間で移動されるにつれて、第３の複数の光源のうちの光源のそれぞれが、前記光源のそれぞれに対して比例的に離間されるように、前記第３のアームに接続される、第３の複数の光源と
をさらに備える、請求項３５に記載の紫外線放射システム。
【請求項３７】
第４のアームであって、前記第４のアームは、前記第１のレールおよび前記第２のレールに解放可能に固着可能であり、前記中心軸を略横断し、前記第１のアームおよび前記第３のアームと略直交して、かつ前記第２のアームと略平行に、前記第１のレールに沿って移動可能であり、前記第４のアームは、圧潰位置と拡張位置との間で移動可能である、第４のアームと、
第４の複数の光源であって、前記第４の複数の光源は、前記第４のアームが前記圧潰位置と前記拡張位置との間で移動されるにつれて、第４の複数の光源のうちの光源のそれぞれが、前記光源のそれぞれに対して比例的に離間されるように、前記第４のアームに接続される、第４の複数の光源と
をさらに備える、請求項３６に記載の紫外線放射システム。
【請求項３８】
前記第１のアームは、前記第１のアームが前記圧潰位置と前記拡張位置との間で移動することを可能にするように相互にヒンジ連結可能に結合される複数のリンケージを含む、請求項３１に記載の紫外線放射システム。
【請求項３９】
前記第１のアームは、ブラケットを含み、前記ブラケットは、前記第１のレールに解放可能に固着可能であり、前記第１のアームを前記第１のレールに接続するように前記複数のリンケージに接続される、請求項３８に記載の紫外線放射システム。
【請求項４０】
前記第１のアームは、第２のブラケットを含み、前記第２のブラケットは、前記第２のレールに解放可能に固着可能であり、前記第２のアームを前記第２のレールに接続するように前記複数のリンケージに接続される、請求項３９に記載の紫外線放射システム。
【請求項４１】
前記第１のアームは、前記第１のブラケットを前記第２のブラケットにしっかりと接続する交差部材を含む、請求項４０に記載の紫外線放射システム。
【請求項４２】
前記第１のアームは、ローラを含み、前記ローラは、前記第１のブラケットに接続され、前記第１のレールに対して前記第１のブラケットの転動係合を生成し、第１のレールに対して前記第１のアームの平行移動を可能にするように、前記第１のレールと係合可能である、請求項３９に記載の紫外線放射システム。
【請求項４３】
紫外線放射衛生化システムであって、
複数のモバイル紫外線光デバイスを備え、各デバイスは、
標的容積内に位置付け可能な基部と、
前記基部に接続され、前記標的容積の表面と係合可能であるドライバと、
前記基部によって支持され、前記ドライバに接続されるモータであって、前記モータは、前記ドライバを動作させ、前記基部を前記表面に対して移動させ、前記標的容積内で前記基部を移動させるように制御可能である、モータと、
前記基部によって支持される光源と、
前記モータおよび前記光源と通信するコントローラであって、前記コントローラは、前記標的容積内に前記基部を位置付けるように動作可能であり、前記複数のモバイル紫外線光デバイスの光が、ともに前記標的容積内で実質的に均一な照射において紫外線光を放射するように、前記光源を動作させるように構成される、コントローラと
を備える、紫外線放射衛生化システム。
【請求項４４】
前記光源は、各光源が前記複数の光源に対して比例的に離間されるように、前記標的容積内で前記複数の光源のうちの各光源を分配するように相互に対して位置付けられる、請求項４３に記載の紫外線放射デバイス。
【請求項４５】
前記複数のモバイル紫外線光デバイスのそれぞれの前記コントローラと通信する中央コントローラであって、前記中央コントローラは、
前記標的容積内に前記モバイル紫外線光デバイスを位置付ける命令と、
各モバイル紫外線光デバイスに対して前記モバイル紫外線光デバイスを位置付ける命令と、
前記光源のそれぞれの紫外線光出力を制御する命令と、
を前記コントローラのそれぞれに提供するように構成される、中央コントローラ
をさらに備える、請求項４３に記載の紫外線放射衛生化システム。
【請求項４６】
前記複数のモバイル紫外線光デバイスはそれぞれ、近接性センサをさらに備え、前記近接性センサは、前記基部に接続され、前記標的容積内の物体の近接性および前記物体の寸法に基づいて、近接性信号を前記コントローラに伝送するように構成される、請求項４５に記載の紫外線放射衛生化システム。
【請求項４７】
前記コントローラは、前記近接性センサに基づいて、前記部屋および前記部屋内の物体のマップを作成するように構成される、請求項４６に記載の紫外線放射衛生化システム。
【請求項４８】
前記コントローラは、前記モータを動作させ、前記部屋のマップに基づいて前記標的容積内で前記基部を移動させるように構成される、請求項４７に記載の紫外線放射衛生化システム。
【請求項４９】
前記コントローラは、前記複数のモバイル紫外線光デバイスのそれぞれの前記コントローラと通信し、前記複数のモバイル紫外線光デバイス毎に目的地を作成するように構成され、前記モータを動作させ、前記部屋のマップおよび前記複数のモバイル紫外線光デバイス毎の目的地に基づいて前記標的容積内で前記基部を移動させるように構成される、請求項４７に記載の紫外線放射衛生化システム。
【請求項５０】
遠隔コントローラをさらに備え、前記遠隔コントローラは、前記複数のモバイル紫外線光デバイスのコントローラと通信し、所望に応じて、前記標的容積内で個々のモバイル紫外線光デバイスを選択的に移動させるように動作可能である、請求項４４に記載の紫外線放射衛生化システム。
【請求項５１】
前記複数の光源は、前記複数の光源の単一の動作サイクル内に前記標的容積内の生物の少なくとも９０％を死滅させるように位置付けられ、前記複数の光源の単一の動作サイクルは、２０分未満であり、前記標的容積内の全表面の実質的に均一な照射は、５０〜８００マイクロワット／平方センチメートルの最小照射を有し、前記標的容積は、幅１．５〜８メートル×長さ１．５〜８メートル×高さ２〜５メートルの寸法を有する部屋である、請求項４３に記載の紫外線放射デバイス。
【請求項５２】
標的空間を衛生化する方法であって、前記方法は、
標的容積内に構造を位置付けることと、
前記標的容積内の圧潰位置と拡張位置との間で前記構造を移動させ、前記構造に接続される複数の光源を移動させることであって、複数の光源は、前記圧潰位置と前記拡張位置との間の任意の位置で前記標的容積内に実質的に均一な照射において紫外線光を放射するように構成される、ことと
を含む、方法。
【請求項５３】
前記複数の光源の単一の動作サイクル内に前記紫外線光を前記標的容積内の生物の少なくとも９０％に放射することであって、前記複数の光源の単一の動作サイクルは、３００秒未満であり、前記標的容積内の全表面の実質的に均一な照射は、少なくとも５０マイクロワット／平方センチメートルである、こと
をさらに含む、請求項５２に記載の方法。
【請求項５４】
前記標的容積は、幅２〜７メートル×長さ２〜７メートル×高さ２〜５メートルの寸法を有する病室である、請求項５２に記載の方法。
【請求項５５】
各光源が前記複数の光源に対して比例的に離間されるように、相互から離れるように前記複数のアームのうちのアームのそれぞれを延在させ、前記標的容積内で前記複数の光源のうちの各光源を分配することをさらに含む、請求項５２に記載の方法。
【請求項５６】
前記アームが前記圧潰位置にあるときに、複数のコンパートメントのうちのコンパートメント内に前記複数のアームのうちの各アームを位置付けることをさらに含む、請求項５５に記載の方法。
【請求項５７】
前記基部に接続され、前記基部の周辺の周囲に延在するトラックに沿って、前記複数のアームのうちの各アームを移動させることによって、前記複数のアームに対して前記アームのそれぞれの位置を調節することをさらに含む、請求項５５に記載の方法。
【請求項５８】
スタンドを使用して、前記複数のアームのうちの各アームを支持することであって、各スタンドは、前記圧潰位置と前記延在位置との間で前記複数のアームのそれぞれを支持するように構成される、こと
をさらに含む、請求項５５に記載の方法。
【請求項５９】
前記光源をオンおよびオフにするように前記複数の光源に接続され、それと通信するコントローラを動作させることをさらに含む、請求項５２に記載の方法。
【請求項６０】
前記構造に接続される近接性センサを使用して、前記標的容積内の物体の近接性および前記物体の寸法に基づいて、近接性信号を生成することをさらに含む、請求項５２に記載の方法。
【請求項６１】
前記近接性信号に基づいて、前記部屋のマップを作成することをさらに含む、請求項６０に記載の方法。
【請求項６２】
前記モータを動作させ、前記部屋のマップに基づいて前記圧潰位置と前記拡張位置との間で前記構造を移動させる、請求項６１に記載の方法。
【請求項６３】
前記マップに基づいて、照射設定点を決定することと、
前記照射設定点に基づいて、前記複数の光源によって放射される前記照射を調節することと
をさらに含む、請求項６２に記載の方法。
【請求項６４】
前記マップおよび前記照射設定点に基づいて、前記複数の光源の個々の光源の電力レベルを調節することをさらに含む、請求項６１に記載の方法。
【請求項６５】
標的容積を衛生化するための紫外線放射システムであって、前記システムは、
圧潰位置および拡張位置を有する複数の調節可能に位置付け可能な光源であって、前記複数の調節可能に位置付け可能な光源のうちの光源は、前記光源が、前記圧潰位置と前記拡張位置との間の任意の位置で前記標的容積内に実質的に均一な照射において紫外線光を放射するように前記圧潰位置と前記拡張位置との間で移動されるにつれて、前記光源のそれぞれに対して比例的に離間される、光源
を備える、システム。
【請求項６６】
前記複数の調節可能に位置付け可能な光源は、種々の寸法の複数の標的容積内の前記拡張位置で前記光源のつり合いを提供する、請求項６５に記載の標的容積を衛生化するための紫外線放射システム。
【請求項６７】
前記複数の調節可能に位置付け可能な光源はさらに、
前記標的容積内に位置付け可能な基部と、
前記基部に接続され、前記標的容積の表面と係合可能であるドライバと、
前記基部によって支持され、前記ドライバに接続されるモータであって、前記モータは、前記ドライバを動作させ、前記基部を前記表面に対して移動させ、前記標的容積内で前記基部を移動させるように制御可能である、モータと、
前記基部によって支持される光源と、
前記モータおよび前記光源と通信するコントローラであって、前記コントローラは、前記標的容積内に前記基部を位置付けるように動作可能である、コントローラと
を備える、請求項６５に記載の標的容積を衛生化するための紫外線放射システム。
【請求項６８】
前記複数の調節可能に位置付け可能な光源はさらに、
構造であって、前記構造は、前記標的容積内に位置付け可能であり、前記標的容積内の前記圧潰位置と前記拡張位置との間で前記光源を移動させるように動作可能である、構造
を備える、請求項６５に記載の標的容積を衛生化するための紫外線放射システム。
【請求項６９】
前記基部は、前記基部の周辺の少なくとも部分的に周囲に延在するトラックを含み、前記複数のアームのうちの各アームは、前記トラックに接続可能であり、前記トラックに沿って移動し、前記複数のアームに対して前記アームのそれぞれの位置を調節するように構成される、請求項６８に記載の紫外線放射デバイス。
【請求項７０】
前記構造は、基部を含み、前記基部は、前記複数のアームのそれぞれが、基部から離れて延在可能であるように、前記複数のアームのそれぞれに接続され、それを支持するように構成される、請求項６９に記載の紫外線放射デバイス。
【請求項７１】
紫外線放射デバイスであって、
構造であって、前記構造は、標的容積内に位置付け可能であり、前記標的容積内の圧潰位置と拡張位置との間で移動可能である、構造と、
複数の光源であって、前記複数の光源は、前記圧潰位置と前記拡張位置との間の任意の位置で前記標的容積内に実質的に均一な照射において紫外線光を放射するように前記構造に接続される、複数の光源と
を備える、紫外線放射デバイス。
【請求項７２】
前記構造は、各光源が前記複数の光源に対して比例的に離間されるように、前記標的容積内で前記複数の光源のうちの各光源を分配するように相互から離れて延在可能な複数のアームを含む、請求項７１に記載の紫外線放射デバイス。
【請求項７３】
前記構造は、基部を含み、前記基部は、前記複数のアームのそれぞれが、基部から離れて延在可能であるように、前記複数のアームのそれぞれに接続され、それを支持するように構成される、請求項７２に記載の紫外線放射デバイス。
【請求項７４】
前記アームは、伸縮式に前記圧潰位置と前記拡張位置との間で移動するように構成される、請求項７３に記載の紫外線放射デバイス。
【請求項７５】
前記アームはそれぞれ、ヒンジ連結可能に接続される複数のリンクを含む、請求項７３に記載の紫外線放射デバイス。
【請求項７６】
前記複数のリンクは、前記ヒンジを中心として鋏のように動き、前記圧潰位置と前記拡張位置との間で前記アームを移動させるように構成される、請求項７５に記載の紫外線放射デバイス。
【請求項７７】
第２のアームが、前記複数のアームのうちのアームのいずれかの上に積層されることができる、請求項７５に記載の紫外線放射デバイス。
【請求項７８】
前記複数のアームは、複数の標的容積の異なる部屋の形状およびサイズに適合するように前記圧潰位置と前記拡張位置との間で移動可能である、請求項７５に記載の紫外線放射デバイス。
【請求項７９】
カセットアセンブリ内に複数の紫外線ランプを配列する方法であって、前記方法は、
第１のカセットを提供することであって、前記第１のカセットは、前記第１のカセットの周辺に接続される第１の結合要素を含む、ことと、
第１の複数の紫外線ランプを前記第１のカセットの表面に接続することであって、前記第１の複数の紫外線ランプは、紫外線光を放射するように構成される、ことと、
第２のカセットを提供することであって、前記第２のカセットは、前記第２のカセットの周辺に接続される第２の結合要素を含む、ことと、
第２の複数の紫外線ランプを前記第２のカセットの表面に接続することであって、前記第２の複数の紫外線ランプは、紫外線光を放射するように構成される、ことと、
前記第１の結合要素および前記第２の結合要素を接続し、前記第１のカセットを前記第２のカセットに回転可能に固着することと
を含む、方法。
【請求項８０】
複数のバラストを前記第１のカセットの表面に接続することと、
前記複数のバラストを前記第１の複数の紫外線ランプに電気的に接続し、そこへの電流を限定することと
をさらに含む、請求項７９に記載の方法。
【請求項８１】
前記第２のカセットの第２の複数の紫外線ランプとともに、前記第１のカセットの第１の複数の紫外線ランプを使用して、前記第１のカセットおよび前記第２のカセットに隣接する標的面積内で多重ベクトル紫外線光を分配することをさらに含む、請求項７９に記載の方法。
【請求項８２】
第３のカセットを提供することであって、前記第３のカセットは、前記第３のカセットの周辺に接続される第３の結合要素を含む、ことと、
第３の複数の紫外線ランプを前記第３のカセットの表面に接続することであって、前記第３の複数のランプは、紫外線光を放射するように構成される、ことと
をさらに含む、請求項７９に記載の方法。
【請求項８３】
前記第１のカセットの対向結合要素を前記第３の結合要素に接続することであって、前記対向結合要素は、前記第１の結合要素と反対側の前記第１のカセットの周辺に接続される、こと
をさらに含む、請求項７９に記載の方法。
【請求項８４】
前記第１の結合要素が前記第２の結合要素に結合されるときに、前記第１の結合要素および前記第２の結合要素を中心として前記第２のカセットに対して前記第１のカセットを回転させることをさらに含む、請求項７９に記載の方法。
【発明の詳細な説明】
【技術分野】
【０００１】
（関連出願の相互参照）
本特許出願は、それぞれ、その全体として参照することによって本明細書に組み込まれる、２０１８年１月１６日に出願され、「ＡＤＡＰＴＩＶＥ  ＭＵＬＴＩＶＥＣＴＯＲ  ＩＬＬＵＭＩＮＡＴＩＯＮ  ＤＥＬＩＶＥＲＹ  ＳＹＳＴＥＭ，  ＮＥＴＷＯＲＫ  ＡＮＤ  ＶＯＬＵＭＥ  ＤＩＳＩＮＦＥＣＴＩＯＮ  ＭＡＴＲＩＸ」と題された、Ｌｕｉｓ  Ｆ．  Ｒｏｍｏの米国仮特許出願第６２／６１７，７５５号の優先権の利益を主張する。
【０００２】
本願は、概して、医療システム、デバイス、および方法に関し、より具体的には、医療システム、医療デバイス、および医療施設の面積、ならびに疾患の制御および予防が所望される他の面積の衛生化、消毒、および滅菌に関する。衛生化は、多くの場合、紫外線システムに関連して使用され、細菌性汚染物質を安全なレベルまで低減させる作用物質を正式に説明する、一般的用語である。消毒は、紫外線システムのためのより一般的に使用されている適切な用語であり、これは、無生物上の多くまたは全ての病原性微生物を排除するプロセスを説明する。滅菌は、製品を全ての形態の生存微生物を含まない状態にするために使用される、有効なプロセスとして正式に定義される。表面は、全ての生きている微生物を含まない場合に無菌として定義されるが、無菌状態の検証は、試験感度および実用性の制限を受ける。
【背景技術】
【０００３】
微生物汚染は、多くの業界内で、特に、医療業界で、世界的懸念である。これは、１年あたりの経費で最大何十億ドルも国に負担をかけ得、より重要なこととして、汚染物質病原体は、公共および私的（例えば、医療）設定ならびに環境を悩ます。これらの汚染された環境は、感染症につながり得、最終的に死亡を引き起こし得る。さらに、多くの伝染性疾患は、汚染された面積および表面との接触を通して伝染される。このように伝染される伝染性疾患のタイプおよび重篤性は、変動される。例えば、ウイルス性および細菌性疾患は、同様に、感染因子が常在または定着し得る表面との物理的接触によって伝染され得る。さらに、伝染性疾患の広範な大流行またはさらにパンデミックの可能性の意識および懸念が世界中で高まっている。これらの懸念は、部分的に、インフルエンザおよび他のウイルスの可能性として考えられる自然突然変異、および新しい疾患の出現、ならびに従来の抗生物質およびさらに新たに開発された強力な抗生物質に対する細菌株の増加する抵抗から生じる。
【０００４】
医療施設用の既存の消毒デバイスおよびシステムは、十分なレベルの消毒および低減した消毒の必要性を提供することの観点から、不完全であり得る。例えば、液体化学技術が、抗微生物および消毒処理の目的のために利用されている。しかしながら、液体技術は、ある場合には、機能することができず、患者感染症および抗生物質耐性生物の拡散をもたらしている。また、従来的な化学消毒剤に対するクロストリジウムディフィシルのようなある病原体の抵抗に起因して、化学物質を採用する既存の消毒方法の増強またはさらに置換の同時の必要性がある。
【図面の簡単な説明】
【０００５】
必ずしも一定の縮尺で描かれない図面では、同様の数字が、異なる図内の類似する構成要素を説明し得る。異なる添字を有する同様の数字は、類似する構成要素の異なる事例を表し得る。図面は、概して、限定ではなく、一例として、本書に議論される種々の実施形態を図示する。
【０００６】
【図１】図１は、本開示の少なくとも１つの実施例による、圧潰されたコンパクトな構成における消毒デバイスの斜視図を図示する。
【０００７】
【図２】図２は、本開示の少なくとも１つの実施例による、図１の消毒デバイスの俯瞰図を図示する。
【０００８】
【図３】図３は、本開示の少なくとも１つの実施例による、図１の消毒デバイスの側面図を図示する。
【０００９】
【図４】図４は、本開示の少なくとも１つの実施例による、拡張構成における図３の消毒デバイスの斜視図を図示する。
【００１０】
【図５】図５は、本開示の少なくとも１つの実施例による、図４の消毒デバイスの側面図を図示する。
【００１１】
【図６】図６は、本開示の少なくとも１つの実施例による、図４の消毒デバイスの俯瞰図を図示する。
【００１２】
【図７】図７は、本開示の少なくとも１つの実施例による、部屋内で展開された図１の消毒デバイスの俯瞰図を図示する。
【００１３】
【図８】図８は、本開示の少なくとも１つの実施例による、典型的な逆二乗の法則および従来技術における代表的な点光源消毒デバイスを図示する。
【００１４】
【図９−１】図９Ａ−９Ｄは、本開示の少なくとも１つの実施例による、紫外線が本明細書に議論されるデバイスから放射する様子を図示する。
【図９−２】図９Ａ−９Ｄは、本開示の少なくとも１つの実施例による、紫外線が本明細書に議論されるデバイスから放射する様子を図示する。
【００１５】
【図１０】図１０は、本開示の少なくとも１つの実施例による、床および天井が描写された、部屋内に展開された図４の消毒デバイスの側面図を図示する。
【００１６】
【図１１】図１１Ａ−１１Ｃは、本開示の少なくとも１つの実施例による、消毒デバイスの展開の段階を図示する。
【００１７】
【図１２】図１２は、本開示の少なくとも１つの実施例による、積層可能な消毒デバイスを図示する。
【００１８】
【図１３】図１３は、本開示の少なくとも１つの実施例による、壁構造から下垂するように構成される消毒デバイスを図示する。
【００１９】
【図１４】図１４は、本開示の少なくとも１つの実施例による、天井から下垂するように構成される消毒デバイスを図示する。
【００２０】
【図１５】図１５は、本開示の少なくとも１つの実施例による、図１の消毒デバイス上の係止機構を図示する。
【００２１】
【図１６】図１６Ａ−１６Ｄは、本開示の少なくとも１つの実施例による、本消毒デバイスが部屋の表面を消毒するように部屋の中に移動されている間に、病院のベッドが患者部屋から除去され、別個に消毒されるであろう様子を図示する。
【００２２】
【図１７】図１７は、本開示の少なくとも１つの実施例による、消毒デバイスの近接性センサが、複数のアームの通信波を介して距離および位置付けを測定する様子を図示する。
【００２３】
【図１８】図１８Ａ−１８Ｃは、本開示の少なくとも１つの実施例による、異なる部屋の形状に設置される消毒デバイスを図示する。
【００２４】
【図１９Ａ】図１９Ａ−１９Ｇは、本開示の少なくとも１つの実施例による、拡張可能および圧潰可能なアームを伴う消毒デバイスを図示する。
【図１９Ｂ】図１９Ａ−１９Ｇは、本開示の少なくとも１つの実施例による、拡張可能および圧潰可能なアームを伴う消毒デバイスを図示する。
【図１９Ｃ】図１９Ａ−１９Ｇは、本開示の少なくとも１つの実施例による、拡張可能および圧潰可能なアームを伴う消毒デバイスを図示する。
【図１９Ｄ】図１９Ａ−１９Ｇは、本開示の少なくとも１つの実施例による、拡張可能および圧潰可能なアームを伴う消毒デバイスを図示する。
【図１９Ｅ】図１９Ａ−１９Ｇは、本開示の少なくとも１つの実施例による、拡張可能および圧潰可能なアームを伴う消毒デバイスを図示する。
【図１９Ｆ】図１９Ａ−１９Ｇは、本開示の少なくとも１つの実施例による、拡張可能および圧潰可能なアームを伴う消毒デバイスを図示する。
【図１９Ｇ】図１９Ａ−１９Ｇは、本開示の少なくとも１つの実施例による、拡張可能および圧潰可能なアームを伴う消毒デバイスを図示する。
【００２５】
【図２０Ａ】図２０Ａ−２０Ｇは、本開示の少なくとも１つの実施例による、拡張可能および圧潰可能なアームを伴う消毒デバイスを図示する。
【図２０Ｂ】図２０Ａ−２０Ｇは、本開示の少なくとも１つの実施例による、拡張可能および圧潰可能なアームを伴う消毒デバイスを図示する。
【図２０Ｃ】図２０Ａ−２０Ｇは、本開示の少なくとも１つの実施例による、拡張可能および圧潰可能なアームを伴う消毒デバイスを図示する。
【図２０Ｄ】図２０Ａ−２０Ｇは、本開示の少なくとも１つの実施例による、拡張可能および圧潰可能なアームを伴う消毒デバイスを図示する。
【図２０Ｅ】図２０Ａ−２０Ｇは、本開示の少なくとも１つの実施例による、拡張可能および圧潰可能なアームを伴う消毒デバイスを図示する。
【図２０Ｆ】図２０Ａ−２０Ｇは、本開示の少なくとも１つの実施例による、拡張可能および圧潰可能なアームを伴う消毒デバイスを図示する。
【図２０Ｇ】図２０Ａ−２０Ｇは、本開示の少なくとも１つの実施例による、拡張可能および圧潰可能なアームを伴う消毒デバイスを図示する。
【００２６】
【図２１Ａ】図２１Ａ−２１Ｇは、本開示の少なくとも１つの実施例による、拡張可能および圧潰可能なアームを伴う消毒デバイスを図示する。
【図２１Ｂ】図２１Ａ−２１Ｇは、本開示の少なくとも１つの実施例による、拡張可能および圧潰可能なアームを伴う消毒デバイスを図示する。
【図２１Ｃ】図２１Ａ−２１Ｇは、本開示の少なくとも１つの実施例による、拡張可能および圧潰可能なアームを伴う消毒デバイスを図示する。
【図２１Ｄ】図２１Ａ−２１Ｇは、本開示の少なくとも１つの実施例による、拡張可能および圧潰可能なアームを伴う消毒デバイスを図示する。
【図２１Ｅ】図２１Ａ−２１Ｇは、本開示の少なくとも１つの実施例による、拡張可能および圧潰可能なアームを伴う消毒デバイスを図示する。
【図２１Ｆ】図２１Ａ−２１Ｇは、本開示の少なくとも１つの実施例による、拡張可能および圧潰可能なアームを伴う消毒デバイスを図示する。
【図２１Ｇ】図２１Ａ−２１Ｇは、本開示の少なくとも１つの実施例による、拡張可能および圧潰可能なアームを伴う消毒デバイスを図示する。
【００２７】
【図２２Ａ】図２２Ａ−２２Ｇは、本開示の少なくとも１つの実施例による、拡張可能および圧潰可能なアームを伴う消毒デバイスを図示する。
【図２２Ｂ】図２２Ａ−２２Ｇは、本開示の少なくとも１つの実施例による、拡張可能および圧潰可能なアームを伴う消毒デバイスを図示する。
【図２２Ｃ】図２２Ａ−２２Ｇは、本開示の少なくとも１つの実施例による、拡張可能および圧潰可能なアームを伴う消毒デバイスを図示する。
【図２２Ｄ】図２２Ａ−２２Ｇは、本開示の少なくとも１つの実施例による、拡張可能および圧潰可能なアームを伴う消毒デバイスを図示する。
【図２２Ｅ】図２２Ａ−２２Ｇは、本開示の少なくとも１つの実施例による、拡張可能および圧潰可能なアームを伴う消毒デバイスを図示する。
【図２２Ｆ】図２２Ａ−２２Ｇは、本開示の少なくとも１つの実施例による、拡張可能および圧潰可能なアームを伴う消毒デバイスを図示する。
【図２２Ｇ】図２２Ａ−２２Ｇは、本開示の少なくとも１つの実施例による、拡張可能および圧潰可能なアームを伴う消毒デバイスを図示する。
【００２８】
【図２３Ａ】図２３Ａ−２３Ｂは、本開示の少なくとも１つの実施例による、レール展開機構を図示する。
【図２３Ｂ】図２３Ａ−２３Ｂは、本開示の少なくとも１つの実施例による、レール展開機構を図示する。
【００２９】
【図２４Ａ】図２４Ａ−２４Ｆは、本開示の少なくとも１つの実施例による、拡張可能および圧潰可能なアームを伴う消毒デバイスを図示する。
【図２４Ｂ】図２４Ａ−２４Ｆは、本開示の少なくとも１つの実施例による、拡張可能および圧潰可能なアームを伴う消毒デバイスを図示する。
【図２４Ｃ】図２４Ａ−２４Ｆは、本開示の少なくとも１つの実施例による、拡張可能および圧潰可能なアームを伴う消毒デバイスを図示する。
【図２４Ｄ】図２４Ａ−２４Ｆは、本開示の少なくとも１つの実施例による、拡張可能および圧潰可能なアームを伴う消毒デバイスを図示する。
【図２４Ｅ】図２４Ａ−２４Ｆは、本開示の少なくとも１つの実施例による、拡張可能および圧潰可能なアームを伴う消毒デバイスを図示する。
【図２４Ｆ】図２４Ａ−２４Ｆは、本開示の少なくとも１つの実施例による、拡張可能および圧潰可能なアームを伴う消毒デバイスを図示する。
【００３０】
【図２５Ａ】図２５Ａ−２５Ｊは、本開示の少なくとも１つの実施例による、プログラム論理を伴う制御可能に駆動される基部を図示する。
【図２５Ｂ】図２５Ａ−２５Ｊは、本開示の少なくとも１つの実施例による、プログラム論理を伴う制御可能に駆動される基部を図示する。
【図２５Ｃ】図２５Ａ−２５Ｊは、本開示の少なくとも１つの実施例による、プログラム論理を伴う制御可能に駆動される基部を図示する。
【図２５Ｄ】図２５Ａ−２５Ｊは、本開示の少なくとも１つの実施例による、プログラム論理を伴う制御可能に駆動される基部を図示する。
【図２５Ｅ】図２５Ａ−２５Ｊは、本開示の少なくとも１つの実施例による、プログラム論理を伴う制御可能に駆動される基部を図示する。
【図２５Ｆ】図２５Ａ−２５Ｊは、本開示の少なくとも１つの実施例による、プログラム論理を伴う制御可能に駆動される基部を図示する。
【図２５Ｇ】図２５Ａ−２５Ｊは、本開示の少なくとも１つの実施例による、プログラム論理を伴う制御可能に駆動される基部を図示する。
【図２５Ｈ】図２５Ａ−２５Ｊは、本開示の少なくとも１つの実施例による、プログラム論理を伴う制御可能に駆動される基部を図示する。
【図２５Ｉ】図２５Ａ−２５Ｊは、本開示の少なくとも１つの実施例による、プログラム論理を伴う制御可能に駆動される基部を図示する。
【図２５Ｊ】図２５Ａ−２５Ｊは、本開示の少なくとも１つの実施例による、プログラム論理を伴う制御可能に駆動される基部を図示する。
【００３１】
【図２６Ａ】図２６Ａ−２６Ｉは、本開示の少なくとも１つの実施例による、消毒デバイスの結合機構を伴う、紫外線源を含有する取外可能および取付可能なレールを図示する。
【図２６Ｂ】図２６Ａ−２６Ｉは、本開示の少なくとも１つの実施例による、消毒デバイスの結合機構を伴う、紫外線源を含有する取外可能および取付可能なレールを図示する。
【図２６Ｃ】図２６Ａ−２６Ｉは、本開示の少なくとも１つの実施例による、消毒デバイスの結合機構を伴う、紫外線源を含有する取外可能および取付可能なレールを図示する。
【図２６Ｄ】図２６Ａ−２６Ｉは、本開示の少なくとも１つの実施例による、消毒デバイスの結合機構を伴う、紫外線源を含有する取外可能および取付可能なレールを図示する。
【図２６Ｅ】図２６Ａ−２６Ｉは、本開示の少なくとも１つの実施例による、消毒デバイスの結合機構を伴う、紫外線源を含有する取外可能および取付可能なレールを図示する。
【図２６Ｆ】図２６Ａ−２６Ｉは、本開示の少なくとも１つの実施例による、消毒デバイスの結合機構を伴う、紫外線源を含有する取外可能および取付可能なレールを図示する。
【図２６Ｇ】図２６Ａ−２６Ｉは、本開示の少なくとも１つの実施例による、消毒デバイスの結合機構を伴う、紫外線源を含有する取外可能および取付可能なレールを図示する。
【図２６Ｈ】図２６Ａ−２６Ｉは、本開示の少なくとも１つの実施例による、消毒デバイスの結合機構を伴う、紫外線源を含有する取外可能および取付可能なレールを図示する。
【図２６Ｉ】図２６Ａ−２６Ｉは、本開示の少なくとも１つの実施例による、消毒デバイスの結合機構を伴う、紫外線源を含有する取外可能および取付可能なレールを図示する。
【００３２】
【図２７Ａ】図２７Ａ−２７Ｆは、本開示の少なくとも１つの実施例による、拡張可能リング構造を伴う消毒デバイスを図示する。
【図２７Ｂ】図２７Ａ−２７Ｆは、本開示の少なくとも１つの実施例による、拡張可能リング構造を伴う消毒デバイスを図示する。
【図２７Ｃ】図２７Ａ−２７Ｆは、本開示の少なくとも１つの実施例による、拡張可能リング構造を伴う消毒デバイスを図示する。
【図２７Ｄ】図２７Ａ−２７Ｆは、本開示の少なくとも１つの実施例による、拡張可能リング構造を伴う消毒デバイスを図示する。
【図２７Ｅ】図２７Ａ−２７Ｆは、本開示の少なくとも１つの実施例による、拡張可能リング構造を伴う消毒デバイスを図示する。
【図２７Ｆ】図２７Ａ−２７Ｆは、本開示の少なくとも１つの実施例による、拡張可能リング構造を伴う消毒デバイスを図示する。
【００３３】
【図２８】図２８は、本開示の少なくとも１つの実施例による、伸縮支持構造を伴う水平拡張可能トラックを伴う消毒デバイスを図示する。
【００３４】
【図２９】図２９は、本開示の少なくとも１つの実施例による、張力ロッド延在機構を伴う消毒デバイスを図示する。
【００３５】
【図３０】図３０は、本開示の少なくとも１つの実施例による、圧縮区画レール機構を伴う消毒デバイスを図示する。
【００３６】
【図３１Ａ】図３１Ａ−３１Ｄは、本開示の少なくとも１つの実施例による、周辺幾何学形状多重基部機構を伴う消毒デバイスを図示する。
【図３１Ｂ】図３１Ａ−３１Ｄは、本開示の少なくとも１つの実施例による、周辺幾何学形状多重基部機構を伴う消毒デバイスを図示する。
【図３１Ｃ】図３１Ａ−３１Ｄは、本開示の少なくとも１つの実施例による、周辺幾何学形状多重基部機構を伴う消毒デバイスを図示する。
【図３１Ｄ】図３１Ａ−３１Ｄは、本開示の少なくとも１つの実施例による、周辺幾何学形状多重基部機構を伴う消毒デバイスを図示する。
【００３７】
【図３２Ａ】図３２Ａ−３２Ｃは、本開示の少なくとも１つの実施例による、周辺幾何学形状機構を伴う消毒デバイスを図示する。
【図３２Ｂ】図３２Ａ−３２Ｃは、本開示の少なくとも１つの実施例による、周辺幾何学形状機構を伴う消毒デバイスを図示する。
【図３２Ｃ】図３２Ａ−３２Ｃは、本開示の少なくとも１つの実施例による、周辺幾何学形状機構を伴う消毒デバイスを図示する。
【００３８】
【図３３Ａ】図３３Ａ−３３Ｇは、本開示の少なくとも１つの実施例による、展開アームを伴う拡張可能基部構造を伴う消毒デバイスを図示する。
【図３３Ｂ】図３３Ａ−３３Ｇは、本開示の少なくとも１つの実施例による、展開アームを伴う拡張可能基部構造を伴う消毒デバイスを図示する。
【図３３Ｃ】図３３Ａ−３３Ｇは、本開示の少なくとも１つの実施例による、展開アームを伴う拡張可能基部構造を伴う消毒デバイスを図示する。
【図３３Ｄ】図３３Ａ−３３Ｇは、本開示の少なくとも１つの実施例による、展開アームを伴う拡張可能基部構造を伴う消毒デバイスを図示する。
【図３３Ｅ】図３３Ａ−３３Ｇは、本開示の少なくとも１つの実施例による、展開アームを伴う拡張可能基部構造を伴う消毒デバイスを図示する。
【図３３Ｆ】図３３Ａ−３３Ｇは、本開示の少なくとも１つの実施例による、展開アームを伴う拡張可能基部構造を伴う消毒デバイスを図示する。
【図３３Ｇ】図３３Ａ−３３Ｇは、本開示の少なくとも１つの実施例による、展開アームを伴う拡張可能基部構造を伴う消毒デバイスを図示する。
【００３９】
【図３４】図３４は、本開示の少なくとも１つの実施例による、部屋内の点光源エネルギー体積基準を図示する。
【００４０】
【図３５】図３５は、本開示の少なくとも１つの実施例による、前述で説明されたような多数の送達機構によって達成される、部屋内のエネルギー体積の均一な行列を図示する。
【００４１】
【図３６】図３６Ａ−３６Ｂは、本開示の少なくとも１つの実施例による、標的容積内の中心源の照射を図示する。
【００４２】
【図３７】図３７Ａ−３７Ｂは、本開示の少なくとも１つの実施例による、標的容積内の２つの源の照射を図示する。
【００４３】
【図３８】図３８Ａ−３８Ｂは、本開示の少なくとも１つの実施例による、標的容積内の３つの源の照射を図示する。
【００４４】
【図３９】図３９Ａ−Ｂは、本開示の少なくとも１つの実施例による、標的容積内のエネルギー行列の照射を図示する。
【００４５】
【図４０Ａ】図４０Ａ−４０Ｄは、本開示の少なくとも１つの実施例による、本明細書に議論されるシステムの消毒データを図示する。
【図４０Ｂ】図４０Ａ−４０Ｄは、本開示の少なくとも１つの実施例による、本明細書に議論されるシステムの消毒データを図示する。
【図４０Ｃ】図４０Ａ−４０Ｄは、本開示の少なくとも１つの実施例による、本明細書に議論されるシステムの消毒データを図示する。
【図４０Ｄ】図４０Ａ−４０Ｄは、本開示の少なくとも１つの実施例による、本明細書に議論されるシステムの消毒データを図示する。
【００４６】
【図４１Ａ】図４１Ａ−４１Ｄは、本開示の少なくとも１つの実施例による、本明細書に議論されるシステムの照射データを図示する。
【図４１Ｂ】図４１Ａ−４１Ｄは、本開示の少なくとも１つの実施例による、本明細書に議論されるシステムの照射データを図示する。
【図４１Ｃ】図４１Ａ−４１Ｄは、本開示の少なくとも１つの実施例による、本明細書に議論されるシステムの照射データを図示する。
【図４１Ｄ】図４１Ａ−４１Ｄは、本開示の少なくとも１つの実施例による、本明細書に議論されるシステムの照射データを図示する。
【図４１Ｅ】図４１Ｅは、経時的な壁の場所Ａにおける４つの側面の平均照射、および経時的な床の場所Ｄにおける４つの側面の平均照射を示す、壁および床の両方に関する経時的な照射のプロファイルを示す。
【００４７】
【図４２】図４２Ａ−４２Ｃは、本開示の少なくとも１つの実施例による、標的容積内の光源配列を図示する。
【００４８】
【図４３Ａ】図４３Ａ−４３Ｆは、本開示の少なくとも１つの実施例による、標的容積内の光源間隔配列を図示する。
【図４３Ｂ】図４３Ａ−４３Ｆは、本開示の少なくとも１つの実施例による、標的容積内の光源間隔配列を図示する。
【図４３Ｃ】図４３Ａ−４３Ｆは、本開示の少なくとも１つの実施例による、標的容積内の光源間隔配列を図示する。
【図４３Ｄ】図４３Ａ−４３Ｆは、本開示の少なくとも１つの実施例による、標的容積内の光源間隔配列を図示する。
【図４３Ｅ】図４３Ａ−４３Ｆは、本開示の少なくとも１つの実施例による、標的容積内の光源間隔配列を図示する。
【図４３Ｆ】図４３Ａ−４３Ｆは、本開示の少なくとも１つの実施例による、標的容積内の光源間隔配列を図示する。
【００４９】
【図４４】図４４は、本開示の少なくとも１つの実施例による、以前の技術のうちのいずれか１つまたはそれを上回るものが実施または促進され得る、例示的コンピュータシステムマシンを図示する、ブロック図を図示する。
【００５０】
【図４５】図４５は、モジュール式紫外線消毒カセットの例示的実施形態の等角図を示す。
【００５１】
【図４６】図４６は、モジュール式紫外線消毒カセットの例示的実施形態の正面図を示す。
【００５２】
【図４７】図４７は、ワイヤメッシュケージの例示的実施形態を示す。
【００５３】
【図４８】図４８は、モジュール式紫外線消毒カセットの例示的実施形態が取り付けられ得る、フレームの例示的実施形態の正面図を示す。
【００５４】
【図４９】図４９は、積層可能なカセットおよびチャンバのためのフレーム内に配置されているカセットの例示的実施形態を示す。
【００５５】
【図５０】図５０は、複数のカセットから生成される多重ベクトル光の累積効果の例示的実施形態を示す。
【００５６】
【図５１】図５１は、アレイフレームワーク内にともに結合される４つの長方形カセットの例示的実施形態を示す。
【００５７】
【図５２】図５２は、積層されたアレイフレームワーク内にともに結合される１６個の長方形カセットの例示的実施形態を示す。
【００５８】
【図５３】図５３は、集中多重ベクトル光の紫外線標的ゾーンを生成するように八角形チャンバ配列内にともに結合される、８つの長方形カセットの例示的実施形態を示す。
【００５９】
【図５４】図５４は、それを通してアイテムが通過および消毒され得る、回廊チャンバを生成するように左の４つ、右の４つ、頭上の４つとともに結合される、１２個の長方形カセットの例示的実施形態を示す。
【００６０】
【図５５】図５５は、内側に紫外線標的ゾーンが生成される、半円チャンバ内にともに結合される１２個の長方形カセットの例示的実施形態を示す。
【００６１】
【図５６】図５６は、内側に紫外線標的ゾーンが生成される、ジオデシックドーム等の３次元形状のチャンバを形成し得る、３つの紫外線ランプを含有する三角形カセットの例示的実施形態を示す。
【００６２】
【図５７】図５７は、内側に紫外線標的ゾーンが生成される、ジオデシックドームの一部を形成し得る、六角形構造を形成する三角形カセットのアレイの例示的実施形態を示す。
【００６３】
【図５８】図５８は、完全に封入された紫外線標的ゾーンの周囲にチャンバを形成する、三角形カセットから成るジオデシックドームの例示的実施形態を示す。
【００６４】
【図５９】図５９Ａ−Ｄは、カセットのアレイを接続および積層する際に採用されるであろう、内蔵カセットおよび結合ヒンジの実施例を示す。
【００６５】
【図６０】図６０Ａ−Ｃは、キャスタの有無別に図示される、結合ヒンジおよび壁に接続するための端部キャップを採用する、カセットアレイの実施例を示し、後者は、壁結合／相互係止によって支持される自由浮動配列であり、カセットアレイの画像は、壁に対してコンパクトなユニットに折畳される。
【００６６】
【図６１】図６１は、結合ヒンジが、スペースシャトルを消毒することが可能なより大型の格納庫を形成するように積層および配列された、内蔵カセットの大型アレイの形象的適用の例示的実施形態を示す。
【発明を実施するための形態】
【００６７】
着目すべきこととして、紫外線技術または面積紫外線消毒ユニットを利用する現在の消毒技術は、従来的な化学消毒方法に競合するように、医療施設内の表面媒介病原体を根絶するために必要な性能レベルも、全ての表面への適切な被覆および暴露も達成しない場合があり、微生物が常在し、消毒から免れ得る、全ての影になった隙間に完全な暴露を提供することができない場合がある。さらに、現在使用されている面積紫外線消毒ユニットは、多くの場合、それらが適用される病院のスケジュールおよび運営に悪影響を及ぼす、動作時間を要求する。病院面積を消毒するためにこれまで使用されてきた、従来的な点光源面積消毒システムは、多くの場合、照射レベルが、逆二乗の法則（ＩＳＬ）にほぼ従って、紫外線源からの距離とともに減少するという性能制限に悩まされる。点光源紫外線放射または光の一実施例は、標的容積または部屋内の単一の光源または電球である。別の実施例は、相互と近接近して相互に接続される複数の光源である。そのような複数の光源は、例えば、固定フレームまたは構造に取り付けられ得る。これらの既存の消毒デバイス、システム、および方法の実施例は、米国特許出願公開第２０１２／０３０５７８７号、第２０１７／００４９９１５号、第２００８／０２１３１２８号、および米国特許第９，１６５，７５６号、第８，５７５，５６７号、第６，６５６，４２４号、第６９１１１７７号、第６，９１１，１７８号、第６，９１１，１７９号、第５，８９１，３９９号、第９，３４５，７９８号、ならびに第Ｄ６８４６７１号に開示されるものを含む。消毒デバイスに関連し得る、他の特許および公開は、米国特許第８，９０７，３０４号、米国特許第９，０４４，５２１号、第ＴＷ３８１４８９Ｙ号、第ＴＷ５５６５５６Ｙ号、米国特許第７，４５９，９６４号、第ＣＮ２０６０６３４４９号、第ＷＯ２０１０１１５１８３号、第ＵＳ２０１５０２８４２０６号、第ＫＲ１０１７６７０５５号、第ＷＯ２０１５０１２５９２号、および第ＫＲ２０１５００２８１５３号を含む。
【００６８】
したがって、消毒された空間、表面、および／または構造を提供すること、ならびに汚染された面積との物理的接触を介して伝染され得る疾患の蔓延に対抗することを支援し得る、改良された消毒デバイス、システム、および消毒のための方法の必要性がある。世界が、代替光ベースの技術に移行し、それを採用するために、消毒性能は、作業環境内で信頼性があり、一貫性があり、持続可能である必要がある。これらの課題のうちの少なくともいくつかは、本明細書に開示される例示的実施形態によって対処される。
【００６９】
上記に議論される実施例は、可変エネルギー、可変殺菌性能、可変陰影、可変距離、および組み合わせて最終的に容認可能な結果を生成しない場合がある性能の誤差に悩まされ得る。従来技術で列挙されるパラメータは、逆二乗の法則によって統制される、ある距離にわたる光強度の降下に関する主要な欠陥に悩まされ得る。本欠陥は、紫外線を使用する消毒の有効性および性能に大きな影響を及ぼし、消毒されるべき全標的容積に十分な暴露を達成させなくし得る。これは、紫外線源から最も遠い影になった隙間または面積内に常在し得る微生物が、消毒を免れることを可能にし得る。本有意な性能制限を補償するために、従来技術、システム、および方法のうちのいくつかは、動作時間の増加、波長の組み合わせ、電力および光強度出力の増加または複数回の暴露を含み、全ての着目表面、特に、標的容積への適切な消毒性能に悪影響を及ぼし得る。距離とともに消散する可変エネルギーレベルの組み合わせは、該以前の解決策の殺菌性能に大きな影響を及ぼす。そのような方法を使用するシステムに置かれる信頼は、本性能の有意な変動性を有する。
【００７０】
陰影、強度、距離、時間、エネルギー、ならびに可変容積の可変欠陥のリストの組み合わせは、消毒デバイスの改良の有意な余地を残す、以前の解決策に欠けているいくつかの制限である。容積は、逆二乗の法則を考慮した、紫外線殺菌光を用いた性能の方程式における主要変数である。病院、診療所、研究室、教室、トイレ、治療室、手技室、手術室、走査室、および緊急治療室は全て、標的容積の実施例である。全てのこれらの部屋は、本質的に標的容積であり、本質的に立方体様であり、可変体積である。
【００７１】
本発明者らは、標的容積を消毒する目的のための代替非化学技術の採用に向かって根本的に移行するために、全てのこれらの変数が克服される必要があることを認識している。これらの問題に対処するために、本開示は、１つまたはそれを上回る拡張可能および収縮可能なアーム上に配置される紫外線源を介して、精密なエネルギーを生成し、標的容積を消毒するための分散型紫外線エネルギーの３次元行列を生成することを具体的に意図する、紫外線消毒デバイス、システム、および方法を含む、解決策を提示する。１つまたはそれを上回る拡張可能および収縮可能なアームは、広い開放面積（例えば、広い部屋）またはより小さい制約された面積（例えば、隅、干渉を伴う面積等）を含む、カスタマイズ可能な消毒暴露行列を容易に提供しながら、可搬性を可能にする。アームはまた、便宜的に、１つだけの設定が、高速の単一光暴露サイクル内に部屋全体（例えば、緊急治療室、ＩＣＵ室等）を消毒することを可能にし、動作時間を短縮し得る。分散型紫外線エネルギーの行列はまた、陰影効果を最小限にする、または低減させるように、複数の角度および方向から紫外線エネルギーを指向し、エネルギー分布を最大限にし、それによって、微生物の組み合わせが消毒プロセスに別様に耐え抜き得る隙間を縮小または排除することによって、部屋または標的容積内の全ての部屋の表面および固定機器を効率的に消毒するより効果的な方法も提供する。これらのデバイスおよび方法はさらに、例えば、医療物流内に容易に統合され、効果的かつ効率的な消毒を可能にする。
【００７２】
本主題の実施形態では、部屋、機器、および他の類似表面ならびにアイテムを消毒するためのデバイス、システム、および方法が、提供される。開示されるデバイス、送達システム、および方法の具体的実施形態が、ここで、図面を参照して説明されるであろう。本発明を実施するための形態の中のいかなるものも、任意の特定の構成要素、特徴、またはステップが、本発明に不可欠であることを含意することを意図していない。
【００７３】
本概観は、本特許出願の主題の概観を提供することを意図している。これは、本発明の排他的または包括的解説を提供することを意図していない。発明を実施するための形態は、本特許出願についてのさらなる情報を提供するように含まれる。
【００７４】
図１は、圧潰またはコンパクトな構成における消毒デバイスの例示的実施形態の斜視図を図示する。本実施形態では、本デバイスは、円筒形の中心カラムの形態で基部構造１００７を備える。随意に、本および他の実施形態では、基部構造は、基部構造の全体を通して複数の変動する円周と組み合わせて、複数の形状（例えば、円筒形、正方形、長方形、六角形、三角形、球形、または不整形）を有してもよい。随意に、本および他の実施形態では、基部構造の基部は、床上に静置し、デバイスのための安定したフレームを提供するように構成される。随意に、本および他の実施形態では、複数のキャスタが、基部構造の基部上に配置されてもよい。随意に、本および他の実施形態では、１つまたはそれを上回る紫外線放射源が、基部構造上に配置されることができる。
【００７５】
図１はさらに、４本のアーム１００１、１００２、１００３、および１００４の端部が、基部構造１００７に動作可能に結合されることを描写する。随意に、本および他の実施形態では、本デバイスは、１つまたはそれを上回るアームを保有する。非限定的実施例は、１本のアーム、２本のアーム、３本のアーム、４本のアーム、５本のアーム、６本のアーム、７本のアーム、８本のアーム、９本のアーム、１０本のアーム、１１本のアーム、または１２本のアームを含む。加えて、図１の４本のアーム１００１、１００２、１００３、および１００４は、基部構造１００７の上部分の周囲のランプ区画１００５内に円周方向に配置される。随意に、本および他の実施形態では、１つまたはそれを上回るアームは、種々の位置において基部構造に動作可能に結合される。非限定的実施例は、基部の中心、上、または底部分に取り付けられる、１つまたはそれを上回るアームの１つの端部を含む。図１では、４本のアーム１００１、１００２、１００３、および１００４は、基部構造上の同一の高さに位置付けられる。随意に、本および他の実施形態では、１つまたはそれを上回るアームは、基部構造上の同一の高さ、基部構造上の異なる高さ、またはそれらの組み合わせに位置付けられてもよい。また、図１の４本のアーム１００１、１００２、１００３、および１００４は、４つのランプアレイ区画１００６を備える。随意に、本または他の実施形態では、アームは、１つまたはそれを上回るランプアレイ区画を保有してもよい。非限定的実施例は、１つの区画、２つの区画、３つの区画、４つの区画、５つの区画、６つの区画、７つの区画、８つの区画、９つの区画、１０個の区画、１１個の区画、または１２個の区画を含む。本実施形態では、各ランプアレイ区画１００６は、区画１００６から上に延在し、基部構造１００７の上部から通過する、上側紫外線放射ランプ１０００の１つの円筒形のセットと、区画１００６から下に延在する、下側紫外線放射ランプ１００８の第２の円筒形のセットとを備える。随意に、本または他の実施形態では、区画は、１つまたはそれを上回る紫外線放射源を備えてもよい。非限定的実施例は、１つの源、２つの源、３つの源、４つの源、５つの源、６つの源、７つの源、８つの源、９つの源、１０個の源、１１個の源、または１２個の源を含む。随意に、本または他の実施形態では、区画は、１つまたはそれを上回る種類の紫外線放射源を備えてもよい。非限定的実施例は、紫外線低圧または中圧ランプ、もしくは１８０〜４００ｎｍの任意の紫外線波長の紫外線を生成するＬＥＤ紫外線源を含む。随意に、本または他の実施形態では、紫外線放射源は、複数の形状であってもよい。非限定的実施例は、円筒形ランプ、電球ランプ、Ｕ字管ランプ、２軸ランプ、または点光源ＬＥＤを含む。随意に、本または他の実施形態では、紫外線放射源は、種々のサイズおよび長さを備えてもよい。非限定的実施例は、ＬＥＤと同程度に短い、または典型的高出力紫外線ランプと同程度に長い、紫外線放射源の長さを含む。随意に、本または他の実施形態では、１つまたはそれを上回る紫外線放射源は、複数の紫外線放射要素を備えてもよい。本例示的実施形態では、エミッタ１００８の下側セットは、デバイスの移送のために床を伴う遊隙を提供するように、基部の底部まで延在しない。随意に、本および他の実施形態では、上側紫外線放射ランプは、同一の高さに、または基部構造の上部の下方にあってもよい。本実施形態では、紫外線放射ランプ１０００および１００８は、ランプアレイ区画１００６上で基部構造と平行に配置されるように構成される。随意に、本または他の実施形態では、１つまたはそれを上回る紫外線放射源は、区画上の複数の場所に配置されてもよい。非限定的実施例は、延在可能なアームの上部の上、または底部の上、任意の側面の上、もしくはそれらの任意の組み合わせを含む。随意に、本または他の実施形態では、紫外線放射源は、長さが固定される、またはアームから半径方向外向きに延在および収縮するように構成されてもよい。随意に、本または他の実施形態では、紫外線放射源は、区画に対して種々の角度に配置されてもよい。非限定的実施例は、区画と直交して、区画を横断して、または区画に対して任意の鋭角もしくは鈍角で配置される、１つまたはそれを上回る紫外線放射源を含む。
【００７６】
随意に、本または他の実施形態では、１つまたはそれを上回るアーム、１つまたはそれを上回る区画、もしくは１つまたはそれを上回る紫外線放射源は、回転または旋回するように構成されてもよい。随意に、本または他の実施形態では、アーム、区画、および紫外線放射源は、モジュール式である。随意に、本または他の実施形態では、付加的区画は、付加的構成オプションを提供し、アームの到達範囲を延長または減少させるように、上に追加される、または撤去されてもよい。随意に、本または他の実施形態では、付加的紫外線放射源が、消毒されるべき標的面積または部屋の設定に応じて、付加的構成および消毒オプションを提供するように、追加される、または撤去されてもよい。
【００７７】
図２は、図１の消毒デバイスの俯瞰図を図示する。基部構造１００７上の４本のアーム１００１、１００２、１００３、および１００４は、相互と直交し、等距離に位置付けられる。随意に、本および他の実施形態では、１つまたはそれを上回るアームは、相互に対して種々の位置に配置されてもよい。非限定的実施例は、相互から均等に離間される１つまたはそれを上回るアーム、相互から不均等に離間される１つまたはそれを上回るアーム、もしくは相互から均等に離間される、および不均等に離間される１つまたはそれを上回るアームの組み合わせ、または円筒形の基部構造上で相互から１８０度、１２０度、９０度、７２度、６０度、４５度、４０度、３６度、もしくは３０度分離される、１つまたはそれを上回るアームを含む。随意に、本および他の実施形態では、アームの角度間隔は、空間の標的容積の異なる寸法に適応するように中心カラムの周囲で調節可能であり得る。随意に、本または他の実施形態では、１つまたはそれを上回るアームは、基部構造から半径方向に離れるように拡張可能であり、基部構造に対して線形様式で収縮可能に戻るように構成されてもよい。
【００７８】
図３は、図１の例示的実施形態の側面図を図示する。図３は、移送を促進し、アーム１００１、１００２、および１００４が、複数の構成で広げられ、標的容積表面および寸法に適合することを可能にするように、基部構造１００７の底部に取り付けられたカラム支持車輪またはキャスタ３００６を含む、消毒デバイスを描写する。随意に、本または他の実施形態では、本デバイスは、基部構造の底部に取り付けられたキャスタ３００６を含む場合とそうではない場合がある。随意に、本または他の実施形態では、本デバイスは、延在可能なアームが基部構造に対して上または下に平行移動することを可能にするための１つまたはそれを上回る垂直トラックを含んでもよい。随意に、本または他の実施形態では、本デバイスは、基部構造の円周に沿って水平に延設される、１つまたはそれを上回るトラックを含んでもよく、１つまたはそれを上回るアームに取り付けられ、１つまたはそれを上回るアームが基部構造の周囲で平行移動することを可能にするように構成される。随意に、本または他の実施形態では、１つまたはそれを上回るアームはさらに、基部構造に動作可能に結合する枢動軸を端部上に備えてもよく、枢動軸は、アームが基部構造に対して種々の角度で調節されることを可能にするように構成される。非限定的実施例は、垂直に、水平に、または水平と垂直との間の任意の角度で配列される、アームを含む。随意に、本または他の実施形態では、枢動軸は、アームの回転角を係止するための解放可能な係止機構を含んでもよい。随意に、本または他の実施形態では、最小枢動角は、垂直から１０、２０、３０、４０、５０、６０、７０、８０、または９０度であり得、最大角は、最大で全３６０度の回転を可能にし得る。随意に、本および他の実施形態では、枢動軸は、アームの回転角を係止するとともに、中心カラムからアームを完全に解放し、交換または具体的用途へ適合を可能にするための解放可能な係止機構を含んでもよい。
【００７９】
図４は、拡張構成における図３の消毒デバイスの斜視図を図示する。図４は、４本のアーム１００１、１００２、１００３、および１００４を図示し、各アームの端部は、基部構造１００７に動作可能に結合される。随意に、本または他の実施形態では、基部構造は、１つまたはそれを上回る紫外線エミッタを備えてもよい。随意に、本および他の実施形態では、紫外線エミッタは、複数の形状およびサイズを備えてもよい。非限定的実施例は、円筒形ランプ、Ｕ字管ランプ、２軸ランプ、電球形ランプ、ＬＥＤ等を含む。本実施形態では、基部構造は、約３フィートである。しかしながら、本および他の実施形態では、基部構造の高さは、非常に広い封入空間に関して、通常は４、５、６、７、８、９、１０、１１、または１２フィート、もしくはそれよりも高くあり得る、それが設置された任意の天井またはドアの入口の限定的高さを除いて、いずれの要因によっても限定されない。随意に、本または他の実施形態では、本デバイスは、１つまたはそれを上回るアームを備えてもよい。各アーム、例えば、１００１は、キャスタ３００６上に乗設する基部構造１００７から半径方向に離れるように延在される。随意に、本または他の実施形態では、各アームは、部屋の壁または隅もしくは標的面積の外周と接触するように外に延在してもよい。完全に延在されたアームの最大長は、区画の数のみによって限定されず、区画の数は、限定されないが、実際には、４、８、１６、３６、または６４等のある有限数内に留まるであろう。各アームは、２つの紫外線放射源４０１１および４０１２と、４つの支持フレーム区画、例えば、４０１３とをそれぞれ含む、４つのランプアレイ区画、例えば、４００１、４００２、４００３、および４００４を備える。随意に、本または他の実施形態では、各アームは、１つまたはそれを上回るランプ区画を備える。非限定的実施例は、１つ、２つ、３つ、４つ、５つ、６つ、７つ、８つ、またはそれを上回る紫外線ランプを含む。ランプアレイ区画４００１、４００２、４００３、および４００４は、区画の長さが垂直に延設される場所に配置される。随意に、本または他の実施形態では、区画は、複数の形状およびサイズを備えてもよい。非限定的実施例は、立方体、長方形、六角形、球体等を含む。各区画の中心は、折畳タイプの支持フレーム、例えば、４００５、４００７、４００８、および４００９によって接続される。随意に、本または他の実施形態では、各アームは、アームに沿って折畳区画を形成し、アームが拡張構成または圧潰構成にアコーディオン式に折畳することを可能にするように、ともに枢動可能に結合される、複数のリンケージを備える、アコーディオン形状を備える。折畳機構は、収縮構成から拡張構成に紫外線源を平行移動させることの一実施例にすぎない。随意に、本または他の実施形態では、フレームは、複数の形状およびサイズを備えてもよい。非限定的実施例は、長方形、三角形、台形等を含む。随意に、本および他の実施形態では、区画とフレームとの間の接続点は、水平軸に沿って種々の度数で回転するように構成されてもよい。度数の非限定的実施例は、とりわけ、９０度〜３６０度を含む。随意に、本および他の実施形態では、区画とフレームとの間の接続点は、垂直軸に沿って種々の度数で回転するように構成されてもよい。度数の非限定的実施例は、とりわけ、９０度〜３６０度を含む。随意に、本または他の実施形態では、支持フレームは、鋼鉄またはアルミニウムから作製される区画から成るが、また、限定ではないが、プラスチック、木材、金属、および他の自然または合成材料を含む、他の好適な材料から成ってもよい。各紫外線放射源、例えば、４０１１は、円筒形を有する。随意に、本および他の実施形態では、紫外線放射源は、ランプ電球形状、円筒形、Ｕ字管ランプ形状、２軸形状、電球形ランプ、ＬＥＤ、レーザ等を含む、任意の形状であってもよい。随意に、本または他の実施形態では、紫外線エミッタが、フレームまたは区画もしくはそれらの組み合わせの上の種々の位置に配置されてもよい。非限定的実施例は、フレームまたは区画もしくはそれらの組み合わせの上部、底部、側面、またはその間のいずれかの場所を含む。紫外線放射源の１つのセットが、支持フレームから離れるように半径方向上向きに延在する一方で、紫外線放射源の別のセットは、支持フレームから離れるように半径方向下向きに延在する。さらに、４本の延在されたアーム上の支持車輪またはキャスタ、例えば、４０１０は、支持フレームの上側または下側部分に接続される、支持構造に接続される。支持キャスタ４０１０は、デバイスが拡張構成で転倒しないように防止するために、基部構造１００７からさらに離れるように支持フレームに接続される。随意に、本または他の実施形態では、各アームは、複数の区画の上部分に接続される複数の支持車輪を備えてもよい。随意に、本または他の実施形態では、支持車輪は、区画またはフレームの下部分に接続してもよい。随意に、本または他の実施形態では、アームは、１つまたはそれを上回る区画と、１つまたはそれを上回るフレームと、１つまたはそれを上回る紫外線エミッタとを備えてもよい。
【００８０】
図５は、図４の消毒デバイスの側面図を図示し、基部構造１００７、延在可能なアーム１００１および１００３（横から見た場合）、ならびに延在可能なアーム１００３のうちの１つ（縁視図）、および支持フレームキャスタ４０１０ならびに基部構造キャスタ３００６を示す。
【００８１】
図６は、完全延在構成における図１の消毒デバイスの俯瞰図を図示する。本好ましい実施形態では、延在可能なアーム１００１、１００２、１００３、および１００４は、相互に対して直角に配列され、基部構造１００７に接続される。１つまたはそれを上回るアーム、例えば、１００１はそれぞれ、長方形の部屋、正方形の部屋、円形の部屋、台形の部屋等を含む、複数の部屋の形状に適応するように構成されることができる。
【００８２】
図７は、完全延在構成における正方形の部屋内の図１の消毒デバイスの俯瞰図を図示する。本デバイスは、それを通して消毒デバイスが移送される、ドアを伴う部屋の内側に位置する。本実施形態では、各アーム１００１、１００２、１００３、および１００４は、最大被覆を達成するように部屋の４つの隅に向かって延在される。他の実施形態では、アームは、部屋の４つの壁、部屋の入口、または部屋もしくは標的面積の周囲に沿った他の部分に向かって延在されてもよい。
【００８３】
図８は、典型的な逆二乗の法則および光強度が従来技術における代表的な点光源消毒デバイスから減退する様式を図示する。逆二乗の法則は、式Ｅ＝Ｐ／（４πｒ２）８００１によって表される。照射は、単位Ｗ／ｍ＾２を用いて「Ｅ」によって表され、電力は、単位Ｗを用いて「Ｐ」によって表され、球体の表面積は、単位ｍ＾２で「４πｒ２」によって表され、ｒは、ｍ単位の点光源からの半径または距離である。円形８００２に配置される複数の光源を伴う従来技術の点光源消毒デバイスの表現もまた、提供される。複数の光源の中心から、最小リング、中間リング、および最大リングまでの距離は、それぞれ、１メートル、２メートル、および３メートルにおいて測定されると仮定されたい。点光源消毒デバイスを利用する本実施例の下で、点光源デバイスからの全距離における３００Ｗの一様な配電を仮定すると、最小リングにおける照射の量は、１ｍにおいて、約２３．８７Ｗ／ｍ＾２であり、中間リングにおける照射の量は、２ｍにおいて、約５．９７Ｗ／ｍ＾２であり、最大リングにおける照射の量は、３ｍにおいて、約２．６５Ｗ／ｍ＾２であろう。要するに、紫外線照射の量は、中心に、またはともに密接して配置される複数の光源からの距離とともに、大いに減退する。実施例として、グラフ８００３はさらに、距離（ｍ）８００５とともに減退する、３００ワットの点光源からの光照射Ｅ（ワット／メートル＾２）８００４の量を描写する。点光源、例えば、円筒形ランプ、または集中領域内のいくつかのランプから成る点光源モデルを利用する消毒デバイスからの光の本有意な減退は、点光源を利用するように構成される従来技術の消毒ユニットに関する主要な問題のうちの１つを例示する。最高紫外線強度は、紫外線ランプ表面に近接近してのみ起こる。しかしながら、任意の通常のサイズの部屋に存在し得る、より遠い距離において、これらの距離における紫外線の強度は、多くの場合、非常に減退されるため、困難な延長した暴露時間がないと、有意なレベルの消毒を生成するためには不十分である。さらに、現在利用可能な殆どの点光源面積消毒ユニットは、単一のランプ、または単一の光源と同様に作用する、ともに接近して位置するランプのクラスタのいずれかを使用し、結果として、多くの場合、紫外線に直接暴露されないであろうが、影および可変レベルまたは残存する細菌もしくは病原体を受けるであろう、部屋内の多くの表面が存在する。現在の点光源面積消毒システムおよび参照される従来技術に関する前述の問題の両方は、紫外線の多重ベクトル場を生成する分散型グリッドを形成するように物理的に構築および適合する、適応多重ベクトル行列デバイスの現在の実施形態では、紫外線ランプの分散型行列によって克服される。
【００８４】
図９Ａ−９Ｄは、紫外線強度が本開示の例示的実施形態から放射する様子の例示的実施形態を図示する。逆二乗の法則モデルを用いた従来的な点光源デバイスに従う代わりに、複数の光源、例えば、本実施形態では、９００３は、複数のアーム、例えば、９００４の長さに沿って配置される。そうすると、高強度の面積は、延在されたアーム、例えば、９００４によって、より一様に分配される。随意に、本および他の実施形態では、紫外線エネルギーの高強度の面積は、部屋または標的容積内でより一様に分配される。随意に、本および他の実施形態では、紫外線エネルギーの高強度の面積は、部屋または標的容積内で一様に分配される。本および他の実施形態では、分散型光源の正味の影響は、多重ベクトル光のより均等な分布を提供し、同時に、陰影の問題を回避する。随意に、本および他の実施形態では、任意の点における部屋内の実際の強度の計算は、分散型光源のそれぞれからの寄与および多重ベクトル総和に依存する。加えて、ランプが、本および他の実施形態では部屋の全体を通してより精密に分配されるため、部屋の全体を通した強度レベルは、同等の総ランプワット数に基づく最小値と比較して、点光源モデルよりも均一であり、従来技術の中心点光源モデルで見られる、０．５メートル、１、２、３、および４メートル後の強度の劇的な減少に悩まされないであろう。随意に、本および他の実施形態では、強度が部屋または標的容積を横断して均質化される程度は、光源の数、強度、または位置付けに依存する。随意に、いくつかの実施形態では、最大で理論的に無限数の紫外線源を用いると、部屋または標的容積内の強度プロファイルは、精密に分配され、部屋内の強度の平均値において一定であろう。光の点光源モデルと関連付けられる欠陥を克服する、本アプローチは、無限数のランプを有することに依存しないが、いくつかの実施形態では、優れた強度分布を提供し、また、陰影の問題が克服されるであろう十分な数の方向から生じる、多重ベクトル光も提供するであろう、ある有限数のランプが存在するであろう。図９Ａは、随意に、本および他の実施形態では、紫外線強度の同心円形輪郭９００１が重複し、それによって、部屋の中心で集中される点光源モデルと比較して、空間または部屋もしくは標的面積の容積の全体を通した種々の距離を横断して、より良好な被覆および強度を生成する様子を示す。随意に、いくつかの実施形態では、本例示的適応行列を利用する照射の測定は、実施形態の中心からわずか約１〜１００Ｗの電力を伴って、１メートル離れて１〜２０Ｗ／ｍ＾２を実証し、点光源モデルと比較して、空間の容積内の全ての表面のより良好な被覆、より高い強度、したがって、より適切で速い消毒を提供する、例示的実施形態からより遠く離れた、より高い強度を示し得る。
【００８５】
他の例示的実施形態では、ランプが、４本の延在可能なアームを有する、実施形態９０１０の図９Ｂに図示される。各ランプ、例えば、９１１２の周囲のより小さい円、例えば、９１１１は、照射輪郭を表す。重複するより小さい円は、Ｘ字形９１１３を形成する黒い直線によって輪郭を描かれる多重ベクトル光の場を形成することが、分かり得る。より低い照射レベルを表す、より大きくより薄い円、例えば、９１１４もまた、重複し、延在されたアーム、例えば、９１１６の間に菱形の面積、例えば、９１１５を形成し、多重ベクトル光場は、Ｘ字形９１１３を形成する黒い直線内の面積よりも低い。随意に、本および他の実施形態では、低減した照射のこれらの面積は、デバイスによって占有される正方形または長方形の部屋内で、各壁の中心面積の近傍の面積であろう。
【００８６】
図９Ｃは、ランプ９０２１を伴う第５のアーム９０２０が、低減した照射の面積内の任意の他の２本の延在されたアーム９０２２および９０２３の間に挿入されるときに起こることの例示的実施形態を図示し、本ランプは、図９Ｄに拡張される小さい円および円形面積によって表される。随意に、本および他の実施形態では、１つまたはそれを上回るアームが、デバイス上に追加される、または除去されてもよい。随意に、本および他の実施形態では、第５の延在されたアームは、ランプを備え得る、複数の紫外線放射源を備えてもよい。本実施形態では、第５のアーム９０２０上の本第５のランプ９０２１が、多重ベクトル光場内の最低照射の面積内に設置されるとき、照射レベルは、増加され、多重ベクトル光場は、さらに均等に分配される。すなわち、より均一なレベルの多重ベクトル光、またはより平坦な照射輪郭が、照射場がエネルギーの潜在的低下を実証する、いずれかの場所にランプを挿入することによって、達成されることができる。
【００８７】
図９Ｄは、いったん第５のランプ９０２０および第５の延在されたアーム９０２１がデバイスに追加されたときの領域の拡大画像を図示する。増加した照射９０３０の円形面積が、２本の他の延在されたアーム９０２２および９０２３（例えば、部屋の壁に隣接し得る）の間のスポット内で生成される。本方法は、全体的な多重ベクトル輪郭をより均一にするように、アームの間の低減した照射の他の３つの面積に関して繰り返されることができる。随意に、本および他の実施形態では、より低い照射の面積に対して付加的源を伴うアームをデバイスに追加することは、多重ベクトル照射場の完全な均一性が達成されるまで、無限に繰り返され得る。随意に、他の実施形態では、多重ベクトル照射場が、部屋または封入空間もしくは標的面積内の全ての点において高レベルの消毒を達成するように十分に均一または均等に分配されるまで、わずかな付加的ランプのみが、追加される。随意に、本および他の実施形態では、付加的点光源が、デバイス上に追加されてもよい。付加的紫外線放射源を伴うアームを増分的に追加する方法は、多重ベクトル光の十分に分配された場を生成し、照射輪郭をより均一にするものである。随意に、本および他の実施形態では、標的面積を消毒する本効果的な方法は、単一の暴露サイクルで行われる。随意に、本および他の実施形態では、単一の暴露サイクルは、１０秒、２０秒、３０秒、４０秒、５０秒、６０秒、７０秒、８０秒、９０秒、１００秒、１１０秒、１２０秒、１３０秒、１４０秒、１５０秒、１６０秒、１７０秒、１８０秒、１９０秒、または２００秒持続することができる。随意に、本および他の実施形態では、単一の暴露サイクルは、最大２０分持続することができる。
【００８８】
本および他の実施形態では、紫外線強度のレベルは、利用可能な空間内でより広く分配され、複数の方向からの紫外線の光線が全表面に到達し得る、紫外線のより一様な場または分散型行列を生成し、それによって、従来的な点光源面積消毒ユニットもよりも少ない時間で、これらの表面のはるかに効果的かつ効率的な消毒を提供し、後者の利点は、緊密なスケジュールで運営され、消毒プロセスのために限定された時間を有する、医療施設および手術室にとって極めて重要である。随意に、本および他の実施形態では、紫外線の分散型行列は、適応アーム、またはアームもしくは基部構造上の紫外線源を通して、適応的であり得る。随意に、本および他の実施形態では、紫外線の分散型行列は、１つまたはそれを上回るアーム上の１つまたはそれを上回る紫外線源から生じる照射の量を調節することによって、適応的であり得る。随意に、本および他の実施形態では、アームは、圧潰可能および延在可能である。本および他の実施形態では、設計は、一意の機能であって、抗生物質ならびに化学消毒剤に常に適合する病原体と常に闘っており、現在の開示と異なり、通常の病院清掃手順の時間制約内で限定された有効性であることが分かっており、陰影の問題および逆二乗の法則に起因して部屋または表面を不完全に消毒する、前述の点光源モデルの制限に直面している、医療施設にとって大きな価値がある、院内病原体の効率的、効果的、かつ急速な消毒という機能を果たすように立案されることができる。
【００８９】
図１０は、床および天井も図示される、部屋内に展開された消毒デバイスの側面図を図示する。基部構造１０００１は、紫外線ランプ、例えば、１０００３を支持する、延在されたアーム、例えば、１０００２を支持する。基部構造が、キャスタ１０００４上で支持される一方で、延在されたアームは、キャスタ１０００５上で支持される。本説明図では、折畳機構は、部分的にのみ延在され、完全延在では、折畳アームは、相互に対して平坦に折畳されるであろう。本および他の実施形態では、延在可能なアームは、部品の交換を促進し、単純な構成（例えば、３本のアームのみ、または２本のアームのみ）が、用途が要求し得る通りに実装されることを可能にするであろう、基部構造に動作可能に結合される延在可能なアームの端部上に配置される単純な掛止機構を通して、除去可能であり得る。
【００９０】
図１１Ａ−１１Ｃは、消毒デバイスの展開の例示的段階を図示する。図１１Ａは、表面が消毒されるものである正方形様の部屋１１００３内の所望の静置位置まで戸口を通して移動されている、そのポータブル構成におけるデバイス１１００１を図示する。随意に、本または任意の実施形態では、本デバイスは、標的面積または部屋内の任意の場所に配置されてもよい。図１１Ｂは、基部構造１１００４から拡張し、部屋１１００３内の空間の利用可能な容積を充填する、デバイスの４本のアームのそれぞれ、例えば、１１００２を図示する。随意に、本または任意の実施形態では、アームは、部屋の４つの隅または壁に向かって同時に拡張していてもよい。随意に、本または他の実施形態では、アームは、手動で、または自動的に拡張してもよい。他の実施形態では、１つまたはそれを上回るアームは、異なる時間に、異なる長さにおいて拡張してもよい。図１１Ｃでは、４本のアームはそれぞれ、例えば、１１００２は、基部構造１１００４からの拡張を完了しており、本デバイスは、消毒プロセスの準備ができている。随意に、本または任意の実施形態では、本デバイスは、病原性微生物の８０％、９０％、９９％、９９．９％、９９．９９％、９９．９９９％、９９．９９９９％、またはそれを上回る範囲の微生物の根絶を提供する。本デバイスは、随意に、任意の実施形態では、広い開放面積（例えば、広い部屋もしくは病棟）またはより小さい制約された面積（例えば、隅、干渉を伴う面積等）内で機能するように構成可能であり得る。本デバイスは、加えて、１つの光サイクルを用いた部屋全体（例えば、緊急治療室、ＩＣＵ室等）のための１つだけの設定を要求するように構成可能であり得る。消毒されるべき部屋は、病室の一部であってもよい、または病院のベッドをさらに含んでもよい。本デバイスはまた、随意に、任意の実施形態では、病院から遠隔の一時的医療現場作業を消毒するためのモバイルユニットの一部であるように構成されてもよい。加えて、図１１Ｃは、位置の任意の変化が入口または出口点から検出されるときに、システム上のライトを動作停止し、消毒を受容する空間の容積に進入しようとすることに応じて、ユーザの偶発的暴露を防止するように、テザー機構１１００５がシステムから引動され、空間の容積内の入口または出口点に取り付けられることを図示する。テザーは、デバイスから拡張可能および後退可能である、ストリング材料、プラスチックまたは金属ワイヤから作製されることができ、複数の出口また入口点のための複数のテザーが存在し得る。加えて、部屋の外側に位置するタイマは、基部１１００４および基部内の制御システムと無線で通信し、デバイスの実行時間は、紫外線サイクルが進行中であることをユーザに示す。加えて、部屋１１００３の外側に位置する画面は、タイマまたは紫外線サイクルの持続時間、ならびに該デバイスのアームのうちの１つに組み込まれるビデオ録画デバイスを介した、進行中である光サイクルの画像を表示することができる。
【００９１】
図１２は、消毒のための積層可能な特徴として例示的実施形態を図示する。本実施形態では、本開示は、上側中心カラム１２００１に接続される下側中心カラム１２００２の上の取付部１２００６を介して、および延在されたアーム１２００３の支持体１２００５の取付部において、積層されることができる。延在可能なアーム１２００３は、本積層配列で延在することができる。積層は、より高いレベルにおいて表面を消毒することが所望され得る、消毒システムの上向きの拡張を可能にする。積層は、一対の消毒デバイスに限定されず、２つを上回るデバイスが、非常に高い天井を伴う面積のために積層され得る。
【００９２】
図１３は、壁構造１３００５から下垂するように構成される消毒デバイスの例示的実施形態を図示する。本実施形態では、中心カラム１３００１は、形態が長方形であり得、取付および除去を促進するように恒久的壁取付部（図示せず）と結合されてもよい。延在可能なアーム１３００２は、壁１３００５から離れるように、かつそれと並行に、紫外線ライトのアレイ１３００４の延在を提供し、付加的支持が、転動キャスタ１３００３を伴う垂直アーム支持体によって提供されるであろう。代替として、他の実施形態では、壁１３００５への中心カラムの取付は、恒久的であり得る。
【００９３】
図１４は、天井から下垂するように構成される本開示の例示的実施形態を図示する。本実施形態では、長方形の中心カラム１４００１は、恒久的または一時的に天井に取り付けられる。示される実施例では、ランプ１４００２は、延在可能なアームの底部から取り付けられるが、他の実施形態は、延在可能なアームの上側にもランプを含んでもよい。本実施形態では、天井フック等の付加的支持体が、構造支持を延在されたアームに提供するために採用されてもよい。他の実施形態では、天井フックは、なくてもよく、延在可能なアームは、ある角度、例えば、４５度で下向きに延在してもよく、付加的支持を要求しなくてもよい。
【００９４】
図１５は、図１のシステム上の係止機構およびアーム延在機構の例示的実施形を図示する。本実施形態における機構は、アーム１５００１を延在または収縮させる折畳機構を拡張または収縮させる、ねじ機構１５００２に依存する。ねじ機構１５００２は、反対にねじ山付きのナット１５００３を圧縮するであろう、モータ１５００４によって駆動される。モータ駆動型折畳機構は、コントローラ（図示せず）を介して、またはデジタル制御（図示せず）を介して、もしくは手動で（図示せず）定位置に係止されることができる。手動係止を含む、代替係止機構が、利用されることができる。図１４に図示される係止機構を伴う折畳機構は、形象的および説明目的のためのみに利用され、アーム延在および係止は、当技術分野で容易に公知である通常の機械電気的手段を通して遂行されることができる。
【００９５】
図１６Ａ−１６Ｄは、本システムが部屋の表面を消毒するように部屋の中に移動されている間に、病院のベッドまたは手術台が患者部屋から除去され、別個に消毒されるであろう様子の例示的実施形態を図示する。図１６Ａは、部屋がデバイスによって消毒されている間に部屋の外に移動される、２つのベッドまたは１つのベッドを伴う１６００１病院の患者部屋を示す。図１６Ｂは、開放したドアを通して患者部屋の中に移動され、展開のために位置付けられている現在の開示１６００２の例示的実施形態を示す。図１６Ｃは、ベッドの周囲に設置され、封入空間の第４の側面のために壁１６００４を使用して封入する、米国特許第９，６７５，７２０，号に説明される消毒システム１６００３によって別個に消毒されている、患者のベッド１６００１を示す。図１５Ｄは、ここではドアが閉鎖されている、部屋の長方形寸法に合うように展開される現在の開示１６００２の例示的実施形態を伴う長方形の患者部屋を示す。本実施例では、消毒ユニット１６００２の延在可能なアーム１６００５は、部屋の長方形寸法に合い、最大被覆を取得するように、非直交角度で設定される。いくつかの事例または実施形態では、患者のベッドまたは手術台は、医療環境の空間の容積内に留まり、空間の容積の消毒の単一のサイクル中に、現在の開示を用いて消毒されることができる。本実施例では、本デバイスは、手術台または患者のベッドを受け入れ、壁および隅を含む、部屋内の容積および表面を同時に消毒しながら、十分な行列暴露を台またはベッドの全ての到達可能な側面に提供するための適切な中心カラム設計を有するであろう。
【００９６】
図１７は、近接性センサ１７０００が、異なるアームの通信波１７００１を介して距離および位置付けを測定し、空間の種々の容積内で行列を構築する様子を図示する。そこで、センサは、デバイス１７００２からの均等に分配された光行列に変換する、一様な幾何学的行列を構築するように設計、プログラム、および構成される。センサは、各アームの間、および空間の容積１７００３の壁および隅の間の幾何学的距離を測定し、半径方向または角度的のいずれかで、もしくは両方で、部屋内の現在のデバイスの物理的幾何学形状および位置付けを手動またはロボットで調節し、消毒のために標的化される空間の所望の容積のための最良の好適な行列を提供する。これは、現在の開示と従来技術との間の主要な差別化要因である。
【００９７】
図１８Ａ−１８Ｃは、消毒デバイスの例示的実施形態が、延在可能なアームの回転ならびにアームの延在によって種々の形状の部屋に適合され得る様子を図示する。図１８Ａは、内側に消毒デバイス１８００１の例示的実施形態が消毒サイクルのために設置され、上部１８００５および１８００２ならびに底部１８００３および１８００４における２本の延在可能なアームが、相互に対して鈍角にある一方で、図１８Ａの左側１８００５および１８００４の２本の延在可能なアーム、ならびに右側１８００２および１８００３の２本の延在可能なアームが、相互に対して鋭角にある、典型的な長方形の部屋を示す。図１８Ｂは、デバイス１８００１の延在可能なアームが、長く狭い部屋または廊下に合致するように大幅に回転される様子の実施例を示す。図１８Ｃは、延在可能なアームが、独特または不規則な形状を伴う部屋の寸法に合致するように、相互に対して非対称様式で回転される様子の形象的実施例を図示する。
【００９８】
随意に、本および他の実施形態では、上記の図のうちのいずれかに説明されるデバイスはさらに、少なくとも１つの消毒作業を実施するためのコンピュータ可読命令および位置付けのためのロボットコマンドを実行するように構成される、コンピュータプロセッサを含む、電子制御システムを含んでもよい。さらなる実施形態では、消毒作業は、紫外線エミッタのうちのいくつかまたは全てを利用してもよい。随意に、本または任意の実施形態では、制御システムは、延在可能なフレームの一部として物理的に構成されてもよい。さらに、制御システムは、通信ネットワークを経由して情報を送信および受信するように構成される、送受信機を含んでもよい。また、制御システムは、（ａ）標的面積内のアイテムおよび（ｂ）１つまたはそれを上回る標的面積の場所のうちの少なくとも１つの識別を提供する、情報を伝送するように構成されてもよい。いくつかの実施形態では、情報伝送は、アイテムまたは標的面積場所が消毒デバイスによって消毒されたことを示してもよい。プロセッサの任意の実施形態は、随意に、消毒作業のための紫外線源の紫外線強度および持続時間を選択的に制御するように構成されてもよい。プロセッサの任意の実施形態はさらに、放射源からの紫外線強度の一貫性を提供するために、紫外線源の経年劣化に基づいて、紫外線源に供給される電力を調節するように構成されてもよい。プロセッサの全ての実施形態はまた、延在可能なアームおよびアレイが構成される複数の形状のいずれかに依存する、複数の紫外線放射デバイスを選択的に制御するように構成されてもよい。プロセッサの全ての実施形態は、随意に、他の紫外線放射デバイスのうちの１つまたはそれを上回るものの電源が切られている間に、紫外線放射デバイスのサブセットの電源を入れるように、または標的面積内の紫外線暴露を測定するように構成される１つまたはそれを上回るセンサから信号を受信するように、もしくは（ａ）標的面積内のアイテムおよび（ｂ）標的面積の物理的場所のうちの少なくとも１つ、またはその中の任意の組み合わせを識別するように構成されるセンサから少なくとも１つの信号を受信するように、構成されてもよい。プロセッサはさらに、少なくとも１つのＲＦＩＤタグに基づいて発生される、少なくとも１つの信号、または標的面積内のアイテム上および／または標的面積もしくは容積の物理的場所に配置されるであろう、Ｂｌｕｅｔｏｏｔｈ（登録商標）または無線通信を利用する、デカール、インジケータ、もしくはマーカを採用してもよい。さらなる実施形態では、プロセッサは、複数の下層プロセッサを含んでもよい。
【００９９】
図１９Ａ−１９Ｇは、本開示の少なくとも１つの実施例による、拡張可能および圧潰可能なアームを伴う紫外線放射デバイス１９００を図示する。図１９Ａ−１９Ｇは、並行して下記に議論される。紫外線放射デバイス１９００は、光源１９０４と、基部１９０６と、車輪１９０８とも称される、車輪１９０８ａ−１９０８ｄ（車輪１９０８ａ−１９０ｃのみが可視である）と、アーム１９１０ａ−１９１０ｄとを含み得る、構造１９０２を含むことができる。構造１９０２はまた、第１のレール１９１２ａ−１９１２ｄと、第２のレール１９１４ａ−１９１４ｄとを含むこともできる。アーム１９１０ａ−１９１０ｄはそれぞれ、ローラ１９１８ａ−１９１８ｄを有するブラケット１９１６を含むことができる（上部ローラ１９１８ａ−１９１８ｂのみが可視であり、底部ローラ１９１８ｃ−１９１８ｄは、上部ローラ１９１８ａ−１９１８ｂの下にあり得る）。ブラケット１９１６はそれぞれ、ヒンジ１９２０を含むことができる。アーム１９１０ａ−１９１０ｄはそれぞれ、リンク１９２２ａ−１９２２ｄと、リンク１９２４ａ−１９２４ｄとを、それぞれ含むことができる。アーム１９１０ａ−１９１０ｄはさらに、それぞれ、第２のブラケット１９２６ａ−１９２６ｄと、それぞれ、交差部材１９２８ａ−１９２８ｄとを含むことができる。また、図１９Ａ−１９Ｇには、中心軸Ａも示される。
【０１００】
構造１９０２は、標的空間内に位置付け可能であり、標的容積内の圧潰位置と拡張位置との間で移動可能である、剛性または半剛性構造であり得る。光源１９０４は、紫外線放射を放射するように構成される、電球または他のデバイス等の紫外線光源であり得る。光源１９０４は、下記にさらに詳細に議論されるように、圧潰位置と拡張位置との間の任意の位置で標的容積内に実質的に均一な照射において紫外線を放射するように、構造１９０２に接続されることができる。
【０１０１】
基部１９０６は、金属、繊維性材料、複合材料、プラスチック、それらの組み合わせ、または同等物のうちの１つまたはそれを上回るもの等の材料から成る、剛性または半剛性部材であり得る。基部１９０６は、標的容積内の構造１９０２および光源１９０４を支持するように構成されることができる。基部１９０６は、その幅および長さよりも比較的に大きい高さを有することができる。いくつかの実施例では、基部１９０６は、略長方形角柱の幾何学形状を有することができる。車輪１９０８は、紫外線放射デバイス１９００が標的容積内で転動することを可能にするように構成される、車輪、キャスタ、または同等物であり得る。
【０１０２】
それぞれ、アーム１９１０ａ−１９１０ｄ、第１のレール１９１２ａ−１９１２ｄ、第２のレール１９１４ａ−１９１４ｄ、ブラケット１９１６、ヒンジ１９２０、リンク１９２２ａ−１９２２ｄ、リンク１９２４ａ−１９２４ｄ、第２のブラケット１９２６ａ−１９２６ｄ、および交差部材１９２８ａ−１９２８ｄは、それぞれ、金属、プラスチック、発泡体、エラストマ、セラミック、複合材料、その組み合わせ、もしくは同等物のうちの１つまたはそれを上回るもの等の材料から成る、剛体または半剛体であり得る。
【０１０３】
アーム１９１０ａ−１９１０ｄは、それぞれ、第１のレール１９１２ａ−１９１２ｄおよび第２のレール１９１４ａ−１９１４ｄに解放可能に固着可能な移動可能アームまたは支持体であり得る。アーム１９１０ａ−１９１０ｄは、中心軸Ａを略横断して、それぞれ、第１のレール１９１２ａ−１９１２ｄおよび第２のレール１９１４ａ−１９１４ｄに沿って移動可能であり得る。アーム１９１０ａ−１９１０ｄは、拡張位置（基部１９０６から離れる）と圧潰位置（基部１９０６に隣接する）との間で移動可能であり得る。
【０１０４】
第１のレール１９１２ａ−１９１２ｄおよび第２のレール１９１４ａ−１９１４ｄはそれぞれ、基部１９０６に固着可能な長く比較的に薄い部材であり得、その上でアーム１９１０ａ−１９１０ｄを支持するように構成されることができる。第１のレール１９１２ａ−１９１２ｄおよび第２のレール１９１４ａ−１９１４ｄは、基部１９０６に解放可能に固着可能であり得、中心軸を略横断して基部１９０６の周辺の周囲に延在することができる。すなわち、第１のレール（１９１２ａ、１９１２ｂ、１９１２ｃ、および１９１２ｄ）の各構成要素は、基部１９０６の完全に周囲に延在するように、基部１９０６の片側に固着されることができる。他の実施例では、第１のレール１９１２は、より少ない部分を含むことができ、基部１９０６の完全に周囲に延在しなくてもよい。第２のレール１９１４ａ−１９１４ｄは、同様に構成されることができるが、それと略平行に第１のレール１９１２ａ−１９１２ｄから離間されることができる。いくつかの実施例では、構造１９０２は、第１のレール１９１２ａ−１９１２ｄまたは第２のレール１９１４ａ−１９１４ｄ、もしくはそれぞれの一部のみを含むことができる。
【０１０５】
ブラケット１９１６は、第１のアーム１９１０ａに接続可能な結合部材であり得るが、各アーム１９１０ａ−１９１０ｄは、ブラケットを含むことができる。ブラケット１９１６は、ヒンジ１９２０を介してアーム１９１０にヒンジ連結可能に結合されることができ、これは、第１のアーム１９１０ａが、ヒンジ１９２０、したがって、第１のレール１９１２ａおよび支持体１９０６を中心として回転することを可能にすることができる。ローラ１９１８ａ−１９１８ｄは、随意に、ブラケット１９１６に接続される軸受を含む、車輪または他の転動部材であり、ローラ１９１８ａ−１９１８ｄが第１のレール１９１２ａへの第１のアーム１９１０ａの重量（力）の伝達を支援し得るように、第１のレール１９１２ａと係合することができる。ローラ１９１８ａ−１９１８ｄはまた、ブラケット１９１６に対して回転し、ブラケットが、第１のレール１９１２ａに対して低摩擦様式で平行移動することを可能にし、第１のアーム１９１０ａが、第１のレール１９１２ａに対して、および支持体１９０６に対して平行移動することを可能にすることもできる。ブラケット１９１６は、それによって、アーム１９１０ａ−１９１０ｄが、それらの個別の第１のレール１９１２ａ−１９１２ｄ上の任意の位置まで平行移動されることを可能にすることができる。ブラケットは、４つのローラを有するものとして議論されるが、ブラケットは、１、２、３、５、６、７、８、９、１０個、または同等物のローラ等のより少ない、またはより多くのローラを含むことができる。第２のブラケット１９２６ａ−１９２６ｄは、同様に構成されるが、それぞれ、第２のレール１９１４ａ−１９１４ｄに接続可能であり得る。いくつかの実施例では、ブラケット１９１６および第２のブラケット１９２６は、交換可能であり得る。
【０１０６】
リンク１９２２ａ−１９２２ｄおよびリンク１９２４ａ−１９２４ｄは、それぞれ、ブラケット１９１６ａ−１９１６ｄおよびブラケット１９２６ａ−１９２６ｄに接続可能なリンケージの平行セットであり得る。リンク１９２２ａ−１９２２ｄおよびリンク１９２４ａ−１９２４ｄはそれぞれ、アーム１９１０ａ−１９１０ｄが、相互から独立して、それらの拡張位置と圧潰位置との間で移動することを可能にするように、相互にヒンジ連結可能に結合されることができる。いくつかの実施例では、リンク１９２２は、鋏リンケージ配列のうちの１つで相互に接続されることができる。図１９Ｅは、アーム１９１０ｂの移動を可能にするようにともに結合される、内側リンク１９３０ａ−１９３０ｎおよび外側リンク１９３２ａ−１９３２ｎを示す。リンク１９３０ａ−１９３０ｎおよび１９３２ａ−１９３２ｎの数は、所望の可動域を有するアームを作成するように、１、２、３、４、５、６、７、８、９、１０、１５、２０、または同等物等の任意の数であり得る。他の直線リンケージ配列が、他の実施例で使用されることができる。他の実施例では、非線形リンケージが、使用されることができる。交差部材１９２８ａ−１９２８ｄは、それぞれ、第１のブラケット１９１６ａ−１９１６ｄを、それぞれ、ブラケット１９２６ａ−１９２６ｄに接続する、バー、ロッド、または他の剛性部材であり得る。
【０１０７】
紫外線放射デバイス１９００はまた、コントローラ、ならびにセンサおよび／またはアクチュエータもしくはモータ等の基部または筐体１９０６内の１つまたはそれを上回る他の構成要素に接続される画面であり得る、ユーザインターフェース１９２５を含むこともできる。ユーザインターフェース１９２５は、図４４のコンピュータシステム４４００の構成要素のうちのいずれかまたは全て、特に、ディスプレイデバイス４４１０、入力デバイス４４１２、およびナビゲーションデバイス４４１４を含むことができる。動作時に、ユーザは、ユーザインターフェース１９２５を使用し、紫外線放射デバイス１９００の動作を制御することができる。
【０１０８】
図１９Ｃは、アーム１９１０がそれぞれ、その中で１つまたはそれを上回る光源１９０４ａ−１９０４ｎを保持するようにそれぞれ構成される、光源ホルダ１９２９ａ−１９２９ｎを含み得ることを示す、紫外線放射デバイス１９００の上面図を示す。光源ホルダ１９２９はそれぞれ、光源ホルダ１９２９、したがって、光源１９０４が、リンク１９２２および１９２４とともに移動するように、リンク１９２２および１９２４に接続され、それによって支持されることができる。光源ホルダ１９２９は、アーム１９１０ｄが圧潰位置と拡張位置との間で移動されるにつれて、例えば、アーム１９１０ｄのための複数の光源のうちの光源１９０４がそれぞれ、光源１９０４ａ−１９０４ｎのそれぞれに対して比例的に離間されるように、光源１９０４が各アーム１９１０に接続されるように、各アーム１９１０上に位置付けられることができる。アーム１９１０ｄの第１の複数の光源はまた、例えば、圧潰位置と拡張位置との間の任意の位置で標的容積内に実質的に均一な照射において紫外線を放射するように、比例的に離間されることもできる。すなわち、アーム１９１０ａの光源１９０４ａ−１９０４ｎはそれぞれ、アーム１９１０ａの各隣接光源から比例的に離間されることができる。光源１９０４ａ−１９０４ｎは、アーム１９１０ａの圧潰位置と拡張位置との間の任意の位置において、それらの比例的間隔を維持することができる。アーム１９１０はそれぞれ、そのアームの光源１９０４を比例的に離間するそのような能力を有することができる。アーム１９１０の間の光源は、アーム１９１０が、アーム１９１０を位置付け、標的容積内で均一な照射を達成するために要求に応じて遠くに（アームが十分に長い限り）延在し得る際に、標的容積のサイズおよび形状に応じて、比例的に離間されなくてもよい。いくつかの実施例では、アームの間の光源１９０４（例えば、１９０４ａおよび１９０４ｂ）の間の距離は、対称的に離間されることができ、いくつかの実施例では、光源１９０４は、非対称的に離間されることができる。
【０１０９】
動作時に、第１のレール１９１２および第２のレール１９１４が、基部１９０６に固着され、アーム１９１０がそれぞれ、レール１９１２および１９１４に接続された後、アームは、図１９Ｄに示されるように、基部１９０６から半径方向外向きに延在するように、ブラケット１９１６および１９２６において枢動されることができる。アーム１９１０はそれぞれ、レール１９１２および１９１４に沿って所望の位置まで平行移動されることができる。図１９Ｄは、レール１９１２および１９１４の右側のアーム１９１０のそれぞれを示し、図１９Ｅは、レール１９１２および１９１４のほぼ中央のアーム１９１０のそれぞれを示す。レール１９１２および１９１４に沿ってアーム１９１０を平行移動させる前または後に、アーム１９１０のうちの１つまたはそれを上回るものは、圧潰位置と拡張位置との間に位置付けられることができる。図１９Ａ−１９Ｅは、略圧潰位置でアームを示し、図１９Ｆ−１９Ｇは、略拡張位置でアームを示す。アーム１９１０は、圧潰位置と拡張位置との間の任意の位置に位置付けられることができる。
【０１１０】
図１９Ｆはまた、光源１９０４ａ−１９０４ｎが、標的容積の次元に関連する通りに、拡張位置で相互に対して均等に（または比例的に）離間され得る様子も示す。上記に議論されるように、光源ブラケット１９２９は、それとともに移動するようにリンク１９２２および１９２４に接続されることができる。図１９Ｆに示されるように、ブラケット１９２９は、各アーム１９１０の各光源１９０４に対して均等または比例的な間隔で光源１９０４を維持しながら、アーム１９１０が圧潰位置から延在位置まで平行移動するにつれて、基部１９０６から半径方向外向きに平行移動することができる。すなわち、図１９Ｆに示されるように、光源１９０４ａ−１９０４ｎは、（第１の）アーム１９１０ａ上で均等に離間されることができる。
【０１１１】
同様に、第２のアーム１９１０ｂは、第１のレール１９１２および第２のレール１９１４に解放可能に固着可能であり得、中心軸Ａを略横断して、かつ第１のアーム１９１０ａと略直交して、第１のレール１９１２に沿って移動可能であり得、第２のアーム１９１０ｂは、拡張位置と圧潰位置との間で移動可能であり得る。第２のアーム１９１０ｂは、第２のアームが圧潰位置と拡張位置との間で移動されるにつれて、光源１９０４がそれぞれ、光源１９０４のそれぞれに対して比例的に離間され得るように、それに接続された第２の複数の光源１９０４を有することができる。
【０１１２】
第３のアーム１９０４ｃおよび第４のアーム１９１０ｄは、同様に構成されることができる。例えば、第３のアーム１９１０ｃは、第１のレール１９１２および第２のレール１９１４に解放可能に固着可能であり得、中心軸Ａを略横断して、第１のアーム１９１０ａと略平行に、かつ第２のアーム１９１０ｂと略直交して、第１のレール１９１２に沿って移動可能であり得、第３のアーム１９１０ｃは、拡張位置と圧潰位置との間で移動可能であり得る。第３のアーム１９１０ｃは、第３のアームが圧潰位置と拡張位置との間で移動されるにつれて、光源１９０４がそれぞれ、光源１９０４のそれぞれに対して比例的に離間され得るように、第３のアーム１９１０ｃに接続された第３の複数の光源１９０４を有することができる。第４のアーム１９１０ｄは、第１のレール１９１２および第２のレール１９１４に解放可能に固着可能であり、中心軸Ａを略横断して、第１のアーム１９１０ａおよび第３のアーム１９１０ｃと略直交して、かつ第２のアーム１９１０ｂと略平行に、第１のレール１９１２に沿って移動可能であり得、第４のアーム１９１０ｄは、拡張位置と圧潰位置との間で移動可能であり得る。第４のアーム１９１０ｄは、第４のアーム１９１０ｄが圧潰位置と拡張位置との間で移動されるにつれて、光源１９０４がそれぞれ、光源１９０４のそれぞれに対して比例的に離間され得るように、第４のアーム１９１０ｄに接続された第４の複数の光源１９０４を有することができる。
【０１１３】
図２０Ａ−２０Ｇは、本開示の少なくとも１つの実施例による、拡張可能および圧潰可能なアームを伴う消毒デバイス２０００を図示する。消毒デバイス２０００は、基部２００６が、略円筒形であり、レール１９１２および１９１４が、円筒形に基部１９０６の円周の周囲に延在し得ることを除いて、消毒デバイス２０００の構造２００２が、上記に議論される消毒デバイス１９００と設計および動作において類似し得るという点で、図１９の消毒デバイス１９００と類似し得る。そのような構成は、アーム２０１０ａ−２０１０ｄが、円形運動において平行移動し、図２０Ａ−２０Ｄおよび２０Ｆに示されるように、基部２００６の周囲で実質的に均等に、または図２０Ｅおよび２０Ｇに示されるように、非対称的（不均等）に、離間されることを可能にすることができる。消毒デバイス２０００は、それによって、図２０Ｄに示されるような光源２００４ａ−２００４ｎの均等な分布、または図２０Ｅに示されるような非対称分布を提供することができ、これは、非定型または異常な形状を有する標的容積内の圧潰位置と拡張位置との間の任意の位置で、標的容積内に均一な照射を提供することに役立ち得る。
【０１１４】
図２１Ａ−２０Ｇは、本開示の少なくとも１つの実施例による、拡張可能および圧潰可能なアームを伴う消毒デバイス２１００を図示する。消毒デバイス２１００は、アーム２１１０ａ−２１１０ｄの格納を可能にし得る、コンパートメント２１０５ａ−２１０５ｄを伴う円形基部構造２１０６を含むことができる。アーム２１１０は、カバー２１１１と、ハンドル２１１３とを含むことができる。ハンドル２１１３は、拡張位置と圧潰位置との間でアーム２１１０を移動させるように動作可能であり得、カバー２１１１は、消毒デバイス２１００の格納および移送中に光源２１０４を保護することができる。
【０１１５】
図２１Ｄは、拡張位置でアーム２１１０のそれぞれの支持フレーム２１１５を示す。支持フレーム２１１５はそれぞれ、光源２１０４がそれぞれ、光源２１０４のそれぞれに対して実質的に比例的に離間されるように、区画２１１７ａ−２１１７ｎから成ることができる。アーム２１１０は、いくつかの実施例では、基部２１０６の周囲に均等に、他の実施例では、不均等または非対称的に、離間されることができる。１、２、３、４、５、６、７、８、９、１０本、または同等物のアーム２１１０が、存在し得る。
【０１１６】
支持フレーム２１１５の区画２１１７は、形状が長方形であり得るが、他の実施例では、他の形状であり得る。図２１Ｄおよび２１Ｅは、区画２１１７のそれぞれの寸法内で構造的に保持されている光源２１０４を示す。支持フレーム区画２１１７は、アーム２１１０が標的容積に適応するように拡張されるときに、光源２１０４によって生成されるエネルギー場が、幾何学形状、紫外線光源強度、および時間に基づいて比例的に、実質的に均等に分配されるように、事前設定された距離においてともにヒンジ連結されることができる。
【０１１７】
図２１Ｆは、区画２１１７ａ−２１１７ｎが動作し、代替アーム機構を使用して、アーム２１１０ａ−２１１０ｄが圧潰位置と拡張位置との間で移動することを可能にし得る様子を示す。すなわち、区画２１１７ａ−２１１７ｎは、アーム２１１０が略線形に拡張および圧潰することを可能にするように、各端部においてヒンジ連結可能に接続されることができる。いくつかの実施例では、基部２１０６は、移動を誘導し、アーム２１１０を支持するためのレール２１１９を含むことができる。本機能性は、アーム２１１０が、それが現場で適用されるであろう可変標的容積に比例的に適合することを可能にする。支持フレーム区画２１１７は、折畳し、ヒンジの周囲で旋回することができ、図１１Ｂのアームの示され、議論されるものに類似するアームの内向きおよび外向きの移動を提供することができる。
【０１１８】
図２２Ａ−２２Ｇは、本開示の少なくとも１つの実施例による、拡張可能および圧潰可能なアームを伴う消毒デバイス２２００を図示する。図２２Ａは、消毒デバイス２２００の斜視図を示す。図２２Ｂは、消毒デバイス２２００の側面図を示し、図２２Ｃは、上記に議論される他のものに類似する、基部構造２２０６を含み得る、消毒デバイス２２００の上面図を示す。消毒デバイス２２００は、アーム２２１０ａ−２２１０ｄと、フレーム支持区画２２４０ａ−２２４０ｄとを含むことができる。基部２２０６は、基部２２０６から独立して移動し得る、支持区画２２４０ａ−２２４０ｄのそれぞれとして、車輪またはキャスタを含むことができる。図２２Ｄは、アーム２２１０ａ−２２１０ｄが基部２２０６から離れた展開位置にある、消毒デバイス２２００の等角図を示し、図２２Ｅは、立面または側面図を示す。図２２Ｆは、アーム２２１０が基部２２０６から離れるように展開および回転され、圧潰または非延在位置にある、消毒デバイス２２００の上面図を示す。図２２Ｇは、延在位置にアーム２２１０を伴う消毒デバイス２２００の上面図を示す。
【０１１９】
小さい治療室または浴室のような小さい標的容積に関して、デバイスのための光サイクルは、図１９Ｃおよび図２２Ａ−２２Ｃに示されるように、アームが展開されていない状態で開始され、より大きい標的容積に関して、デバイスのアームおよび支持フレーム区画は、図２２Ｄ−２２Ｇに示されるように、展開および拡張されるであろうことに留意することが重要である。
支持フレーム区画に沿った拡張が、標的部屋および／または容積の寸法に相関するであろう一方で、同時に、紫外線光源は、アーム拡張機構を介してそれら自体を比例的に位置付け、対応する標的部屋ならびに／もしくは容積のための精密なエネルギーの光行列を構築するであろう。
【０１２０】
図２３Ａ−２３Ｂは、本開示の少なくとも１つの実施例による、レール展開機構２２４２を図示する。図２３Ａは、第１の部分２２４６と、第２の部分２２４８と、第３の部分２２５０とを含み得る、レール展開機構２２４２を示し、第１の部分は、伸縮様式で、その中に第２の部分２２４８および第３の部分２２５０を受容することができる。第１の部分２２４６は、構造または基部２２０６に固着されることができる。レール展開機構２２４２は、標的容積内の用途またはモデルのために必要とされる所望の全拡張距離に到達するために要求されるものと同じ数の部分を含むことができる。加えて、伸縮部材（部分２２４６−２２５０）は、ロック２２５２を含むことができる。図２３Ｂに示されるように、ロック２２５２はそれぞれ、部分２２４６を部分２２４８に固着し、その相対平行移動（伸縮）を防止するように、相互に螺合可能に固着され得る、ナット２２５４およびボルト２２５６を含むことができる。
【０１２１】
図２４Ａ−２４Ｆは、本開示の少なくとも１つの実施例による、拡張可能および圧潰可能なアームを伴う消毒デバイス２４００を図示する。消毒デバイス２４００は、光源２４０４ａ−２４０４ｎと、基部２４０６と、アーム２４１０ａ−２４１０ｄとを含むことができる。消毒デバイス２４００の基部２４０６は、略円筒形であるものとして示されるが、他の実施例では、直方体、長方形角柱、三角形角柱、または同等物等の他の形状であり得る。
【０１２２】
図２４Ａは、圧潰位置または近圧潰位置にアーム２４１０ａ−２４１０ｄを伴う消毒デバイス２４００の等角図を示し、図２４Ｂは、立面または側面図を示し、図２４Ｃは、上面図を示す。図２４Ｄは、延在位置におけるアーム２４１０の等角図を示し、２４Ｅは、立面または側面図を示す。図２４Ａ−２４Ｃは、圧潰位置または近圧潰位置で消毒デバイスを示し、図２４Ｄ−２４Ｅは、拡張位置を示す。
【０１２３】
図２４Ｆは、ブラケット２４２９ａ−２４２９ｎと、第１のリンク２４３０ａ−２４３０ｎと、第２のリンク２４３２ａ−２４３２ｎとを含み得る、アーム２４１０ａの集中図を示す。また、図２４Ｆには、光源２４０４ａ−２４０４ｎも示される。圧潰位置から拡張位置まで移動するときに、半径方向および垂直に延在するリンクを作成するように、第１のリンク２４３０は、ブラケット２４２９の第１の側面にヒンジ連結可能に結合されることができ、第２のリンク２４３２は、ブラケット２４２９の第２の側面にヒンジ連結可能に結合されることができる。例えば、第１のリンク２４３０ａの遠位端は、ブラケット２４２９ａの底部分にヒンジ連結可能に結合されることができ、第１のリンク２４３０ｂの近位端は、ブラケット２４２９ａの上部分に結合されることができ、第２のリンク２４３２ａの遠位端は、ブラケット２４２９ａの第２の側面上のブラケット２４２９ａの底部分にヒンジ連結可能に結合されることができ、第２のリンク２４３２ｂの近位端は、ブラケット２４２９ａの第２の側面の上部分に結合されることができる。そのような構成は、アーム２４１０が標的容積内に位置付けられるときに、光源２４０４が、標的容積の寸法および容積に相関して、紫外線を比例的に分配することを可能にする。光源２４０４ａ−２４０４ｎは、ブラケット２４２９を通して延在することができる。いくつかの実施例では、ブラケット２４２９は、１つを上回る光源を保持するように構成されることができる。ブラケット２４２９は、図２４Ｅおよび２４Ｆで見られるように、異なる位置で光源２４０４を保持し、拡張プロセスにおいて光源２４０４の間のつり合いを維持することができる。
【０１２４】
図２５Ａ−２５Ｊは、本開示の少なくとも１つの実施例による、プログラム論理を伴うモバイル紫外線デバイス２５０２を図示する。図２５Ａは、単一のモバイル紫外線デバイス２５０２の等角図を示し、図２５Ｂは、複数のモバイル紫外線デバイス２５０２ａ−２５０２ｎを含む、システム２５００の等角図を示し、図２５Ｃは、複数のモバイル紫外線デバイス２５０２ａ−２５０２ｎを含む、システム２５００の上面図を示す。モバイル紫外線デバイスはそれぞれ、基部２５０３と、光源２５０４と、結合器２５０６とを含むことができる。
【０１２５】
基部２５０３は、金属、プラスチック、発泡体、エラストマ、セラミック、複合材料、それらの組み合わせ、または同等物のうちの１つまたはそれを上回るもの等の剛性または半剛性材料から成る、筐体またはシェルを含むことができる。基部２５０３は、結合器２５０６に接続されることができ、結合器２５０６は、基部２５０３の上部分を通して延在することができる。基部２５０３はまた、標的容積の表面と係合可能であり得る、ドライバ（車輪またはトラック等）を収納するように定寸および成形されることもできる。基部２５０３はさらに、ドライバに接続され得る、モータを支持することができる。モータは、ドライバを動作させ、基部２５０３を表面に対して移動させ、標的容積内で基部を移動させるように制御可能であり得る。光源２５０４は、上記に議論されるものと一致し得、基部２５０３によって支持されることができる。基部２５０３はさらに、その中（図４４のシステム４４００等）にコントローラを含むことができ、コントローラは、（図４４のネットワークインターフェース４４２０を通して等）モータおよび光源と通信することができる。コントローラはまた、標的容積内に基部２５０３を位置付けるように動作可能であり得る。いくつかの実施例では、複数のモバイル紫外線デバイス２５０２ａ−２５０２は、複数のモバイル紫外線デバイスのライトがともに、標的容積内で実質的に均一な照射において紫外線を放射するように、光源２５０４ａ−２５０４ｎを動作させるように構成されることができる。モバイル紫外線デバイス２５０２のそのようなシステムは、精密なエネルギーを用いた光行列の所望の構造のために紫外線源２５０４ａ−２５０４ｎを拡張または展開するために、アーム、支持フレーム区画、レール、または剛性機械的フレームシステムを要求しない。代わりに、本モバイル紫外線デバイス２５０２は、種々のパラメータを使用して、デバイスの間の通信および標的容積内のデバイスの個々の移動を動作させることができる。
【０１２６】
図２５Ｄは、複数のモバイル紫外線デバイス２５０２ａ−２５０２ｎを含む、システム２５００の等角図を示し、図２５Ｅは、均一な光エネルギー行列を達成するように、標的容積内に所望に応じて任意のパターンで配列され得る、複数のモバイル紫外線デバイス２５０２ａ−２５０２ｎを含む、システム２５００の上面図を示す。モバイル紫外線デバイス２５０２ａ−２５０２ｎは、図２５Ｄおよび図２５Ｅでは、Ｘ字または十字構成で示される。
【０１２７】
モバイル紫外線デバイス２５０２ａ−２５０２ｎは、距離、他のモバイル紫外線デバイス２５０２ａ−２５０２ｎに相関する座標、事前プログラムされたコードを用いて精密なエネルギーの光エネルギーを構築する際にモバイル紫外線デバイス２５０２ａ−２５０２ｎの編成および定寸を補助する、インジケータまたはシンボルの視覚認識を検出し得る、基部２５０３および光源ホルダ内に組み込まれる、図２５では可視ではない、種々のセンサ（図４４の入力センサ４４１８等）、および／または標的化された部屋内で開始されたときに、多数の標的容積場に設置されるときの人工知能ならびに機械学習パラメータに関する二重入力および出力センサを含むことができる。
【０１２８】
モバイル紫外線デバイス２５０２ａ−２５０２ｎは、図２５Ｆ−２５Ｊに示されるように、標的容積５０内に展開されることができる。標的容積５０は、表面５２、５４、および５６を含むことができ、表面５２は、床であり得、表面５４および５６は、壁であり得る。標的容積は、より多いまたは少ない壁、他の実施例では、３、４、５、６、７、８、９、１０、または同等物等の壁を含むことができる。標的容積５０は、幅１メートル〜２０メートル×長さ１メートル〜２０メートル×高さ２メートル〜５メートル等の種々のサイズであり得る。いくつかの実施例では、標的容積５０は、幅および長さが１．５メートル〜８メートルであり得る。いくつかの実施例では、標的容積５０は、幅および長さが６メートル〜８メートルであり得る。
【０１２９】
いくつかの実施例の動作時に、システム２５００は、モバイル紫外線デバイス２５０２ａ−２５０２ｎのそれぞれと接触し得る、図４４のコンピュータシステム４４００等のマスタ制御デバイスを含むことができる。いくつかの実施例では、モバイル紫外線デバイス２５０２ａ−２５０２ｎは、相互と通信し、標的容積５０内で展開および編成することができる。展開プロセスの一実施例では、モバイル紫外線デバイス２５０２ａ−２５０２ｎは、標的容積の中に展開されることができ、それによって、モバイル紫外線デバイス２５０２ａ−２５０２ｎは、図２５Ｆに示されるように、標的容積内の１つの一般的な場所にある。
【０１３０】
本実施例では、標的容積５０は、モバイル紫外線デバイス２５０２ａ−２５０２ｎのコントローラのうちの１つまたはそれを上回るものによって、もしくはマスタコントローラによって作成される、インジケータのマップ６０を含むことができる。マップ６０は、近接性センサ、光センサ、ＲＦＩＤセンサ、ＮＦＣセンサ、または同等物のうちの１つまたはそれを上回るもの等の１つまたはそれを上回るセンサからのデータに基づいて、コントローラによって画定される座標であり得る、図２５Ｆでは「Ｘ」によって表される印６２ａ−６２ｎを含むことができる。コントローラは、複数のモバイル紫外線デバイスのそれぞれのコントローラと通信し、モバイル紫外線デバイス２５０２ａ−２５０２ｎ毎に目的地、モバイル紫外線デバイス２５０２ａ−２５０２ｎ毎に目的地の印６２ａ−６２ｎを作成するように構成されることができる。モバイル紫外線デバイス２５０２ａ−２５０２ｎの各個々のコントローラは、モータを動作させ、マップ６０およびモバイル紫外線デバイス２５０２ａ−２５０２ｎ毎の目的地６２ａ−６２ｎに基づいて、標的容積５０内で基部を移動させるように構成されることができる。いくつかの実施例では、標的容積５０は、物理的デカールまたはマーカであり得る、印６２ａ−６２ｎを含むことができる。
【０１３１】
図２５Ｇに示されるように、モバイル紫外線デバイス２５０２ａ−２５０２ｎの一部は、プログラムされたモータを介して、手動で、または自動様式で、移動することができる。移動している間に、モバイル紫外線デバイス２５０２ａ−２５０２ｎのセンサは、収集されたセンサデータに基づいて、寸法、座標、位置付け、および識別パラメータを生成し続けることができる。図２５Ｈに示されるように、モバイル紫外線デバイス２５０２ａ−２５０２ｎは、標的容積５０内のそれらの対応するマーカの中まで移動することができる。いったん定位置に来ると、光源２５０４は、標的容積内で紫外線を放射するように制御されることができる。例えば、モバイル紫外線デバイス２５０２ａ−２５０２ｎの複数の光源は、複数の光源の単一の動作サイクル内で標的容積内の生物の少なくとも９０％を死滅させるように、印６２ａ−６２ｎの上で標的容積５０内に位置付けられることができる。いくつかの実施例では、複数の光源の単一の動作サイクルは、２０分未満であり、標的容積内の全表面の実質的に均一な照射は、５０〜８００マイクロワット／平方センチメートルであり得、標的容積５０は、幅１．５〜８メートル×長さ１．５〜８メートル×高さ２〜５メートルの寸法を有する部屋である。動作のいくつかの実施例では、いくつかの表面上の照射は、均一行列内で４００〜２０００マイクロワット／平方センチメートルであり得る。いったん光サイクルが完了すると、モバイル紫外線デバイス２５０２ａ−２５０２ｎは、２５Ｆに示されるようなコンパクトな非展開構成で再編成することができる。
【０１３２】
いくつかの実施例では、標的容積５０は、図２５Ｉおよび２５Ｊに示されるように、１つまたはそれを上回る無生物、例えば、ベッド７０を含むことができる。そのような実施例では、モバイル紫外線デバイス２５０２ａ−２５０２ｎは、上記に議論されるステップを実施することができ、モバイル紫外線デバイス２５０２ａ−２５０２ｎは、標的容積５０内を占めるベッド７０等の無生物の体積および寸法を組み込むことができる。モバイル紫外線デバイス２５０２ａ−２５０２ｎは、精密なエネルギーを達成するであろう、基部と紫外線源との間の間隔および比例的距離に適応しながら、標的容積５０内にそれら自体を位置付けることができる。これはまた、図３３に示されるような消毒デバイスを用いて達成されることもできる。
【０１３３】
いくつかの実施例では、メッセージングおよびソフトウェアパラメータが、複数の近接性、寸法、および座標センサによって捕捉され、算出され、標的容積または部屋の可変寸法上に電球を分配することによって、精密なエネルギーを伴う光行列の構築に関する着目パラメータを取り込んでいる、コントローラによって確立されることができる。
【０１３４】
いくつかの実施例では、システム２５００は、モバイル紫外線デバイス２５０２ａ−２５０２ｎのコントローラと通信し得る、遠隔コントローラ（コンピュータシステム４０００等）を含むことができる。遠隔コントローラは、所望に応じて、標的容積５０内で個々のモバイル紫外線デバイスを選択的に移動させるように動作可能であり得る。
【０１３５】
図２６Ａ−２６Ｉは、本開示の少なくとも１つの実施例による、消毒デバイスの結合機構を伴う、紫外線源を含有する取外可能および取付可能なレールを図示する。
【０１３６】
消毒デバイス２６００は、図２６Ａ−２６Ｉに示されるように、フレーム部材２６０２ａ内に紫外線源２６０４を収納する、フレーム部材２６０２ａを含むことができる。フレーム部材２６０２は、個別のキャスタ２６０９ａ−２６０９ｂを含み得る、基部または脚部２６０８ａ−２６０８ｂによって支持されることができる。図２６Ｅに示されるようなアーム２６１０ａは、フレーム部材２６０２が必要に応じて追加され得る、図２６Ａ−２６Ｄの基部構造から独立して構築されることができる。フレーム部材２６０２は、所望の長さにおいてアーム２６１０を作成するように、図２６Ｃおよび２６Ｄで見られるように、フレーム部材をともに結合することによって、展開および拡張されることができる。アーム２６１０ａ−２６１０ｄは、圧潰構成で図２６Ｅおよび２６Ｆに、および拡張構成で図２６Ｇ、２６Ｈ、ならびに２６Ｉに示されるように、基部２６１２（随意に、キャスタまたは車輪２６１４を含み得る）によって、ともに結合されることができる。
【０１３７】
図２７Ａ−２７Ｆは、本開示の少なくとも１つの実施例による、拡張可能リング構造を伴う消毒デバイスを図示する。図２７Ａは、基部２７０６（コンパートメント２７０８とも称される、チャネル２７０８ａ−２７０８ｄを含む）を含み得る、消毒デバイス２７００の斜視図を示し、図２７Ａは、立面図を示し、図２７Ｃは、上面図を示す。消毒デバイス２７００は、それらの個別のチャネル２７０８ａ−２７０８ｄの中に圧潰可能であり、そこから拡張可能である、アーム２７１０ａ−２７１０ｄを含むことができる。アーム２７１０ａ−２７１０ｄはそれぞれ、いくつかの実施例では円筒形であり得る、基部２７０６の外周に共形化するように定寸および成形される、弓状ハンドル２７１２を含むことができる。いくつかの実施例では、アーム２７１０ａ−２７１０ｄは、１つのハンドル２７１２を半径方向外向きに引動することが、半径方向外向きに基部２７０６のチャネル２７０８ａ−２７０８ｄから延在構成へのアーム２７１０ａ−２７１０ｄの全ての移動を引き起こし得、設定および梱包時間を節約することに役立ち得るように、機械的に接続されることができる。
【０１３８】
図２８は、本開示の少なくとも１つの実施例による、伸縮支持構造を伴う水平拡張可能トラックを伴う消毒デバイス２８００を図示する。消毒デバイス２８００は、いくつかの実施例では、車輪２８０９を有する基部２８０６を含むことができる。消毒デバイス２８００は、モータまたはユーザが、それらの個別のアーム２８１０ａ−２８１０ｄを拡張および圧潰することを可能にし得る、リンケージ２８１４ａ−２８１４ｎを含む、アーム２８１０ａ−２８１０ｄを含むことができる。アーム２８１０ａ−２８１０ｄはそれぞれ、延在位置でアーム２８１０ａ−２８１０ｄを支持するための基部２８１２を含むことができる。
【０１３９】
図２９は、本開示の少なくとも１つの実施例による、張力ロッド延在機構を伴う消毒デバイス２９００を図示する。
【０１４０】
図３０は、本開示の少なくとも１つの実施例による、圧縮区画レール機構を伴う消毒デバイス３０００を図示する。消毒デバイス３０００は、ドレープまたはランプが、いくつかの実施例では伸縮式であり得、他の実施例では分解し得る、ロッドによって支持され得ることを除いて、消毒デバイス２８００に類似し得る。さらに、消毒デバイス３０００のアームは、基部から、および相互から分離可能であり得る、スタンドを有する、基部を含むことができる。
【０１４１】
図３１Ａは、本開示の少なくとも１つの実施例による、周辺幾何学形状多重基部機構を伴う消毒デバイス３１００の斜視図を図示する。図３１Ａは、圧潰位置デバイス３１００を示し、図３２Ｂは、拡張位置デバイス３１００を示す。消毒デバイス３１００は、床５２と、壁５４および５６とを有する、標的容積５０内で、車輪またはキャスタ３１０９を介して分離可能および移動可能であり得る、基部３１０６ａおよび３１０６ｂを含むことができる。消毒デバイス３１００は、標的容積内の光源３１０４（アーム３１１０に接続される）の比例的分布のために、容積５０の周囲の周辺を形成し得る、アーム３１１０ａを含むことができる。
【０１４２】
図３１Ｃは、リンク３１２０および３１２２と、ドレープ３１２４ａ−３１２４ｎと、カラー３１２６とを含み得る、アーム３１１０ａの立面図を示す。ドレープ３１２４ａ−３１２４ｎはそれぞれ、光源３１０４を含むことができる。リンク３１２０および３１２２は、比較的に折畳または圧潰し、延在位置と圧潰位置との間でアーム３１１０ａを移動するように、ヒンジ連結可能に結合されることができる。図３１Ｃは、カラー３１２６が、リンク３１２２上に引っ掛かり得、標的容積内でアーム３１１０ａ上に位置付けられるようにその上で摺動または平行移動し、標的容積５０内で実質的に均一な照射を放射し得る様子を示す、アーム３１１０ａの側面図を示す。
【０１４３】
図３１Ｄは、その上で光源３１０４を支持し得る、リンク３１３０−３１３８（トラックをそれぞれ含む）および結合器３１４０を含み得る、アーム３１１０ａの立面図を示す。リンク３１３０は、折畳および折畳解除し、標的容積５０内の拡張位置と圧潰位置位置との間で移動することができる。図３１Ｄは、結合器３１４０が、リンク３１３０−３１３８のためのレールまたはトラック上に引っ掛かり得、その上で摺動または平行移動し得る様子を示す、アーム３１１０ａの側面図を示す。図３１Ｅはまた、リンク３１３０−３１３８が折畳し、相互の上で積層し得る様子も示す。
【０１４４】
図３２Ａ−３２Ｃは、本開示の少なくとも１つの実施例による、周辺幾何学形状機構を伴う消毒デバイス３２００を図示する。消毒デバイス３２００は、標的容積内に位置付け可能な基部３２０６およびアーム３２１０ａを含むことができる。図３２Ａは、圧潰位置で標的容積内に位置付けられた消毒デバイス３２００の斜視図を示す。図３２Ｂは、標的容積（壁等）の周辺の近傍で標的容積内の延在位置にアーム３２１０ａ−３２１０ｄを伴う消毒デバイス３２００の斜視図を示す。いくつかの実施例では、基部３２０６は、標的容積内で実質的に均一な照射を放射することに役立つための１つまたはそれを上回る光源を含むことができる。
【０１４５】
図３２Ｃは、上記に議論されるものに類似する鋏リンケージ配列等のリンクによって圧潰位置と拡張位置との間で移動され得る、電球分布機構を図示する、消毒デバイス３２００のアームの集中図を示す。図３３Ａ−３３Ｇは、本開示の少なくとも１つの実施例による、展開アーム３３１０を伴う拡張可能基部構造３３０６を伴う消毒デバイス３３００を図示する。アーム３３１０は、上記に議論されるものと同様に伸縮式であり得、構造３３０６は、展開アーム３３１０とともに、圧潰位置と拡張位置との間でアーム３３１０を移動させ、複数の光源３３０４（図３３Ｄに示される）から標的容積内で実質的に均一な照射を放射するように構成される、複数のリンクまたはリンケージを含むことができる。図３３Ｆに示されるように、構造３３０６の天蓋送達システムは、部屋の標的容積の中心にベッドまたはテーブルを収容するように上向きに拡張され得る、中心基部構造を含むことができる。
【０１４６】
図３４は、本開示の少なくとも１つの実施例による、部屋内の点光源エネルギー体積基準を図示する。グラフ３４００は、点光源（集中紫外線光源または単一の紫外線源）が標的容積３４０２の略中心に位置付けられる、部屋３４０２または標的容積３４０２を表すことができる。点光源の照射３４０４は、照射がグラフ３４００の垂直軸に沿って増加する、位相メッシュによって表される。グラフ３４００によって示されるように、照射は、中心３４０８の近傍で急上昇し、周辺３４０６の近傍でほぼゼロまで減少し、これは、逆二乗の法則によって以前に説明されている。
【０１４７】
図３５は、本開示の少なくとも１つの実施例による、前述で議論された種々の消毒デバイスによって達成される、部屋３５０２内のエネルギー体積の均一な行列３５０４のグラフ表現３５００を図示する。図３５は、容積３５０２が患者の部屋であり得る、標的容積３５０２内で所定のエネルギーまたは紫外線強度を用いて均一な光行列を放射するように構成される、消毒デバイスのための光強度の分布の抽象的実施例を図示する。そのようなデバイスは、逆二乗の法則を克服し、図３５で立方体として完全な抽象的斜視図で描写されるように、実質的に完全に空間の容積３５０２を充填することができる。
【０１４８】
図３６Ａ−３６Ｂは、本開示の少なくとも１つの実施例による、標的容積内の中心源の照射を図示する。図３６Ａは、照射がグラフの垂直軸に沿って増加する、位相メッシュによって表される、点光源の照射の斜視図を示す。図３６Ｂは、グラフの上面図を示す。同様に、図３７Ａ−３７Ｂは、本開示の少なくとも１つの実施例による、標的容積内の２つの源の照射を図示し、図３７Ａは、照射がグラフの垂直軸に沿って増加する、位相メッシュによって表される、２つの点光源の照射の斜視図を示し、図３７Ｂは、上面図を示す。図３８Ａ−３８Ｂは、本開示の少なくとも１つの実施例による、標的容積内の３つの源の照射を図示し、図３８Ａは、照射がグラフの垂直軸に沿って増加する、位相メッシュによって表される、３つの点光源の照射の斜視図を示し、図３８Ｂは、上面図を示す。
【０１４９】
図３６Ａ−３８Ｂは、図３４に関して上記に議論されるように、照射が距離とともに減少する、単一源（または紫外線源の集合体）である、従来技術のうちのいくつかの点光源デバイスを表す。逆に、上記に議論される本開示のデバイスの照射は、照射が垂直軸に沿って増加する、位相メッシュの３次元光行列として図３９Ａおよび３９Ｂに表される。
【０１５０】
図３９Ａおよび３９Ｂに示されるように、実質的に均一な光エネルギーが、容積の全体を通して生成されることができる。図３９Ａは、デバイスが、図１９Ａ−３９Ｇで以前に議論された異なる実施形態のうちのいずれか１つである、観察されるようにデバイスによって生成される照射の側面図を示し、図３９Ｂは、上面図を示す。照射（ｚ軸）は、最大照射の１００％に正規化されている。図３９Ａおよび３９Ｂのｘ軸は、壁に沿った増分を表す、１００増分を示し、ｙ軸は、隣接する壁に沿って１００増分を示す。
【０１５１】
同一のワット数が、異なる構成で図３６−３９のグラフの照射のそれぞれを生成するために使用された。図３６Ａ−３６Ｂの単一点光源に関して、合計２８２ワットが、部屋の中心における１つの源によって表される。図３７Ａ−３７Ｂの二重点光源に関して、それぞれ１４１ワットの２つの場所が、部屋の中心に位置する２つの源によって表される。図３８Ａ−３８Ｂの三重点光源に関して、それぞれ９４ワットの３つの場所が、部屋の中心に位置する３つの源によって表される。本明細書の開示の説明されるデバイスの実施形態を表す、図３９Ａ−３９Ｂに関して、２０個のランプが、部屋を横断して「ｘ」形態を形成するように拡張され、本デバイスは、電球または光源あたり１４．１ワットのワット数をそれぞれ伴って、アームあたり５つの電球を含んだ。図３９Ａ−３９Ｂに示されるように、実質的に均一な照射が、図３６Ａ−３８Ｂに示される種々の点光源実施例と比較して、部屋内で達成される。
【０１５２】
図４０Ａ−４０Ｄは、本開示の少なくとも１つの実施例による、本明細書に議論されるシステム上で実施される実験からの実験設定および消毒データを図示する。より具体的には、図４０Ａ−４０Ｄは、４．５７メートル×４．５７メートルの部屋内の均一な紫外線エネルギー行列の８点多面評価の間に受ける細菌生存の微生物学的試験およびそこからの結果を図示する。
【０１５３】
図４０Ａは、試験設定の上面図を示し、図４０Ｂは、試験設定の斜視図を示す。インジケータＰ１−Ｐ４は、壁試験サンプル場所を表し、インジケータＰ５−Ｐ８は、床試験サンプル場所を示し、矢印は、複数の光源から放射される紫外光線を表す。図４０Ａおよび４０Ｂの実験では、細菌の定量的培養皿を伴う汚染場が、Ｐ１−Ｐ８とマークされたボックスのそれぞれの内側に設置される。各区分は、時点０、１５、３０、６０、９０、および１８０秒において紫外線エネルギーに暴露される時点あたりの３枚の培養皿（細菌毎に１枚）を表す。０時点は、対照として使用される。各皿の上で成長するコロニーの数が、計数され、時間の関数としてプロットされた。以下の病原体のそれぞれの単離株、すなわち、１）多剤耐性緑膿菌、２）カルバペネム耐性肺炎桿菌、および３）カンジダ・アウリス（Ｃ．ａｕｒｉｓ）が、研究された。
【０１５４】
接種材料が、以下のように調製され、定量的培養試験のための接種材料が、細菌に関して５％ヒツジ血液皿および真菌に関してポテトデキストロース皿上で、３７℃において２４時間にわたって単離株を成長させることによって調製された。細菌に関して、４〜５個のコロニーが、ループを用いて新鮮な培養物（ヒツジ血液寒天培地）から採取され、３ｍｌの生理食塩水の中に懸濁された。次いで、懸濁液の濁度が、６００ｎｍにおいて分光光度計を用いてチェックされ、０．５任意単位の原懸濁液を取得するように、それに応じてさらに希釈された。緑膿菌に関して、以前の計算によると、０．５任意単位＠６００ナノメートルは、１×１０ｅ９コロニー形成単位／ミリリットル（ＣＦＵ／ｍｌ）に等しい。懸濁液は、次いで、１×１０ｅ４接種材料を達成するように連続的に希釈された（５×１：１０）。肺炎桿菌に関して、０．５任意単位＠６００ｎｍは、１×１０ｅ８ＣＦＵ／ｍｌと計算された。１×１０ｅ４接種材料を取得するために、懸濁液は、連続的に希釈された（４×１：１０）。カンジダ・アウリス接種材料は、標準方法に従って調製された。Ｃ．ａｕｒｉｓの約４〜５個のコロニーが、新鮮な培養物からループを用いて採取され、３ｍｌの生理食塩水の中に懸濁された。懸濁液は、分光光度計を使用して、５３０ｎｍにおいて濁度に関してチェックされた。これは、次いで、０．１１９〜０．１４０（０．５マクファーランド標準）の要求される吸光度単位を得るように希釈された。これは、１×１０ｅ６〜５×１０ｅ６ＣＦＵ／ｍｌの酵母原懸濁液を生じさせた。原懸濁液は、次いで、生理食塩水を用いて１：１００にさらに希釈された。これは、１×１０ｅ４〜５×１０ｅ４ＣＦＵ／ｍｌの最終接種材料濃度をもたらした。皿は、次いで、標識され、０．１ｍｌの接種材料を接種され、紫外線エネルギー場内に設置され、所与の標識時間にわたって紫外線エネルギーに暴露され、次いで、２４時間にわたって３７℃において培養された。所与の皿の上のコロニーの数が、次いで、計数され、記録され、平均が、時点および場所毎に計算された。
【０１５５】
実験は、所与の種に関して３通りに実行された。値は、平均±平均標準誤差（ＳＥＭ）として表される。全ての治療群が、分散分析（ＡＮＯＶＡ）によって非暴露対照群に対して比較された。＜０．０５の両側Ｐ値が、統計的に有意と見なされる。
【０１５６】
実験の結果は、壁サンプルに関しては図４０Ｃ、床サンプルに関しては図４０ｄに要約される。図４０Ｃおよび図４０Ｄ内のゼロは、生物が皿から完全に一掃される、暴露の時間を表す。図４０Ｃ−４０Ｄに示されるデータは、各対称位置に１つである、全てのサンプルからの平均を表す。細菌毎に６枚の対照皿が存在した。
【０１５７】
図４１Ａ−４１Ｂは、本開示の少なくとも１つの実施例による、本明細書に議論されるシステムの実験の照射データの結果を図示する。より具体的には、図４１Ａ−４１Ｂは、紫外線エネルギーが、４．５７メートル×４．５７メートルの部屋内の例示的実施形態の周囲の種々の距離および場所における測光センサを用いて記録された、実験の結果を示す。読取値は、経時的にマイクロワット／センチメートルの２乗（ｕＷ／ｃｍ＾２）で記録された。
【０１５８】
図４１Ａ−４１Ｂは、それぞれ、以下の測定を記録するために使用される試験設定を表す、壁および床上の光センサ読取値の位置を示す。これらの表現では、光度計の場所および方向は両方とも、矢印の方向によって示される。２つの計測器、すなわち、５秒毎に経時的にデータを収集するＩＬＴ２４００計測器、および具体的位置において単一読取値をとるＧｅｎｅｒａｌ  ＵＶ５１２Ｃ計測器が、データを収集するために使用された。図４１Ａに示される位置は両方とも、部屋の中心から２２８．６センチメートルの距離にあり、床から６４．８センチメートルの高さ（下側センサ、Ｂ）および床から１２９．５ｃｍの高さ（上側センサ、Ａ）にある。１つのセンサは、ＡおよびＢによって示されるように、各高さにおいて壁１−４のそれぞれの上に設置される。図４１Ｂに示される位置は両方とも、０ｃｍの高さにあり、部屋の中心から１５０．８センチメートルの距離（内側センサ、Ｄ）および部屋の中心から１８９．７センチメートルの距離（外側センサ、Ｃ）にある。図４１Ａ−４１Ｂは両方とも、Ｘ字構成で部屋内に配列された光源を示す。
【０１５９】
図４１Ｃは、壁上の測光読取値の概要である、表１を示す。図４１Ｄは、床上の測光読取値の概要である、表２を示す。ＩＬＴ計測器およびＧｅｎｅｒａｌ光度計の両方からのデータセットが、表示される。これらの表は両方とも、ＩＬＴ計測器を使用した、各位置において２分の時間にわたる５秒毎の光度計読取値を示す。これらの値は、表の一番下で平均化される。図４１Ｅは、経時的な壁の場所Ａにおける４つの側面の平均照射、および経時的な床の場所Ｄにおける４つの側面の平均照射を示す、壁および床の両方に関する経時的な照射のプロファイルを示す。図４１Ｅは、経時的な例示的実施形態の周囲の異なる場所および位置における一貫した均一なエネルギー行列を実証する。
【０１６０】
図４２Ａ−４２Ｃは、本開示の少なくとも１つの実施例による、それぞれ、標的容積内の光源配列４２００Ａ、４２００Ｂ、および４２００Ｃを図示する。図４２Ａ−４２Ｃは、可変サイズの部屋および／または標的容積に関連して紫外線源のつり合いを描写する。
【０１６１】
配列４２Ａは、光源４２０４がそれぞれ、距離Ｄ１において線形に離間され得、各ラインの遠位源が、Ｄ２の距離において離間される、標的容積４２０２Ａ内の比較的にコンパクトな配列における光源４２０４を示す。図４２Ｂは、光源４２０４がそれぞれ、Ｄ１を上回る距離Ｄ３において線形に離間され得、各ラインの遠位源が、Ｄ２を上回るＤ４の距離において離間される、配列４２００Ｂの光源４２０４を示す。標的容積４２０２Ａおよび４２０２Ｂの両方の内側の光源４２０４の間隔のつり合いは、上記の図に議論される本開示の消毒デバイスのうちのいずれかによって維持されることができる。さらに、図４２Ｃは、光源４２０４がそれぞれ、Ｄ１を上回り、Ｄ３よりも小さい距離Ｄ５において線形に離間され得、各ラインの遠位源が、Ｄ２を上回り、Ｄ４よりも小さいＤ６の距離において離間される、配列４２００Ｃの光源４２０４を示す。標的容積４２０２Ａ−４２００Ｃの両方の内側の光源４２０４の間隔のつり合いは、上記の図に議論される本開示の消毒デバイスのうちのいずれかによって維持されることができる。
【０１６２】
図４３Ａ−４３Ｆは、本開示の少なくとも１つの実施例による、標的容積内の光源間隔配列を図示する。図４３Ａは、３０４．８センチメートルのＤ３×３０４．８センチメートルのＤ４の寸法を有する、標的容積４３０２を示す。そのような実施例では、消毒デバイスは、光源４３０４が、アーム毎に約３５．３センチメートルの幅および２５．３センチメートルの高さＤ１において比例的に離間され、各アームからの半径方向に内向きの殆どの光源が、５０．６センチメートルの距離Ｄ２によって、隣接するアームからの半径方向に内向きの殆どの光源から離間され得る、拡張構成で、標的容積または部屋４３０２内に位置付けられることができる。そのような配列は、標的容積４３０２を通して実質的に均一な照射を達成し得る、光源４３０４の比例的間隔の一実施例である。図４３Ｂ−４３Ｆは、図４３Ｂ−４３Ｆの各実施例が、標的容積４３０２を通して実質的に均一な照射を達成し得る、光源４３０４の比例的間隔を提供し得る、標的容積４３０２内の光源４３０４の間隔のさらなる実施例を示す。
【０１６３】
図４４は、以前の技術のうちのいずれか１つまたはそれを上回るものが実施または促進され得る、例示的コンピュータシステムマシンを図示する、ブロック図である。コンピュータシステム４４００は、具体的には、上記に議論される衛生化および消毒デバイスのコントローラの動作を促進することに関連して使用されてもよい。例えば、コンピュータシステム４４００は、モバイル紫外線デバイス２５０２用、および／またはモバイル紫外線デバイス２５０２と通信するように構成されるマスタコントローラ用、ならびに／もしくは紫外線デバイス２５０２と通信するように構成される遠隔コントローラ用のコントローラであり得る。コンピュータシステム４４００はまた、紫外線放射デバイス１９００等の上記に議論される紫外線を放射するように構成されるデバイスのうちのいずれかで採用されることもでき、コンピュータシステム４４００は、アーム１９１０を移動させるように動作可能である、モータ等の１つまたはそれを上回るデバイスを制御することができ、光源１９０４の電力出力を制御するための１つまたはそれを上回るデバイスを含むことができる。コンピュータシステム４４００はさらに、上記または下記に議論される任意のコントローラ内に含まれることができる。コンピュータシステム４４００はまた、テキストおよび／またはマルチメディアメッセージのような信号を第三者モバイルデバイスコンピュータに送信し、そこから受信し、紫外線デバイスのうちのいずれかのステータス、ならびに光サイクルの動作が開始される点および光サイクルの動作が完了または終了される点についての命令を提供することができる。加えて、信号は、経時的に開始される単一またはいくつかの光サイクルの中止の成功を通信することができる。
【０１６４】
代替実施形態では、マシンは、独立型デバイスとして動作する、または他のマシンと接続（例えば、ネットワーク化）されてもよい。ネットワーク化展開では、マシンは、サーバ−クライアントネットワーク環境内でサーバまたはクライアントのいずれかの容量で動作してもよい、もしくはピアツーピア（または分散型）ネットワーク環境内でピアツーピアマシンとして作用してもよい。マシンは、パーソナルコンピュータ（ＰＣ）、タブレットＰＣ、スマートフォン、ウェブアプライアンス、またはそのマシンによって講じられるべきアクションを規定する命令（順次または別様に）を実行することが可能な任意のマシンであってもよい。さらに、単一のマシンのみが図示されるが、用語「マシン」はまた、本明細書に議論される方法論のうちのいずれか１つまたはそれを上回るものを実施する命令のセット（または複数のセット）を個別に、または合同で実行する、マシンの任意の集合を含むと解釈されるものとする。
【０１６５】
例示的コンピュータシステム４４００は、リンク１１０８（例えば、インターリンク、バス等）を介して相互と通信する、プロセッサ４４０２（例えば、中央処理ユニット（ＣＰＵ）、グラフィックス処理ユニット（ＧＰＵ）、または両方）と、メインメモリ４４０４と、スタティックメモリ４４０６とを含む。コンピュータシステム４４００はさらに、ビデオディスプレイユニット４４１０、英数字入力デバイス４４１２（例えば、キーボード）と、ユーザインターフェース（ＵＩ）ナビゲーションデバイス４４１４（例えば、マウス）とを含んでもよい。実施例では、ビデオディスプレイユニット４４１０、入力デバイス４４１２、およびＵＩナビゲーションデバイス４４１４は、タッチスクリーンディスプレイである。コンピュータシステム４４００は、加えて、有線または無線通信ハードウェアを使用して、通信ネットワーク４４２６と動作可能に通信し得る、記憶デバイス４４１６（例えば、ドライブユニット）と、信号発生デバイス４４１８（例えば、スピーカ）と、ネットワークインターフェースデバイス４４２０とを含んでもよい。コンピュータシステム４４００はさらに、入力認識および検出技法に従って入力（非接触の人間による入力を含む）を取得するように構成される、１つまたはそれを上回る入力センサ４４２８を含んでもよい。入力センサ４４２８は、カメラ、マイクロホン、バーコードリーダ、ＲＦＩＤリーダ、近距離通信リーダ、近接性センサ、光センサ、または入力の目的のためにデータを生成する他のセンサを含んでもよい。コンピュータシステム４４００はさらに、１つまたはそれを上回る周辺デバイス（例えば、プリンタ、カードリーダ等）と通信する、もしくはそれを制御するための直列（例えば、ユニバーサルシリアルバス（ＵＳＢ））、並列、または他の有線もしくは無線（例えば、赤外線（ＩＲ））接続等の出力コントローラ４４３０を含んでもよい。
【０１６６】
記憶デバイス４４１６は、本明細書に説明される方法論または機能のうちのいずれか１つまたはそれを上回るものを具現化する、もしくはそれによって利用される、データ構造または命令４４２４（例えば、ソフトウェア）の１つまたはそれを上回るセットが記憶される、機械可読媒体４４２２を含んでもよい。命令４４２４はまた、コンピュータシステム４４００によるその実行中に、完全に、または少なくとも部分的に、メインメモリ４４０４内、スタティックメモリ４４０６内、および／またはプロセッサ１１０２内に常駐してもよく、メインメモリ４４０４、スタティックメモリ４４０６、およびプロセッサ４４０２はまた、機械可読媒体を構成する。
【０１６７】
機械可読媒体４４２２は、単一の媒体であるように例示的実施形態に図示されるが、用語「機械可読媒体」は、１つまたはそれを上回る命令４４２４を記憶する、単一の媒体または複数の媒体（例えば、集中型もしくは分散型データベース、および／または関連付けられるキャッシュならびにサーバ）を含んでもよい。用語「機械可読媒体」はまた、コンピュータシステム４４００による実行のために命令を記憶、エンコード、または搬送することが可能であり、コンピュータシステム４４００に本開示の方法論のうちのいずれか１つまたはそれを上回るものを実行させる、またはそのような命令によって利用される、もしくはそれと関連付けられる、データ構造を記憶、エンコード、または搬送することが可能である、任意の有形媒体（例えば、非一過性の媒体）を含むと解釈されるものとする。用語「機械可読媒体」は、故に、限定ではないが、ソリッドステートメモリ、および光学ならびに磁気媒体を含むと解釈されるものとする。機械可読媒体の具体的実施例は、一例として、半導体メモリデバイス（例えば、電気的消去可能読取専用メモリ（ＥＰＲＯＭ）、電気的消去可能プログラマブル読取専用メモリ（ＥＥＰＲＯＭ））、およびフラッシュメモリデバイスを含む、不揮発性メモリ、内部ハードディスクおよびリムーバブルディスク等の磁気ディスク、光磁気ディスク、ならびにＣＤ−ＲＯＭおよびＤＶＤ−ＲＯＭディスクを含む。
【０１６８】
命令４４２４はさらに、いくつかの周知の転送プロトコル（例えば、フレームリレー、インターネットプロトコル（ＩＰ）、伝送制御プロトコル（ＴＣＰ）、ユーザデータグラムプロトコル（ＵＤＰ）、ハイパーテキスト転送プロトコル（ＨＴＴＰ））のうちのいずれか１つを利用する、ネットワークインターフェースデバイス４４２０を介して、伝送媒体を使用して通信ネットワーク４４２６を経由して伝送または受信されてもよい。通信ネットワークの実施例は、ローカルエリアネットワーク（ＬＡＮ）、ワイドエリアネットワーク（ＷＡＮ）、インターネット、携帯電話ネットワーク、旧来の電話（ＰＯＴＳ）ネットワーク、および無線データネットワーク（例えば、Ｗｉ−Ｆｉ、３Ｇ、および４Ｇ  ＬＴＥ／ＬＴＥ−Ａまたは５Ｇネットワーク）を含む。用語「伝送媒体」は、コンピューティングシステム４４００による実行のために命令を記憶、エンコード、または搬送することが可能である、任意の無形媒体を含むと解釈されるものとし、デジタルまたはアナログ通信信号、もしくはそのようなソフトウェアの通信を促進するための他の無形媒体を含む。
【０１６９】
付加的実施例として、本明細書に説明されるコンピューティング実施形態は、ハードウェア、ファームウェア、およびソフトウェアのうちの１つ、またはそれらの組み合わせで実装されてもよい。実施形態はまた、本明細書に説明される動作を実施するように少なくとも１つのプロセッサによって読み取られて実行され得る、コンピュータ可読記憶デバイス上に記憶された命令として実装されてもよい。コンピュータ可読記憶デバイスは、マシン（例えば、コンピュータ）によって可読な形態で情報を記憶するための任意の非一過性の機構を含んでもよい。例えば、コンピュータ可読記憶デバイスは、読取専用メモリ（ＲＯＭ）、ランダムアクセスメモリ（ＲＡＭ）、磁気ディスク記憶媒体、光学記憶媒体、フラッシュメモリデバイス、および他の記憶デバイスならびに媒体を含んでもよい。
【０１７０】
カセット実施例
本発明は、概して、医療システム、デバイス、および方法に関し、より具体的には、医療システム、医療デバイス、および医療施設ならびに機器の面積の消毒に関する。消毒システムの例示的実施形態は、参照することによって組み込まれる米国特許第９，６７５，７２０号に開示される。医療感染制御、消毒のための困難かつ多目的な要求、および高速消毒性能、ならびに上記に議論されるような消毒機器の高速保守の必要性が、積層可能なカセット構成要素によって直接対処される。
【０１７１】
本発明のいくつかの実施例は、概して、積層可能な紫外線カセットと、消毒または滅菌のための方法とに関する。より具体的には、本発明のいくつかの実施例は、空間、表面、または構造の消毒のためのデバイスと、カセットもしくはチャンバが設置される空間、および／またはその空間内の表面ならびに構造の消毒の方法とに関する。
【０１７２】
実施例は、上記に議論される技術の問題および欠陥のうちの１つまたはそれを上回るものに対処し得る。しかしながら、実施例は、加えて、または代替として、いくつかの技術分野内の他の問題および欠陥に対処することに有用であることが証明され得る。したがって、実施形態の範囲は、必ずしも本明細書に議論される特定の問題または欠陥のうちのいずれかを対処することに限定されるものとして解釈されるべきではない。
【０１７３】
現在開示されている積層可能な紫外線カセットおよび方法のいくつかの実施形態は、いくつかの特徴を有し、そのうちのいずれのものも、それらの望ましい属性について全責任を負わない。以下に続く請求項によって定義されるようなこれらのデバイスおよび方法の範囲を限定することなく、それらのより顕著な特徴が、ここで簡潔に議論されるであろう。本議論を考慮した後、特に、「発明を実施するための形態」と題された本明細書の節を熟読した後、当業者は、本明細書に開示される種々の実施形態の特徴が、現在の最先端技術に優るいくつかの利点を提供し得る様子を理解するであろう。いくつかの実施形態によると、これらの利点は、限定ではないが、改良された積層可能な紫外線カセットおよびチャンバ、ならびに、とりわけ、消毒された空間、表面、および／または構造を提供することを支援し得る、その方法を提供するステップと、カスタマイズ可能な消毒暴露面積を提供するステップと、消毒を必要とする任意の空間、表面、および／または構造の適切な暴露、線量、ならびに消毒プロセスを可能にするステップと、感染面積との物理的接触を介して伝染され得る、疾患の蔓延に対抗するステップと、極めて効果的な紫外線消毒を有するデバイスおよび方法を提供するステップと、例えば、医療物流内に容易に統合されるデバイスおよび方法を提供するステップと、高速、安全、かつ効果的な様式で消毒を可能にするステップとを含んでもよい。現在開示されている積層可能な紫外線カセットおよびチャンバは、故障したランプ、バラスト、または他の一体構成要素が、現場で容易に交換され得るように、より大型の多重構成要素消毒システムの容易に交換可能な構成要素であるように設計される。いったんユニットから除去されると、カセットは、新しいランプ、バラスト、または他の構成要素を容易に再装備され、次いで、他のデバイスで再利用されてもよい。本発明のいくつかの実施形態の付加的で非限定的な一意の能力は、消毒場を最大限にするように構築可能および積層可能であることと、病原性微生物の９０％またはそれを上回るものの根絶と、構成要素の交換を促進するようにコンパートメント化可能であることと、可搬性と、（すなわち、より高い電力に）容易にアップグレード可能である構成要素であることとを含む。
【０１７４】
実施例によると、積層可能な紫外線カセットおよびチャンバは、紫外線を放射するように構成される紫外線源と、コンパートメント化されたデバイスのより大きいフレームワークの中に挿入されることが可能であり、より大型のシステムアレイ内に含まれるときに、複数の方向から種々の標的表面に紫外線を指向し、それによって、内側で影になった面積が微生物を隠し得ない、多重ベクトル紫外線の３次元場を生成し得る、コンパートメント化されたデバイスとを含む。
【０１７５】
紫外線源は、本実施形態のように、２５４ｎｍ波長においてスペクトルピークを発生させる、非オゾン生成低圧（ＬＰ）円筒形水銀ランプ等の複数の紫外線放射デバイスを含んでもよい、またはさらなる潜在的実施形態では、紫外線光源は、２５０、２５１、２５２、２５３、２５４、２５５、２６０〜２６５〜２７０ｎｍにおいてスペクトルピークを発生させる、ＬＥＤのアレイであってもよい。
【０１７６】
紫外線放射デバイスは、同じデバイス（カセット）のより大型のアレイの中に挿入され、もしくはそこから除去されてもよく、１つまたはそれを上回る紫外線ランプおよび紫外線反射バッキング材料（反射体）を含む、カセット自体が、紫外線放射デバイスと見なされてもよい。
【０１７７】
積層可能な紫外線カセットおよびカセットが挿入されるチャンバは、標的面積内で複数の構成を達成するように選択的に再構成されてもよい。
【０１７８】
積層可能な紫外線カセットおよびチャンバは、他の紫外線カセットのうちの１つまたはそれを上回るものの電源が切られている間に、カセットのサブセットの電源を入れるように構成され得る、プロセッサによって制御されてもよい。
【０１７９】
カセットは、複数の紫外線ランプまたは紫外線ＬＥＤのアレイを含有してもよい。すなわち、紫外線光源は、ランプ、複数のランプから成るカセット、または複数のカセットであってもよい。カセットを含有するシステムが延在されるとき、紫外線が、複数の方向に放射され、著しい紫外線暴露を部屋内の全隙間に提供し、それによって、いずれの潜在的に有害な病原体も消毒プロセスに耐え抜かないように、陰影効果（または紫外線の遮断）を最小限にするであろう。
【０１８０】
積層可能な紫外線カセットおよびチャンバはさらに、少なくとも部分的に、チャンバを備えるフレームワーク内のカセットのアレイの構成または数に基づいて、カセットのうちの少なくとも１つから放射される紫外線放射の量を選択的に制御するように構成される、電子制御システムを含んでもよい。
【０１８１】
実施例によると、方法は、消毒の目的のために紫外線標的ゾーン（または単に標的ゾーン）と呼ばれる封入または部分的封入チャンバの中に紫外線を放射するであろう、カセットのより大型のアレイおよびフレームワークの一部として開放または延在する、複数のカセットを提供するステップを含む。カセットの１つまたはそれを上回るセットは、紫外線暴露をゾーンの全ての露出面積に提供し、複数の角度から紫外線を放射し、それによって、影になった隙間を占有する病原体が標準部屋消毒手技に耐え抜き得る、陰影の問題を克服するように構成されるであろう。カセットの配置およびカセット上の紫外線ランプの配列は、光が複数の方向から標的ゾーン内の全露出点に衝突し、紫外線光線の多重ベクトル場を生成する、表面の幾何学形状を生成する。最低４つのカセットが、内側で紫外線放射が消毒のために標的化されるある対象機器上に集中され得る、封入された４辺長方形面積を生成するために使用されてもよい。代替実施形態では、最低３つのカセットが、内側で標的機器が消毒されるであろう、三角形面積を封入するために使用され得る。天井または上部カセットを伴うシステムに関して、最低５つのカセットが、床上に位置する１つの機器を封入するために利用され得る。封入された立方体空間の生成のために、最低６つのカセットが、利用され得る。
【０１８２】
開示されるデバイス、送達システム、および方法の具体的実施形態が、ここで図面を参照して説明されるであろう。本発明を実施するための形態の中のいずれも、任意の特定の構成要素、特徴、またはステップが本発明に不可欠であると含意することを意図していない。
【０１８３】
図４５は、モジュール式紫外線消毒カセットの例示的実施形態の等角図を示す。
カセット４５０１は、長方形であり、５つの紫外線ランプ４５０２、４５０３、４５０４、４５０５、および４５０６、２部品ランプホルダ４５０７、シェルまたはカバープレートのセット４５０８、紫外線遮断窓４５０９、ならびに紫外線に関して高反射性である研磨アルミニウムシートである、ＡｌａｎｏｄＴＭから作製される反射体プレート４５１０から成る。カセット４５０１は、本実施形態では、幅約５２インチ（１３２センチメートル）×長さ７１インチ（１８０ｃｍ）×厚さ２インチ（５ｃｍ）（最大）であり、カバープレートおよびＡｌａｎｏｄＴＭ反射体シートを含む、他の構成要素も、これらの寸法内に適合する。ランプ４５０２、４５０３、４５０４、４５０５、および４５０６の端部は、両端においてランプを保持し、カセット４５０１にボルトで留められる、またはねじによって取り付けられる、２つの部品における固定具である、ランプホルダのセット４５０７によって、カセット４５０１上で保持される。ランプホルダ４５０７は、一方の端部において配線され、電力を提供する電源供給部に接続される。ランプホルダ４５０７は、両端においてランプを保持し、それによって、反射表面が紫外線を反射し、標的ゾーンに向かって戻るように紫外線を返すように、カセット表面と平行にランプを保持する。カバープレート４５０８は、バラストまたは配線にわたって設置され、カセット４５０１にボルトで留められる、またはねじによって取り付けられる。カバープレート４５０８の形状は、バラストおよび配線を保護する任意の恣意的形状であってもよく、本実施形態では、カバープレートは、内側および外側が平滑かつ平坦な凹状チャネルを伴って反転されるチャネルである。ユーザが消毒プロセスを観察することを可能にする、紫外線遮断窓４５０９は、長方形であり、心合され、カセット４５０１の上半分内に配置される。紫外線遮断窓は、ガラスおよび殆どのタイプのプラスチックを含む、紫外線を遮断する任意の透明な材料であってもよい。紫外線ランプは、本実施形態では、２５４ｎｍの具体的スペクトルにおいて紫外線を発生させるが、所望される場合、全紫外線Ｃ群および／または紫外線ＡならびにＢ群を包含する、波長の変形例および組み合わせも展開し得る、低圧水銀ランプである。５つの紫外線ランプ４５０２、４５０３、４５０４、４５０５、および４５０６は、標的ゾーンと呼ばれる画定された面積を横断して放射された紫外線を分配し、次いで、特定の表面上に放射された紫外線を集中させる様式で、カセット４５０１の表面を横断して位置する。いくつかのカセットの上で複数のランプによって生成される照射場は、紫外線光線が、複数の方向から標的ゾーン内の任意の標的に衝打し、それによって、影になった面積の保護において微生物の生存を別様に可能にし得る、これらの影を最小限にするであろうようなものである。
【０１８４】
図１では、３つのランプ４５０３、４５０４、および４５０５が、カセットの近似中心を横断して垂直かつ相互と平行に配向される、それらの軸を有する一方で、残りの２つのランプ４５０２および４５０６は、相互と平行に、好ましくは、垂直ランプと垂直に延設されながら、３つの垂直ランプ４５０３、４５０４、および４５０５の上方および下方で水平にそれらの軸を伴って配向される。随意に、本または他の実施形態では、カセット４５０１は、とりわけ、長方形、正方形、三角形、円形、不均等な辺の長さおよび角度を伴う形状等を含む、複数の形状およびサイズをとってもよい。随意に、本または他の実施形態では、カセット４５０１の表面は、とりわけ、反射性マイラー、水酸化マグネシウム、炭酸カルシウム、およびｅＰＴＦＥＴＭを含む、紫外線スペクトル内で高反射性であり、ランプからの反射紫外線を向上させる、任意の材料から成ってもよい。随意に、本または他の実施形態では、カセットの表面の反射体４５１０は、接着される、セメントで固定される、ボルトで留められる、または任意の他の同等手段によって取り付けられてもよい。随意に、本または他の実施形態では、紫外線遮断窓４５０９は、任意の形状およびサイズであってもよい。随意に、本または他の実施形態では、紫外線遮断窓４５０９は、カセット４５０１上のいずれかの場所に配置されてもよく、さらに、紫外線遮断ガラスまたはプラスチックのいずれかから作製されてもよい。好ましくは、積層可能なカセット４５０１内またはその全体を通した実施形態および窓設置は、標的ゾーンの可視化をオペレータに提供するであろう。したがって、窓４５０９の設置は、地面から約５０インチ（１２７ｃｍ）であり得るため、平均身長のオペレータは、積層可能なカセットの非紫外線源側から窓４５０９を通して紫外線標的ゾーンを容易に視認することができる。随意に、本または他の実施形態では、カセット４５０１は、任意の形状、サイズ、またはタイプの１つまたはそれを上回るランプを備えてもよいが、少なくとも２つまたはそれを上回るランプを使用することは、紫外線がカセット表面上の１つを上回る場所から放射されることを可能にし、それによって、多重ベクトル光のより良好な生成を可能にする。しかしながら、いくつかの実施形態では、カセットは、多重ベクトル光を発生させるカセットのアレイの一部であることを意図しており、所望される用途、構築、積層可能なチャンバに応じて、所望される場合、カセットあたり０、１、２、および最大５０個のランプが存在し得る。ランプの数量は、商業的用途とともに可変である。病院用途のための理想的実施形態では、カセット４５０１あたり１〜５個のランプが存在する。随意に、本または他の実施形態では、１つまたはそれを上回るランプは、カセット表面と垂直を含む、事実上いずれの構成でも配置されてもよいが、現在の構成では、カセット反射体４５１０表面と平行に、かつそれに接近してランプを配向することが、全体的により効率的であり、可能な限り最も薄いカセット、したがって、最小重量を可能にする。複数のカセットが、複数の方向から標的ゾーンに向かって紫外線を送達するカセットの３次元アレイを生成するために使用されることができる。随意に、本または他の実施形態では、ランプのうちのいくつかまたは全ては、カセット上に水平に配向されてもよい。随意に、本または他の実施形態では、ランプのうちのいくつかまたは全ては、垂直に配向される、またはカセット表面から離れるように突出してもよい。随意に、本または他の実施形態では、ランプのうちのいくつかまたは全ては、相互を横断して配向されてもよい。随意に、本または他の実施形態では、ランプは、複数の配向を有してもよく、カセット表面と平行または垂直のいずれかで構成されてもよい。随意に、本または他の実施形態では、１つまたはそれを上回るランプは、２５４ｎｍ波長においてスペクトルピークを発生させる、非オゾン生成低圧（ＬＰ）円筒形水銀ランプを備えてもよい、または広域スペクトル紫外線を発生させるＭＰランプを採用してもよい。随意に、本または他の実施形態では、１つまたはそれを上回るランプは、２６５ｎｍまたは任意の他の紫外線波長においてスペクトルピークを発生させる、発光ダイオード（ＬＥＤ）のアレイを備える、紫外線源と置換されてもよい。それらの組み合わせもまた、任意の実施例で使用されてもよい。
【０１８５】
図４６は、カバープレートを伴わないモジュール式紫外線消毒カセットの例示的実施形態の正面図を示す。カセット４６０１は、ランプバラスト４６０８、４６０９、および４６１０を収納する、関連付けられるランプホルダ４６０７、関連付けられる配線、紫外線遮断窓４６１１とともに、５つの紫外線ランプ４６０２、４６０３、４６０４、４６０５、および４６０６を備える。バラストは、ボルトまたはねじによってカセット４６０１に取り付けられ、主要電力線に接続するように構成される。バラストは、カセットが可能な限り薄型外形を有するように、かつバラストがカバープレートによって被覆され得るように、カセットの表面に位置付けられ、取り付けられる。バラストは、カセットの上の種々の場所に配置されてもよいが、好ましくは、必要な配線の総量を最小限にするため、およびチャンバの安定性の目的のためにカセットの全体的重心を下げるため等に配置され、位置する。カセット４６０１はさらに、モーションセンサ４６１２と、紫外線強度計４６１３と、端子ブロック４６１４とを備える。モーションセンサは、誰かが動作中にシステムの間違った側に出現した場合に、ランプをオフにするように構成される。紫外線強度計は、紫外線照射のレベルの観点からフィードバックを提供し、システムの任意の部品（例えば、ランプまたはバラスト）が動作中に故障したかどうかを決定することに役立つ。端子ブロックは、カセット４６０１に搭載された配線のための接続を提供する。カセットは、ランプホルダ４６０７、バラスト４６０８、４６０９、および４６１０、窓４６１１、モーションセンサ４６１２、紫外線強度計４６１３、ならびに一対の端子ブロック４６１４を取り付けるための種々のボルト孔またはねじ山付き孔を含む。ボルト孔またはねじ孔は、種々の構成要素の最適な設置に適応するように必要に応じて位置付けられる。他の実施形態では、ボルト孔またはねじ孔は、スナップロック、溶接部、および接着剤等を含む、他の取付方法と置換されてもよい。随意に、本または任意の他の実施形態では、モーションセンサ、紫外線強度計、および端子ブロックは、カセット上のいずれかの場所に配置されてもよく、溶接部および接着剤を含む、任意の好適な手段によって取り付けられてもよい。
【０１８６】
図４７は、ワイヤメッシュ４７０１の例示的実施形態を示す。ワイヤメッシュ４７０１は、１つまたはそれを上回るランプにわたって静置し、使用中に衝撃および損傷からランプを保護するように構成される。ケージ４７０１は、鋼鉄から作製される。本または他の実施形態では、カセット上の１つまたはそれを上回るランプは、各個々のランプを包むか、またはそうでなければ全てのランプを被覆するガラス板のいずれかであろう、プラスチックまたは溶融石英から作製される、紫外線透過窓によって保護されてもよい。他の実施形態では、本保護は、紫外線透過プラスチックシートによって、またはｅＰＴＦＥＴＭ等の紫外線反射材料から作製されるワイヤメッシュによって、提供されてもよい。ワイヤメッシュまたは保護シートは、ランプ表面に接近して位置し、さらにランプ表面と接触してもよい、または現在の実施形態のように数ランプ分の直径だけ離れてもよい。他の実施形態では、ランプ破損の影響に対する保護は、ランプに直接巻着して密閉する、現在使用されている利用可能な紫外線透過テフロン（登録商標）またはプラスチックコーティングによって提供されてもよい。
【０１８７】
図４８は、モジュール式紫外線消毒カセットの例示的実施形態が取り付けられ、複数のカセットを取り付けて積層することによってフレームワークを形成し得る、フレーム４０８１の例示的実施形態の正面図を示す。フレーム４８０１は、構造支持を提供し、いくつかの実施形態では、ヒンジまたは結合リンクによって消毒システムの中心カラムに取り付けられる、もしくは結合リンクの方法によって建物または病院の壁に恒久的に取り付けられるであろう。フレーム４８０１は、キャスタ上に、または結合リンクによって支持され、チャンバを生成し、制御ユニットが搭載されるであろう中心カラムまたは壁に取り付けられ得る、浮動フレームワークであろう。フレーム４８０１およびフレームワークは、鋼鉄、アルミニウム、プラスチック、または他の好適な材料から作製される、ボックスフレーム、チャネル、またはＩ字ビーム等の基礎的構造構成要素から作製される外側長方形構造から成るであろう。フレームは、安定性のための中央部を横断する１つまたはそれを上回る構造ビームと、直交して全体的構造を強化するための現在の実施形態のような隅における１つまたはそれを上回る三角形もしくは他の構造構成要素とを含むべきである。
【０１８８】
図４９は、一対の長方形カセット４９０１、およびそれらが中心カラム４９０３を含むモバイルフレームワークまたはチャンバの一部として取り付けられるであろう、一対のフレーム４９０２の例示的実施形態を示す。長方形カセット４９０１は、本明細書に説明される長方形の実施形態のうちのいずれかであってもよい。長方形フレーム４９０２は、本明細書に説明される長方形の実施形態のうちのいずれかであってもよい。各カセット４９０１は、ボルトまたはねじ、もしくはカセットの交換を可能にし、促進し、容易な除去のためにカセットをフレームに係止する磁気ロックまたは機械スナップを含み得る、任意の他の好適な取付方法を用いて、フレーム４９０２に取り付けられるであろう。取付部は、カセットが消毒システムの一部として頭上に設置される実施形態では、垂直であるか、または天井から下垂しているかどうかにかかわらず、カセットが、システムが設置される位置にかかわらずフレームに固着されるであろうようなものであろう。フレーム４９０２は、カセット４９０１が、正方形、長方形、六角形、八角形、および立方体等の閉鎖幾何学形状、ならびに半円、長方形の回廊、平坦な延在された壁、または角度付きの壁（開放三角形）等の開放幾何学形状を含む、具体的消毒用途のために好適な異なる幾何学形状の形成を可能にする、種々の角度で配向され得るように、ヒンジを介して中心カラム４９０３に取り付けられるであろう。ヒンジ連結接続は、意図された幾何学形状の成形を促進する任意のタイプであってもよく、カセットまたはカセットのアレイが複数の角度で向きを変えられることを可能にし得る、可撓性ヒンジ、軸方向ヒンジ、または自在継手を含んでもよい。現在の実施形態に示されるような消毒デバイスは、移動度を促進するためのキャスタを含み、これらのキャスタは、各カセット上に存在する場合とそうではない場合があり、その種々の構成で消毒デバイス全体の重量を支持するために十分な最小数のキャスタが存在する限り、中心カラム上に存在する場合とそうではない場合があり、これらは、システムが具体的用途のために共形化される形状である。
【０１８９】
図５０は、複数のカセットから生じる多重ベクトル光の累積効果の例示的実施形態を示し、カセットから生じ、内部表面から反射する形象的光線を示す。４つのカセット５００１、５００２、５００３、および５００４は、中心カラム５００５に接続され、４つのカセットはそれぞれ、カセットから反射し、また、壁の反射性に依存する程度に壁５００６から反射するであろう、多重ベクトル光線を生成する。ともに、それらの一体紫外線ランプを伴う４つのカセットは、多重ベクトル光または複数の方向から生じる光で非常に満ちた場を生成するため、影になったゾーンが、最小限にされ、それによって、微生物が消毒プロセスから逃散し得るゾーンを最小限にする。紫外線源（ここでは、５００１、５００２、５００３、５００４カセット、ならびにそれらが含有する紫外線ランプ）の総和効果は、影になった隙間内の紫外線暴露を回避する微生物の可能性が最小限にされる、標的ゾーン内の極めて均等な強度の多重ベクトル光の容積場を生成することである。随意に、本または他の実施形態では、カセットは、正方形、長方形、三角形、または他の２次元幾何学形状に配列されてもよい、もしくはさらなる実施形態では、立方体、長方形ボックス、チャンバ、および同等物等の３次元完全封入形状に配列されてもよい。随意に、本または他の実施形態では、結果として生じる多重ベクトル場は、非常に光で満ちているため、微生物が消毒プロセスから逃散し得る、影になったゾーンが生成されない。随意に、本または他の実施形態では、カセットの４つまたはそれを上回るセットは、複数の角度から紫外線を放射し、紫外線放射暴露を部屋の複数の面積に提供するように構成される。随意に、本または他の実施形態では、内側で紫外線放射が、医療または手術道具と同程度に小さい例示的な何らかのものとして、消毒のために標的化されるある対象機器上に集中され得る、封入された４辺長方形面積を生成するために、最低４つのカセットが利用され、積層可能な紫外線カセットおよびフレームワークは、消毒を必要とするスペースシャトルおよび大型宇宙機器と同程度に大きい何らかのものを包含するように拡大することができる。随意に、本または他の実施形態では、内側で標的機器、標的面積、または標的表面が、消毒、滅菌、または衛生化され得る、三角形面積を封入するために、最低２つのカセットが、使用されてもよい。随意に、本または他の実施形態では、１つの機器または空間もしくは床または表面上の標的面積を封入するために、５つのカセットが、天井または上部カセットとシステムで併用されてもよい。随意に、本または他の実施形態では、６つのカセットが、封入された立方体または長方形空間を生成するために使用されてもよい。随意に、本または他の実施形態では、消毒デバイスの１つまたはそれを上回るカセットは、相互に対して異なるサイズおよび形状を有してもよい。
【０１９０】
図５１は、アレイフレームワーク内にともに結合される４つの長方形カセットの例示的実施形態を示す。本例示的実施形態では、４つの長方形カセット５１０１が、平坦な壁として配列される。制御パネルは、簡単にするために本図では無視される。本図は、４つの長方形カセットが、正方形または長方形エンクロージャ等の種々の形状に構成され得る、もしくは消毒目的のために壁に対して向けられ得る、消毒デバイスを形成する、本発明の現在の実施形態を図示する。
【０１９１】
図５２は、積層されたアレイフレームワーク内にともに結合される１６個の長方形カセットの例示的実施形態を示す。本実施形態では、複数の長方形カセット８００１が、図７よりもはるかに大きい表面を生成するように並べられ、積層される。随意に、本および他の実施形態では、複数のカセットの積層が、大型用途のために使用されることができる、または大型封入紫外線標的ゾーンを生成するために使用されることができる。
【０１９２】
図５３は、集中多重ベクトル光の紫外線標的ゾーンを生成するように八角形チャンバ配列内にともに結合される、８つの長方形カセットの例示的実施形態を示す。本実施形態では、８つの長方形カセット５３０１の構成が、紫外線標的ゾーンを封入するように八角形に配列される。
【０１９３】
図５４は、その内側で紫外線標的ゾーンが、それを通して機器が消毒のために通過され得る回廊として使用され得る、封入空間を生成するように、各側面上に４つのカセットおよび上側に４つを伴って配列される、１２個の長方形カセット５５０１の例示的実施形態を示す。本および他の実施例では、機器が紫外線回廊を通過する速さは、受容される紫外線量を決定するであろう。随意に、本および他の実施形態では、回廊は、任意の速度で適切な紫外線量を達成するために必要な任意のカセットを伴って延長され得、例えば、特定の速さまたは速度で動作する、組立ラインに適合され得る。
【０１９４】
図５５は、内側に紫外線標的ゾーンが生成される、半円チャンバ内にともに結合される１２個の長方形カセットの例示的実施形態を示す。本実施形態では、複数の相互係止長方形カセット５５０１が、大きい面積または機器の消毒を提供するように、必要に応じて半円または完全な円に配列され得る。随意に、本および他の実施形態では、そのような円形配列はまた、任意の妥当な高さまで積層され得る。
【０１９５】
図５６は、３つの紫外線ランプ５６０２を含有する三角形カセット５６０１の例示的実施形態を示す。これまで長方形として説明された、カセットの本代替形状は、球体およびジオデシックドームを含む、長方形から容易に形成され得ない形状を生成するように、組み合わせられる、または積層され得る。
【０１９６】
図５７は、３つの紫外線ランプ５７０２をそれぞれ含有する、６つの相互係止三角形カセット５７０１が、ジオデシックドームを生成するために使用され得る、平坦な六角形または隆起した中心点を伴う六角形のいずれかである六角形を生成するために使用され得る様子の例示的実施形態を示す。
【０１９７】
図５８は、複数の相互係止三角形カセット５８０１が、内側に紫外線標的ゾーンが存在するであろう、ジオデシックドームを生成するように組み合わせられ得る様子の例示的実施形態を示す。本ドームは、それを通して機器が中に運ばれ得る、３つの三角形カセット５８０１の折畳解除によって生成されるドア５８０２によってアクセス可能であろう。３つを上回る三角形ドアが、非常に大型の機器を封入されるために採用され得る、またはドームが、機器、もしくはさらに汚染され、消毒を要求し得る構造の周囲に組み立てられ得る。二十面体および拡張二十面体を生成することによって、建物全体を含む、事実上いずれの機器または構造も封入することが可能である。
【０１９８】
図５９Ａ−Ｄは、カセットのアレイを接続および積層する際に採用されるであろう、内蔵相互係止カセット５９０１および結合ヒンジ５９０２ならびに５９０３の実施例を示す。図１５Ａは、バラストおよび制御が全て、カセット自体内に含まれ、カセットが、他のカセットに結合され、任意のタイプの３次元空間を封入するように積層および配列され得るように、各カセットの側面および上部の上に結合ヒンジ５９０２および５９０３を含む、単一の内蔵カセット５９０１を示す。カセットの右側のオス型結合ヒンジ５９０２は、次のカセットの左側のメス型結合ヒンジに結合し、各カセットの上部のオス型結合ヒンジは、その上に積層されたカセットの底部のメス型結合ヒンジに結合するであろう。一般に、結合ヒンジのヒンジは、１８０度またはそれを上回る回転を可能にするヒンジ連結であり得るが、本発明を複雑な形状に適用することを可能にするであろう、最大３６０度回転する複動ヒンジを伴う他の実施形態が、想定されることができる。種々のタイプのヒンジが、複数の方向にカセットを回転させ、不連続エンクロージャを生成するために使用され得る、ストラップヒンジ、モンローヒンジ、複動ばねヒンジ、弾性または「自然」ヒンジ、多重車軸ヒンジ、腕時計バンド型ヒンジ、二重アームヒンジ、ギヤ式ヒンジ、および自在継手ヒンジを含む、結合ヒンジに組み込まれることができる。結合ヒンジは、２つまたはそれを上回るカセットの容易かつ単純な接続または接続解除を可能にし、複数のカセットのアレイ全体を連結するための電力および制御接続の両方を含み得るタイプであろう。図１５Ｂは、右側および上部のオス型結合ヒンジ５９０２、ならびに左側および上部のメス型結合ヒンジを用いて、平坦なアレイでともに相互係止される、２つの内蔵相互係止カセット５９０１を示す。図１５Ｃは、右側および上部のオス型結合ヒンジ５９０２、ならびに左側および上部のメス型結合ヒンジ５９０３を用いて、９０度アレイでともに相互係止される、２つの内蔵相互係止カセット５９０１を示す。本実施形態では、任意のカセットが、１８０度〜０度（折畳されて閉鎖されたとき）の間の任意の角度で水平または垂直に配列され得るが、他の実施形態は、０〜３６０度の角度を可能にし得る。図１５Ｄは、壁を形成するように積層され、各カセットが、右側のオス型結合ヒンジ５９０２によって右側の次のカセット上のメス型結合ヒンジ５９０３に結合され、オス型結合ヒンジ５９０２によって上側でその上方のカセット上のメス型結合ヒンジ５９０３に結合される、８つの相互係止カセット５９０１の実施例を示す。
【０１９９】
図６０Ａ−Ｃは、キャスタ６００６の有無別に図示される、結合ヒンジ６００２および６００３、ならびに壁６００５に接続するための壁搭載型結合部６００４を採用する、４つのカセット６００１のアレイの実施例と、格納のために壁に対して折畳された４つのカセット６００１のアレイの画像とを示す。図６０Ａは、結合ヒンジ６００２および６００３を採用し、キャスタ６００６上に乗設される、または位置する、４つの相互係止カセット６００１のアレイが、カセットベースの消毒システムの恒久的および一時的配設の両方を促進し得る、壁搭載型結合部６００４を用いて壁６００５に噛合され得る様子を示す。キャスタ６００６は、移動度を提供し、カセット６００１の展開を支援し、カセット６００１の重量を支持する。キャスタはまた、恒久的に取り付けられる、もしくはフレームおよび／またはカセット構造の全体を通して交換可能であろう、構造支持体によって置換されることもできる。図６０Ｂは、結合ヒンジ６００２および６００３を採用する、４つの相互係止カセット６００１のアレイが、壁と同一平面に位置し、床から短距離（すなわち、２、３、４、５、６、７、８、９、または最大１２インチ）だけ上方において自由に浮動するにつれて、カセット６００１の全重量を支持するであろう、壁搭載型結合部６００４を用いて壁６００５に噛合され得る様子を示す。図６０Ｃは、図６０Ａのようにキャスタによって支持されるか、または図６０Ｂのように床の上方を自由浮動するかのいずれかである、カセット６００１のアレイが、使用時ではないときに格納のためにコンパクトな配列に折畳され得る様子を示す。
【０２００】
図６１は、スペースシャトル６１０３を消毒することが可能な大型格納庫または大型チャンバ６１０１を形成するように積層および構築された、内蔵相互係止カセット６１０２の大型アレイの形象的適用を示す。
【０２０１】
本明細書に説明される機能ユニットまたは能力は、それらの実装独立性をより具体的に強調するために、構成要素またはモジュールと称されている、もしくは標識されている場合があることを理解されたい。構成要素またはモジュールは、ハードウェア回路、プログラマブルハードウェアデバイス、他の離散構成要素の任意の組み合わせで実装されてもよい。構成要素またはモジュールはまた、種々のタイプのプロセッサによる実行のためにソフトウェアで実装されてもよい。実行可能コードの識別される構成要素またはモジュールは、例えば、オブジェクト、プロシージャ、または機能として編成され得る、例えば、コンピュータ命令の１つまたはそれを上回る物理的もしくは論理ブロックを備えてもよい。それにもかかわらず、識別される構成要素またはモジュールの実行ファイルは、ともに物理的に位置する必要はないが、ともに論理的に継合されたときに、構成要素またはモジュールを備え、構成要素またはモジュールのための記述された目的を達成する、異なる場所に記憶された異種命令を備えてもよい。実際に、実行可能コードの構成要素またはモジュールは、単一の命令または複数の命令であってもよく、いくつかの異なるコードセグメントにわたって、異なるプログラムの間で、およびいくつかのメモリデバイスを横断して、均等に分配されてもよい。
【０２０２】
同様に、動作データが、構成要素またはモジュール内で、本明細書に識別および図示されてもよく、任意の好適な形態で具現化され、任意の好適なタイプのデータ構造内に編成されてもよい。動作データは、単一のデータセットとして収集されてもよい、または異なる記憶デバイスにわたることを含む、異なる場所にわたって分配されてもよく、少なくとも部分的に、単にシステムもしくはネットワーク上の電子信号として存在してもよい。構成要素またはモジュールは、所望の機能を果たすように動作可能なエージェントを含む、能動的または受動的であり得る。
【０２０３】
例示的実施形態は、上記に議論される問題および欠陥のうちの１つまたはそれを上回るものに対処し得る。しかしながら、実施例は、加えて、または代替として、いくつかの技術分野内の他の問題および欠陥に対処することに有用であることが証明され得る。したがって、本開示の実施形態の範囲は、必ずしも本明細書に議論される特定の問題または欠陥のうちのいずれかを対処することに限定されるものとして解釈されるべきではなく、請求項の範囲のみによって限定される。
【０２０４】
本開示の好ましい実施形態が、本明細書に示され、説明されたが、そのような実施形態は、一例のみとして提供されることが当業者に明白であろう。多数の変形例、変更、および代用が、ここで、本発明から逸脱することなく当業者に想起されるであろう。本明細書に説明される本発明の実施形態の種々の代替物が、本発明を実践する際に採用され得ることを理解されたい。以下の請求項は、本発明の範囲を定義し、これらの請求項の範囲内の方法および構造、ならびにそれらの均等物は、それによって網羅されることが意図される。
【０２０５】
注記および実施例
【０２０６】
以下の非限定的実施例は、とりわけ、課題を解決し、本明細書に議論される利益を提供するための本主題のある側面を詳述する。
【０２０７】
実施例１は、標的容積内に位置付け可能であり、標的容積内の圧潰位置と拡張位置との間で移動可能である、構造と、圧潰位置と拡張位置との間の構造の任意の位置で標的容積内に実質的に均一な照射において紫外線を放射するように構造に接続される、複数の光源とを備える、紫外線放射デバイスである。
【０２０８】
実施例２では、実施例１の主題は、随意に、複数の光源が、複数の光源の単一の動作サイクル内に標的容積内の生物の少なくとも９０％を死滅させるように構造上に位置付けられることである。
【０２０９】
実施例３では、実施例２の主題は、随意に、複数の光源の単一の動作サイクルが、２０分未満であることを含む。実施例４では、実施例１−３のうちのいずれか１つまたはそれを上回るものの主題は、随意に、複数の光源が、複数の光源の単一の動作サイクル内に標的容積内の表面上の生物の少なくとも９９．９％を死滅させるように構造上に位置付けられることを含む。
【０２１０】
実施例５では、実施例２−４のうちのいずれか１つまたはそれを上回るものの主題は、随意に、複数の光源の単一の動作サイクルが、３分未満であることを含む。
【０２１１】
実施例６では、実施例１−５のうちのいずれか１つまたはそれを上回るものの主題は、随意に、標的容積内の全表面の照射が、実質的に均一であり、５０〜８００マイクロワット／平方センチメートルの最小照射を有することを含む。
【０２１２】
実施例７では、実施例１−６のうちのいずれか１つまたはそれを上回るものの主題は、随意に、標的容積が、幅１．５〜８メートル×長さ１．５〜８メートル×高さ２〜５メートルの寸法を有する部屋であることを含む。
【０２１３】
実施例８では、実施例１−７のうちのいずれか１つまたはそれを上回るものの主題は、随意に、標的容積が、幅６〜８メートル×長さ６〜８メートル×高さ２〜５メートルの寸法を有する部屋であることを含む。
【０２１４】
実施例９では、実施例１−８のうちのいずれか１つまたはそれを上回るものの主題は、随意に、各アームの各光源が、そのアームの複数の光源に対して比例的に離間されるように、構造が、標的容積内で複数の光源のうちの各光源を分配するように相互から離れて延在可能な複数のアームを含むことを含む。
【０２１５】
実施例１０では、実施例１−９のうちのいずれか１つまたはそれを上回るものの主題は、随意に、複数の光源が、種々の寸法の複数の標的容積内で実質的に均一な照射において紫外線を放射するように調節可能に位置付け可能であることを含む。
【０２１６】
実施例１１では、実施例６−１０のうちのいずれか１つまたはそれを上回るものの主題は、随意に、標的容積が、幅１．５〜６メートル×長さ１．５〜６メートル×高さ１．５〜６メートルの寸法を有する部屋であり、各アームの複数の光源が、１０〜１２７センチメートル毎に幅に沿って相互から離間され、１０〜１２７センチメートル毎に長さに沿って相互から離間されることを含む。
【０２１７】
実施例１２では、実施例６−１１のうちのいずれか１つまたはそれを上回るものの主題は、随意に、各アームの複数の光源が、そのアームの各光源から比例的に離間されることを含む。
【０２１８】
実施例１３では、実施例９−１２のうちのいずれか１つまたはそれを上回るものの主題は、随意に、複数のアームのそれぞれが、基部から離れて延在可能であるように、構造が、複数のアームのそれぞれに接続され、それを支持するように構成される、基部を含むことを含む。
【０２１９】
実施例１４では、実施例１３の主題は、随意に、アームが圧潰位置と延在位置との間にあるときに、基部および複数のアームが、標的容積内の陰影を排除するように構成されることを含む。
【０２２０】
実施例１５では、実施例１３−１４のうちのいずれか１つまたはそれを上回るものの主題は、随意に、基部が、複数のコンパートメントを含み、アームが圧潰位置にあるときに、複数のコンパートメントのうちの各コンパートメントが、その中に複数のアームのうちのアームを受容するように構成されることを含む。
【０２２１】
実施例１６では、実施例１３−１５のうちのいずれか１つまたはそれを上回るものの主題は、随意に、基部が、基部の周辺の少なくとも部分的に周囲に延在するトラックを含み、複数のアームのうちの各アームが、トラックに接続可能であり、トラックに沿って移動し、複数のアームに対してアームのそれぞれの位置を調節するように構成されることを含む。
【０２２２】
実施例１７では、実施例１３−１６のうちのいずれか１つまたはそれを上回るものの主題は、随意に、構造が、複数のスタンドを含み、複数のアームが圧潰位置と延在位置との間にあるときに、各スタンドが、複数のアームのそれぞれに接続され、それを支持するように構成されることを含む。
【０２２３】
実施例１８では、実施例１７の主題は、随意に、基部および複数のスタンドのうちの１つまたはそれを上回るものが、紫外線放射デバイスが標的容積内で転動することを可能にするように構成される、車輪を含むことを含む。
【０２２４】
実施例１９は、標的容積内に位置付け可能であり、標的容積内の圧潰位置と拡張位置との間で移動可能である、構造と、構造が、圧潰位置と拡張位置との間の任意の位置で標的容積内に実質的に均一な照射において紫外線を放射するように圧潰位置と拡張位置との間で移動されるにつれて、複数の光源のうちの光源がそれぞれ、光源のそれぞれに対して比例的に離間されるように、構造に接続される、複数の光源とを備える、紫外線放射システムである。
【０２２５】
実施例２０では、実施例１９の主題は、随意に、複数の光源が、複数の光源の単一の動作サイクル内に標的容積内の生物の最大９０％を死滅させるように構造上に位置付けられ、複数の光源の単一の動作サイクルが、３００秒未満であることを含む。
【０２２６】
実施例２１では、実施例１９−２０のうちのいずれか１つまたはそれを上回るものの主題は、随意に、光源をオンおよびオフにするように複数の光源に接続され、それと通信する、コントローラを含む。
【０２２７】
実施例２２では、実施例２１の主題は、随意に、構造に接続され、コントローラと通信するモータを含み、コントローラは、モータを動作させ、圧潰位置と拡張位置との間で構造を移動させるように構成される。
【０２２８】
実施例２３では、実施例２２の主題は、随意に、構造に接続され、標的容積内の物体の近接性および構造に対する物体の寸法に基づいて、近接性信号を生成するように構成される、１つまたはそれを上回る近接性センサを含む。
【０２２９】
実施例２４では、実施例２３の主題は、随意に、コントローラが、近接性センサから近接性信号を受信するように、かつ近接性センサに基づいて部屋内の物体のマップを作成するように構成されることを含む。
【０２３０】
実施例２５では、実施例２４の主題は、随意に、コントローラが、モータを動作させ、部屋のマップに基づいて圧潰位置と拡張位置との間で構造を移動させるように構成されることを含む。
【０２３１】
実施例２６では、実施例２４−２５のうちのいずれか１つまたはそれを上回るものの主題は、随意に、コントローラが、モータを動作させ、部屋のマップに基づいて複数の光源の所定のつり合いまで圧潰位置と拡張位置との間で構造を移動させるように構成されることを含む。
【０２３２】
実施例２７では、実施例２４−２６のうちのいずれか１つまたはそれを上回るものの主題は、随意に、コントローラが、マップに基づいて照射設定点を決定し、照射設定点に基づいて複数の光源によって放射される照射を調節するように構成されることを含む。
【０２３３】
実施例２８では、実施例１９−２７のうちのいずれか１つまたはそれを上回るものの主題は、随意に、コントローラが、マップおよび照射設定点に基づいて、複数の光源の個々の光源の電力レベルを調節するように構成されることを含む。
【０２３４】
実施例２９では、実施例２４−２８のうちのいずれか１つまたはそれを上回るものの主題は、随意に、コントローラが、精密なエネルギーおよび標的容積の相関に基づいて、光エネルギー行列を作成するように構成され、コントローラが、光エネルギー行列に基づいて、複数の光源によって放射される照射を調節するように構成されることを含む。
【０２３５】
実施例３０では、実施例２１−２９のうちのいずれか１つまたはそれを上回るものの主題は、随意に、コントローラと通信するテザーセンサを含み、テザーセンサは、構造に接続され、標的容積のドアに接続可能であり、テザーは、ドアの位置に基づいてテザー信号を生成するように構成され、コントローラは、ドアが開放位置にあることを示すテザー信号を用いて、光源を無効にするように構成される。
【０２３６】
実施例３１は、標的容積内に位置付け可能であり、中心軸に沿って延在する、中心支持体と、中心支持体に解放可能に固着可能であり、中心軸を略横断して中心支持体の周辺の周囲に延在する、第１のレールと、第１のレールに解放可能に固着可能であり、中心軸を略横断して第１のレールに沿って移動可能である、第１のアームであって、圧潰位置と拡張位置との間で移動可能である、第１のアームと、第１のアームが圧潰位置と拡張位置との間で移動されるにつれて、第１の複数の光源のうちの光源のそれぞれが、光源のそれぞれに対して比例的に離間されるように、第１のアームに接続される、第１の複数の光源とを備える、紫外線放射システムである。
【０２３７】
実施例３２では、実施例３１の主題は、随意に、第１の複数の光源が、圧潰位置と拡張位置との間の任意の位置で標的容積内に実質的に均一な照射において紫外線を放射するように、比例的に離間されることを含む。
【０２３８】
実施例３３では、実施例３１−３２のうちのいずれか１つまたはそれを上回るものの主題は、随意に、中心支持体が、略長方形角柱の幾何学形状を有することを含む。
【０２３９】
実施例３４では、実施例３１−３３のうちのいずれか１つまたはそれを上回るものの主題は、随意に、中心支持体に解放可能に固着可能であり、中心軸を略横断し、第１のレールと略平行に、中心支持体の周辺の周囲に延在する、第２のレールを含む。
【０２４０】
実施例３５では、実施例３４の主題は、随意に、第１のレールおよび第２のレールに解放可能に固着可能であり、中心軸を略横断し、第１のアームと略直交して、第１のレールに沿って移動可能である、第２のアームであって、圧潰位置と拡張位置との間で移動可能な第２のアームと、第２のアームが圧潰位置と拡張位置との間で移動されるにつれて、第２の複数の光源のうちの光源のそれぞれが、光源のそれぞれに対して比例的に離間されるように、第２のアームに接続される、第２の複数の光源とを含む。
【０２４１】
実施例３６では、実施例３５の主題は、随意に、第１のレールおよび第２のレールに解放可能に固着可能であり、中心軸を略横断し、第１のアームと略平行に、かつ第２のアームと略直交して、第１のレールに沿って移動可能である、第３のアームであって、圧潰位置と拡張位置との間で移動可能である、第３のアームと、第３のアームが圧潰位置と拡張位置との間で移動されるにつれて、第３の複数の光源のうちの光源のそれぞれが、光源のそれぞれに対して比例的に離間されるように、第３のアームに接続される、第３の複数の光源とを含む。
【０２４２】
実施例３７では、実施例３６の主題は、随意に、第１のレールおよび第２のレールに解放可能に固着可能であり、中心軸を略横断し、第１のアームおよび第３のアームと略直交して、かつ第２のレールと略平行に、第１のレールに沿って移動可能である、第４のアームであって、圧潰位置と拡張位置との間で移動可能である、第４のアームと、第４のアームが圧潰位置と拡張位置との間で移動されるにつれて、第４の複数の光源のうちの光源のそれぞれが、光源のそれぞれに対して比例的に離間されるように、第４のアームに接続される、第４の複数の光源とを含む。
【０２４３】
実施例３８では、実施例３１−３７のうちのいずれか１つまたはそれを上回るものの主題は、随意に、第１のアームが、第１のアームが圧潰位置と拡張位置との間で移動することを可能にするように相互にヒンジ連結可能に結合される、複数のリンケージを含むことを含む。
【０２４４】
実施例３９では、実施例３８の主題は、随意に、第１のアームが、第１のレールに解放可能に固着可能であり、第１のアームを第１のレールに接続するように複数のリンケージに接続される、ブラケットを含むことを含む。
【０２４５】
実施例４０では、実施例３９の主題は、随意に、第１のアームが、第２のレールに解放可能に固着可能であり、第２のアームを第２のレールに接続するように複数のリンケージに接続される、第２のブラケットを含むことを含む。
【０２４６】
実施例４１では、実施例４０の主題は、随意に、第１のアームが、第１のブラケットを第２のブラケットにしっかりと接続する、交差部材を含むことを含む。
【０２４７】
実施例４２では、実施例３９−４１のうちのいずれか１つまたはそれを上回るものの主題は、随意に、第１のアームが、第１のブラケットに接続され、第１のレールに対して第１のブラケットの転動係合を生成し、第１のレールに対して第１のアームの平行移動を可能にするように、第１のレールと係合可能である、ローラを含むことを含む。
【０２４８】
実施例４３は、複数のモバイル紫外線デバイスを備え、各デバイスは、標的容積内に位置付け可能な基部と、基部に接続され、標的容積の表面と係合可能である、ドライバと、基部によって支持され、ドライバに接続される、モータであって、ドライバを動作させ、基部を表面に対して移動させ、標的容積内で基部を移動させるように制御可能である、モータと、基部によって支持される光源と、モータおよび光源と通信する、コントローラであって、標的容積内に基部を位置付けるように動作可能であり、複数のモバイル紫外線デバイスの光が、ともに標的容積内で実質的に均一な照射において紫外線を放射するように、光源を動作させるように構成される、コントローラとを備える、紫外線放射衛生化システムである。
【０２４９】
実施例４４では、実施例４３の主題は、随意に、各光源が複数の光源に対して比例的に離間されるように、光源が、標的容積内で複数の光源のうちの各光源を分配するように相互に対して位置付けられることを含む。
【０２５０】
実施例４５では、実施例４３−４４のうちのいずれか１つまたはそれを上回るものの主題は、随意に、複数のモバイル紫外線デバイスのそれぞれのコントローラと通信する、中央コントローラであって、標的容積内にモバイル紫外線デバイスを位置付ける命令と、各モバイル紫外線デバイスに対してモバイル紫外線デバイスを位置付ける命令と、光源のそれぞれの紫外線出力を制御する命令とをコントローラのそれぞれに提供するように構成される、中央コントローラを含む。
【０２５１】
実施例４６では、実施例４５の主題は、随意に、複数のモバイル紫外線デバイスがそれぞれ、基部に接続され、標的容積内の物体の近接性および物体の寸法に基づいて、近接性信号をコントローラに伝送するように構成される、近接性センサをさらに備えることを含む。
【０２５２】
実施例４７では、実施例４６の主題は、随意に、コントローラが、近接性センサに基づいて、部屋および部屋内の物体のマップを作成するように構成されることを含む。
【０２５３】
実施例４８では、実施例４７の主題は、随意に、コントローラが、モータを動作させ、部屋のマップに基づいて標的容積内で基部を移動させるように構成されることを含む。
【０２５４】
実施例４９では、実施例４７−４８のうちのいずれか１つまたはそれを上回るものの主題は、随意に、コントローラが、複数のモバイル紫外線デバイスのそれぞれのコントローラと通信し、複数のモバイル紫外線デバイス毎に目的地を作成するように構成され、モータを動作させ、部屋のマップおよび複数のモバイル紫外線デバイス毎の目的地に基づいて標的容積内で基部を移動させるように構成されることを含む。
【０２５５】
実施例５０では、実施例４４−４９のうちのいずれか１つまたはそれを上回るものの主題は、随意に、複数のモバイル紫外線デバイスのコントローラと通信し、所望に応じて、標的容積内で個々のモバイル紫外線デバイスを選択的に移動させるように動作可能である、遠隔コントローラを含む。
【０２５６】
実施例５１では、実施例４３−５０のうちのいずれか１つまたはそれを上回るものの主題は、随意に、複数の光源が、複数の光源の単一の動作サイクル内に標的容積内の生物の少なくとも９０％を死滅させるように位置付けられ、複数の光源の単一の動作サイクルが、２０分未満であり、標的容積内の全表面の実質的に均一な照射が、５０〜８００マイクロワット／平方センチメートルの最小照射を有し、標的容積が、幅１．５〜８メートル×長さ１．５〜８メートル×高さ２〜５メートルの寸法を有する部屋であることを含む。
【０２５７】
実施例５２は、標的空間を衛生化する方法であって、標的容積内に構造を位置付けるステップと、標的容積内の圧潰位置と拡張位置との間で構造を移動させ、構造に接続される複数の光源を移動させるステップであって、複数の光源は、圧潰位置と拡張位置との間の任意の位置で標的容積内に実質的に均一な照射において紫外線を放射するように構成される、ステップとを含む、方法である。
【０２５８】
実施例５３では、実施例５２の主題は、随意に、複数の光源の単一の動作サイクル内に紫外線を標的容積内の生物の少なくとも９０％に放射するステップであって、複数の光源の単一の動作サイクルは、３００秒未満であり、標的容積内の全表面の実質的に均一な照射は、少なくとも５０マイクロワット／平方センチメートルである、ステップを含む。
【０２５９】
実施例５４では、実施例５２−５３のうちのいずれか１つまたはそれを上回るものの主題は、随意に、標的容積が、幅２〜７メートル×長さ２〜７メートル×高さ２〜５メートルの寸法を有する病室であることを含む。
【０２６０】
実施例５５では、実施例５２−５４のうちのいずれか１つまたはそれを上回るものの主題は、随意に、各光源が複数の光源に対して比例的に離間されるように、相互から離れるように複数のアームのうちのアームのそれぞれを延在させ、標的容積内で複数の光源のうちの各光源を分配するステップを含む。
【０２６１】
実施例５６では、実施例５５の主題は、随意に、アームが圧潰位置にあるときに、複数のコンパートメントのうちのコンパートメント内に複数のアームのうちの各アームを位置付けるステップを含む。
【０２６２】
方法の実施例５５はさらに、アームが圧潰位置にあるときに、複数のコンパートメントのうちのコンパートメント内に複数のアームのうちの各アームを位置付けるステップを含む。
【０２６３】
実施例５７では、実施例５５−５６のうちのいずれか１つまたはそれを上回るものの主題は、随意に、基部に接続され、基部の周辺の周囲に延在するトラックに沿って、複数のアームのうちの各アームを移動させることによって、複数のアームに対してアームのそれぞれの位置を調節するステップを含む。
【０２６４】
実施例５８では、実施例５５−５７のうちのいずれか１つまたはそれを上回るものの主題は、随意に、スタンドを使用して、複数のアームのうちの各アームを支持するステップであって、各スタンドは、圧潰位置と延在位置との間で複数のアームのそれぞれを支持するように構成される、ステップを含む。
【０２６５】
実施例５９では、実施例５２−５８のうちのいずれか１つまたはそれを上回るものの主題は、随意に、光源をオンおよびオフにするように複数の光源に接続され、それと通信する、コントローラを動作させるステップを含む。
【０２６６】
実施例６０では、実施例５０−５９のうちのいずれか１つまたはそれを上回るものの主題は、随意に、構造に接続される近接性センサを使用して、標的容積内の物体の近接性および物体の寸法に基づいて、近接性信号を生成するステップを含む。
【０２６７】
実施例６１では、実施例６０の主題は、随意に、近接性信号に基づいて、部屋のマップを作成するステップを含む。
【０２６８】
実施例６２では、実施例６１の主題は、随意に、モータを動作させ、部屋のマップに基づいて圧潰位置と拡張位置との間で構造を移動させるステップを含む。
【０２６９】
実施例６３では、実施例６２の主題は、随意に、マップに基づいて、照射設定点を決定するステップと、照射設定点に基づいて、複数の光源によって放射される照射を調節するステップとを含む。
【０２７０】
実施例６４では、実施例６１−６３のうちのいずれか１つまたはそれを上回るものの主題は、随意に、マップおよび照射設定点に基づいて、複数の光源の個々の光源の電力レベルを調節するステップを含む。
【０２７１】
実施例６５では、標的容積を衛生化するための紫外線放射システムであって、圧潰位置および拡張位置を有する、複数の調節可能に位置付け可能な光源であって、複数の調節可能に位置付け可能な光源のうちの光源は、光源が、圧潰位置と拡張位置との間の任意の位置で標的容積内に実質的に均一な照射において紫外線を放射するように圧潰位置と拡張位置との間で移動されるにつれて、光源のそれぞれに対して比例的に離間される、光源を備える、システムである。
【０２７２】
実施例６６では、実施例６５の主題は、随意に、複数の調節可能に位置付け可能な光源が、種々の寸法の複数の標的容積内の拡張位置で光源のつり合いを提供することを含む。
【０２７３】
実施例６７では、実施例６５−６６のうちのいずれか１つまたはそれを上回るものの主題は、随意に、複数の調節可能に位置付け可能な光源がさらに、標的容積内に位置付け可能な基部と、基部に接続され、標的容積の表面と係合可能である、ドライバと、基部によって支持され、ドライバに接続される、モータであって、ドライバを動作させ、基部を表面に対して移動させ、標的容積内で基部を移動させるように制御可能である、モータと、基部によって支持される光源と、モータおよび光源と通信する、コントローラであって、標的容積内に基部を位置付けるように動作可能である、コントローラとを備えることを含む。
【０２７４】
実施例６８では、実施例６５−６７のうちのいずれか１つまたはそれを上回るものの主題は、随意に、複数の調節可能に位置付け可能な光源がさらに、標的容積内に位置付け可能であり、標的容積内の圧潰位置と拡張位置との間で光源を移動させるように動作可能である、構造を備えることを含む。
【０２７５】
実施例６９では、実施例６８の主題は、随意に、基部が、基部の周辺の少なくとも部分的に周囲に延在するトラックを含み、複数のアームのうちの各アームが、トラックに接続可能であり、トラックに沿って移動し、複数のアームに対してアームのそれぞれの位置を調節するように構成されることを含む。
【０２７６】
実施例７０では、実施例６９の主題は、随意に、複数のアームのそれぞれが、基部から離れて延在可能であるように、構造が、複数のアームのそれぞれに接続され、それを支持するように構成される、基部を含むことを含む。
【０２７７】
実施例７１は、標的容積内に位置付け可能であり、標的容積内の圧潰位置と拡張位置との間で移動可能である、構造と、圧潰位置と拡張位置との間の任意の位置で標的容積内に実質的に均一な照射において紫外線を放射するように構造に接続される、複数の光源とを備える、紫外線放射デバイスである。
【０２７８】
実施例７２では、実施例７１の主題は、随意に、各光源が複数の光源に対して比例的に離間されるように、構造が、標的容積内で複数の光源のうちの各光源を分配するように相互から離れて延在可能な複数のアームを含むことを含む。
【０２７９】
実施例７３では、実施例７２の主題は、随意に、複数のアームのそれぞれが、基部から離れて延在可能であるように、構造が、複数のアームのそれぞれに接続され、それを支持するように構成される、基部を含むことを含む。
【０２８０】
実施例７４では、実施例７３の主題は、随意に、アームが、伸縮式に圧潰位置と拡張位置との間で移動するように構成されることを含む。
【０２８１】
実施例７５では、実施例７３−７４のうちのいずれか１つまたはそれを上回るものの主題は、随意に、アームがそれぞれ、ヒンジ連結可能に接続される複数のリンクを含むことを含む。
【０２８２】
実施例７６では、実施例７５の主題は、随意に、複数のリンクが、ヒンジを中心として鋏のように動き、圧潰位置と拡張位置との間でアームを移動させるように構成されることを含む。
【０２８３】
実施例７７では、実施例７５−７６のうちのいずれか１つまたはそれを上回るものの主題は、随意に、第２のアームが、複数のアームのうちのアームのいずれかの上に積層されることができることを含む。
【０２８４】
実施例７８では、実施例７５−７７のうちのいずれか１つまたはそれを上回るものの主題は、随意に、複数のアームが、複数の標的容積の異なる部屋の形状およびサイズに適合するように圧潰位置と拡張位置との間で移動可能であることを含む。
【０２８５】
実施例７９は、第１のカセットの周辺に接続される第１の結合要素と、第１のカセットの表面に接続され、紫外線を放射するように構成される、第１の複数の紫外線ランプとを備える、第１のカセットと、第２のカセットの周辺に接続される第２の結合要素であって、標的面積を囲繞し、それに隣接する周囲を形成し、第１の複数のランプおよび第２の複数のランプからの紫外線を標的面積に指向するように、第１の結合要素に解放可能に結合可能である、第２の結合要素と、第２のカセットの表面に接続され、紫外線を放射するように構成される、第２の複数の紫外線ランプとを備える、第２のカセットとを備える、モジュール式紫外線消毒アセンブリである。
【０２８６】
実施例８０では、実施例７９の主題は、随意に、第１のカセットがさらに、第１のカセットの表面に接続され、そこへの電流を限定するように第１の複数の紫外線ランプに電気的に接続される、複数のバラストを備えることを含む。
【０２８７】
実施例８１では、実施例７９−８０のうちのいずれか１つまたはそれを上回るものの主題は、随意に、第１の結合要素が、オス型ヒンジであり、第２の結合要素が、メス型ヒンジであることを含む。
【０２８８】
実施例８２では、実施例７９−８１のうちのいずれか１つまたはそれを上回るものの主題は、随意に、第１の結合要素が第２の結合要素に結合されるときに、第１の結合要素および第２の結合要素が、第１の結合要素および第２の結合要素を中心として第２のカセットに対して３６０度による第１のカセットの相対回転を可能にすることを含む。
【０２８９】
実施例８３では、実施例７９−８２のうちのいずれか１つまたはそれを上回るものの主題は、随意に、第３のカセットの周辺に接続される第３の結合要素と、第３のカセットの表面に接続され、紫外線を放射するように構成される、第３の複数の紫外線ランプとを備える、第３のカセットを含み、第１のカセットはさらに、第１の結合要素と反対側の第１のカセットの周辺に接続される、対向結合要素であって、第３の結合要素に解放可能に結合可能である、対向結合要素を備える。
【０２９０】
実施例８４では、実施例８３の主題は、随意に、第４のカセットの周辺に接続される第４の結合要素と、第４のカセットの表面に接続され、紫外線を放射するように構成される、第４の複数の紫外線ランプとを備える、第４のカセットを含み、第１のカセットはさらに、第１の結合要素および対向結合要素に隣接する第１のカセットの上部周辺に接続される、上部結合要素であって、第１のカセットの上方で第４のカセットを支持するように、かつ上部結合要素が第４の結合要素に結合されるときに、第１のカセットに対して第４のカセットの相対回転を可能にするように、第４の結合要素に解放可能に結合可能である、上部結合要素を備える。
【０２９１】
実施例８５では、実施例７９−８４のうちのいずれか１つまたはそれを上回るものの主題は、随意に、第１のカセットの複数の紫外線ランプが、第２のカセットの第２の複数の紫外線ランプとともに、標的面積の少なくとも部分的に周囲にエンクロージャを形成するように構成され、第１のカセットおよび第２のカセットに隣接する標的面積の周囲に多重ベクトル紫外線を分配するように構成されることを含む。
【０２９２】
実施例８６は、カセットアセンブリ内に複数の紫外線ランプを配列する方法であって、第１のカセットの周辺に接続される第１の結合要素を含む、第１のカセットを提供するステップと、第１の複数の紫外線ランプを第１のカセットの表面に接続するステップであって、第１の複数の紫外線ランプは、紫外線を放射するように構成される、ステップと、第２のカセットの周辺に接続される第２の結合要素を含む、第２のカセットを提供するステップと、第２の複数の紫外線ランプを第２のカセットの表面に接続するステップであって、第２の複数の紫外線ランプは、紫外線を放射するように構成される、ステップと、第１の結合要素および第２の結合要素を接続し、第１のカセットを第２のカセットに回転可能に固着するステップとを含む、方法である。
【０２９３】
実施例８７では、実施例８６の主題は、随意に、複数のバラストを第１のカセットの表面に接続するステップと、複数のバラストを第１の複数の紫外線ランプに電気的に接続し、そこへの電流を限定するステップとを含む。
【０２９４】
実施例８８では、実施例８６−８７のうちのいずれか１つまたはそれを上回るものの主題は、随意に、第２のカセットの第２の複数の紫外線ランプとともに、第１のカセットの第１の複数の紫外線ランプを使用して、第１のカセットおよび第２のカセットに隣接する標的面積内で多重ベクトル紫外線を分配するステップを含む。
【０２９５】
実施例８９では、実施例８６−８８のうちのいずれか１つまたはそれを上回るものの主題は、随意に、第３のカセットの周辺に接続される第３の結合要素を含む、第３のカセットを提供するステップと、第３の複数の紫外線ランプを第３のカセットの表面に接続するステップであって、第３の複数のランプは、紫外線を放射するように構成される、ステップとを含む。
【０２９６】
実施例９０では、実施例８９の主題は、随意に、第１のカセットの対向結合要素を第３の結合要素に接続するステップであって、対向結合要素は、第１の結合要素と反対側の第１のカセットの周辺に接続される、ステップを含む。
【０２９７】
実施例９１では、実施例８６−９０のうちのいずれか１つまたはそれを上回るものの主題は、随意に、第１の結合要素が第２の結合要素に結合されるときに、第１の結合要素および第２の結合要素を中心として第２のカセットに対して第１のカセットを回転させるステップを含む。
【０２９８】
実施例９２は、第１のカセットの表面に接続され、紫外線を放射するように構成される、第１の複数の紫外線ランプとを備える、第１のカセットと、第２のカセットの表面に接続され、紫外線を放射するように構成される、第２の複数の紫外線ランプとを備える、第２のカセットと、その中に第１のカセットを解放可能に受容および支持するように構成され、第１のカセットに隣接してその中に第２のカセットを解放可能に受容および支持するように構成される、フレームとを備える、モジュール式紫外線消毒アセンブリである。
【０２９９】
実施例９３では、実施例９２の主題は、随意に、第１の複数のランプのうちの少なくとも１つのランプを少なくとも部分的に封入するように構成される、保護ワイヤメッシュケージを含む。
【０３００】
実施例９４では、実施例９２−９３のうちのいずれか１つまたはそれを上回るものの主題は、随意に、床面から外れてフレーム、第１のカセット、および第２のカセットを支持するようにフレームに接続可能である、中心カラムを含む。
【０３０１】
実施例９５では、実施例９４の主題は、随意に、中心カラムが、中心カラムをフレームに接続し、フレームが中心カラムに対して回転するように構成される、結合要素を含むことを含む。
【０３０２】
実施例９６では、実施例９４−９５のうちのいずれか１つまたはそれを上回るものの主題は、随意に、中心カラムおよびフレームに接続される複数のキャスタを含む。
【０３０３】
実施例９７では、実施例９４−９６のうちのいずれか１つまたはそれを上回るものの主題は、随意に、第３のカセットの表面に接続され、紫外線を放射するように構成される、第３の複数の紫外線ランプとを備える、第３のカセットと、第４のカセットの表面に接続され、紫外線を放射するように構成される、第４の複数の紫外線ランプとを備える、第４のカセットと、その中に第３のカセットを解放可能に受容および支持するように構成され、第３のカセットに隣接してその中に第４のカセットを解放可能に受容および支持するように構成される、第２のフレームであって、フレームに解放可能に結合可能である、第２のフレームとを備える。
【０３０４】
実施例９８では、実施例９７の主題は、随意に、第２のフレームが、フレームを第２のフレームに接続し、フレームが第２のフレームカラムに対して回転することを可能にする、ヒンジを含むことを含む。
【０３０５】
実施例９９では、実施例１−９８のうちのいずれか１つまたは任意の組み合わせのデバイス、システム、および／または方法は、随意に、記載される全ての要素またはオプションが、使用または選択するために利用可能であるように、構成されることができる。
【０３０６】
以下のデバイス、システム、および／または方法は、随意に、全ての要素またはオプションが、上記の実施例のうちの１つまたはそれを上回るものと組み合わせられ得るように、構成されることができる。
１）光源によって放射される光エネルギーの均一な行列に変換する、物理的幾何学形状を生成し得る、特異または拡張可能基部構造を伴うデバイス
２）拡張可能基部は、基部内の空洞が形成されることを可能にし、大きい物体、例えば、病院のベッドまたは手術台を収容するための空間を可能にする、ヒンジおよび結合継手から成る。
３）拡張可能基部構造は、単一のサイクルを利用して、全ての側面から物体および空間の同時消毒を可能にする。
４）拡張可能基部は、一様な物理的幾何学形状を維持して、非常に小さい部屋に利用される、または非常に大きい部屋のために拡大されることができる。
５）拡張可能または特異な基部は、光源を収納するアームを含有する。
６）これらのアームは、多数の方法および機構で展開されることができるが、しかしながら、機構は、光源の間の精密な距離を比例的に自己調節し、消毒されている容積または空間に依存する一様な物理的幾何学形状を生成するように設計される。
７）これらのアームは、伸縮することができる。
８）これらのアームは、鋏のように動くことができる。
９）これらのアームは、折畳することができる。
１０）これらのアームは、旋回することができる。
１１）これらのアームは、層状になることができる。
１２）これらのアームは、構築することができる。
１３）これらのアームは、積層することができる。
１４）アームがないデバイスは、マーカを走査および識別し、所定の一様な物理的幾何学形状に自己集合し、手動で、またはモータおよびドライバを通した自動もしくはロボット方法で、本集合を達成するように、コントローラおよび論理を介してロボットでプログラムされ得る、基部毎に少なくとも１つの光源を含有する、多重基部構造を有することができる。
１５）多重基部構造を伴うデバイスは、ＲＦＩＤ、カラースキーム、または近接性感知センサを用いて、走査することができる。
１６）多重基部、特異な基部、または拡張可能基部構造を伴うデバイスは、半径方向または線形様式で調節可能アームを通して部屋の種々の寸法に適応することができる。
１７）多重基部、特異な基部、または拡張可能基部構造を伴うデバイスは、プログラムされた論理および／またはインジケーションマーカに基づいて、種々の部屋内で移送、収縮、ならびに／もしくは拡張するように電動式であり得る。
１８）光源を含有する、多重基部、特異な基部、または拡張可能基部構造を伴うデバイスは、均一な体積の光行列エネルギーを構築する、一様な物理的幾何学送達システムを生成する。
１９）光行列の幾何学形状は、１人用、２人用、または時として３人用の病室、および／または小さい浴室のような小さい部屋もしくは大きい部屋に適応するように自己調節式である。
２０）光行列の幾何学形状は、精密なエネルギーを達成するように事前プログラムされる。本精密なエネルギーは、２５０立方フィート、４０００立方フィート、および最大６２５０立方フィートの可能として考えられる体積を達成するように自己調節式である、種々の体積である。
２１）該デバイスおよび送達システムは、異なる種々の空間のための均一な体積のエネルギーを構築することができる。そのような空間が、円筒形、立方体、長方形、または三角形であり得る一方で、送達システムは、精密な部屋または容積のための精密なエネルギー較正との相関関係で光エネルギー行列に変換する、物理的幾何学形状に適合する。
２２）そのような較正は、デバイスの基部またはアーム機構に組み込まれる間隔または寸法センサもしくはレーザに基づく、部屋内の事前プログラムされた論理または学習された論理もしくは知能であり得る。
２３）容積および／または物理的な部屋を検出する物理的センサは、較正に利用されることができる。
２４）テザーセンサは、部屋のドアに固定されたときの寸法および／または安全トリガに利用されることができ、傍観者の進入に応じた寸法の変化は、安全目的のために動作停止するようにデバイスをトリガするであろう。
２５）本デバイスは、Ａ／Ｃまたはバッテリ動作を介した電動モータを含有することができる。
２６）本デバイスは、Ｗｉ−ＦｉまたはＢｌｕｅｔｏｏｔｈ（登録商標）を通して、モバイルデバイスおよび遠隔監視ならびに報告に無線で通信することができる。
【０３０７】
上記の発明を実施するための形態は、発明を実施するための形態の一部を形成する、付随する図面の参照を含む。図面は、例証として、本発明が実践され得る具体的実施形態を示す。これらの実施形態はまた、本明細書では「実施例」とも称される。そのような実施例は、示される、または説明されるものに加えて、要素を含むことができる。しかしながら、本発明者らはまた、示される、または説明されるこれらの要素のみが、提供される、実施例も考慮する。また、本発明者らはまた、特定の実施例（もしくはその１つまたはそれを上回る側面）に関して、または本明細書に示される、もしくは説明される他の実施例（もしくはその１つまたはそれを上回る側面）に関してのいずれかで、示される、または説明されるこれらの要素（もしくはその１つまたはそれを上回る側面）の任意の組み合わせまたは順列を使用する、実施例も考慮する。
【０３０８】
本書と参照することによってそのように組み込まれる任意の文書との間の一貫性のない使用法の場合、本書内の使用法が優先する。
【０３０９】
本書では、用語「ａ」または「ａｎ」は、特許文書で一般的であるように、「少なくとも１つ」または「１つまたはそれを上回る」の任意の他の事例または使用法から独立して、「１つ」または「１つを上回る」を含むために使用される。本書では、用語「または」は、「ＡまたはＢ」が、別様に指示されない限り、「ＢではなくＡ」、「ＡではなくＢ」、および「ＡおよびＢ」を含むように、非排他的な「または」を指すために使用される。本書では、用語「ｉｎｃｌｕｄｉｎｇ（〜を含む）」および「ｉｎ  ｗｈｉｃｈ」は、個別の用語「ｃｏｍｐｒｉｓｉｎｇ（〜を備える）」および「ｗｈｅｒｅｉｎ」の平易な英語の均等物として使用される。また、以下の請求項では、用語「「ｉｎｃｌｕｄｉｎｇ（〜を含む）」および「ｃｏｍｐｒｉｓｉｎｇ（〜を備える）」は、非制約的であり、すなわち、請求項内のそのような用語の後に列挙されるものに加えて要素を含む、システム、デバイス、物品、組成、調合、またはプロセスは、依然として、その請求項の範囲内に入ると見なされる。また、以下の請求項では、用語「第１」、「第２」、および「第３」等は、単に標識として使用され、それらの物体に数値的要件を課すことを意図していない。
【０３１０】
上記の説明は、制限的ではなく例証的であることを意図している。例えば、上記に説明される実施例（もしくはその１つまたはそれを上回る側面）は、相互と組み合わせて使用されてもよい。他の実施形態も、上記の説明を精査することに応じて、当業者等によって使用されることができる。また、上記の発明を実施するための形態では、種々の特徴が、本開示を簡素化するようにともにグループ化されてもよい。これは、未請求の開示される特徴が任意の請求項に不可欠であることを意図するものとして、解釈されるべきではない。むしろ、発明の主題は、特定の開示される実施形態の全てに満たない特徴にあり得る。したがって、以下の請求項は、これによって、実施例または実施形態として発明を実施するための形態の中に組み込まれ、各請求項は、別個の実施形態として自立し、そのような実施形態は、種々の組み合わせまたは順列で相互と組み合わせられ得ることが考慮される。本発明の範囲は、そのような請求項に与えられる均等物の全範囲とともに、添付の請求項を参照して決定されるべきである。
【図１】
2021511169.tif 000003
【図２】
2021511169.tif 000004
【図３】
2021511169.tif 000005
【図４】
2021511169.tif 000006
【図５】
2021511169.tif 000007
【図６】
2021511169.tif 000008
【図７】
2021511169.tif 000009
【図８】
2021511169.tif 000010
【図９Ａ】
2021511169.tif 000011
【図９Ｂ−９Ｄ】
2021511169.tif 000012
【図１０】
2021511169.tif 000013
【図１１Ａ】
2021511169.tif 000014
【図１１Ｂ】
2021511169.tif 000015
【図１１Ｃ】
2021511169.tif 000016
【図１２】
2021511169.tif 000017
【図１３】
2021511169.tif 000018
【図１４】
2021511169.tif 000019
【図１５】
2021511169.tif 000020
【図１６】
2021511169.tif 000021
【図１７】
2021511169.tif 000022
【図１８Ａ】
2021511169.tif 000023
【図１８Ｂ】
2021511169.tif 000024
【図１８Ｃ】
2021511169.tif 000025
【図１９Ａ】
2021511169.tif 000026
【図１９Ｂ】
2021511169.tif 000027
【図１９Ｃ】
2021511169.tif 000028
【図１９Ｄ】
2021511169.tif 000029
【図１９Ｅ】
2021511169.tif 000030
【図１９Ｆ】
2021511169.tif 000031
【図１９Ｇ】
2021511169.tif 000032
【図２０Ａ】
2021511169.tif 000033
【図２０Ｂ】
2021511169.tif 000034
【図２０Ｃ】
2021511169.tif 000035
【図２０Ｄ】
2021511169.tif 000036
【図２０Ｅ】
2021511169.tif 000037
【図２０Ｆ】
2021511169.tif 000038
【図２０Ｇ】
2021511169.tif 000039
【図２１Ａ】
2021511169.tif 000040
【図２１Ｂ】
2021511169.tif 000041
【図２１Ｃ】
2021511169.tif 000042
【図２１Ｄ】
2021511169.tif 000043
【図２１Ｅ】
2021511169.tif 000044
【図２１Ｆ】
2021511169.tif 000045
【図２１Ｇ】
2021511169.tif 000046
【図２２Ａ】
2021511169.tif 000047
【図２２Ｂ】
2021511169.tif 000048
【図２２Ｃ】
2021511169.tif 000049
【図２２Ｄ】
2021511169.tif 000050
【図２２Ｅ】
2021511169.tif 000051
【図２２Ｆ】
2021511169.tif 000052
【図２２Ｇ】
2021511169.tif 000053
【図２３Ａ】
2021511169.tif 000054
【図２３Ｂ】
2021511169.tif 000055
【図２４Ａ】
2021511169.tif 000056
【図２４Ｂ】
2021511169.tif 000057
【図２４Ｃ】
2021511169.tif 000058
【図２４Ｄ】
2021511169.tif 000059
【図２４Ｅ】
2021511169.tif 000060
【図２４Ｆ】
2021511169.tif 000061
【図２５Ａ】
2021511169.tif 000062
【図２５Ｂ】
2021511169.tif 000063
【図２５Ｃ】
2021511169.tif 000064
【図２５Ｄ】
2021511169.tif 000065
【図２５Ｅ】
2021511169.tif 000066
【図２５Ｆ】
2021511169.tif 000067
【図２５Ｇ】
2021511169.tif 000068
【図２５Ｈ】
2021511169.tif 000069
【図２５Ｉ】
2021511169.tif 000070
【図２５Ｊ】
2021511169.tif 000071
【図２６Ａ】
2021511169.tif 000072
【図２６Ｂ】
2021511169.tif 000073
【図２６Ｃ】
2021511169.tif 000074
【図２６Ｄ】
2021511169.tif 000075
【図２６Ｅ】
2021511169.tif 000076
【図２６Ｆ】
2021511169.tif 000077
【図２６Ｇ】
2021511169.tif 000078
【図２６Ｈ】
2021511169.tif 000079
【図２６Ｉ】
2021511169.tif 000080
【図２７Ａ】
2021511169.tif 000081
【図２７Ｂ】
2021511169.tif 000082
【図２７Ｃ】
2021511169.tif 000083
【図２７Ｄ】
2021511169.tif 000084
【図２７Ｅ】
2021511169.tif 000085
【図２７Ｆ】
2021511169.tif 000086
【図２８】
2021511169.tif 000087
【図２９】
2021511169.tif 000088
【図３０】
2021511169.tif 000089
【図３１Ａ】
2021511169.tif 000090
【図３１Ｂ】
2021511169.tif 000091
【図３１Ｃ】
2021511169.tif 000092
【図３１Ｄ】
2021511169.tif 000093
【図３２Ａ】
2021511169.tif 000094
【図３２Ｂ】
2021511169.tif 000095
【図３２Ｃ】
2021511169.tif 000096
【図３３Ａ】
2021511169.tif 000097
【図３３Ｂ】
2021511169.tif 000098
【図３３Ｃ】
2021511169.tif 000099
【図３３Ｄ】
2021511169.tif 000100
【図３３Ｅ】
2021511169.tif 000101
【図３３Ｆ】
2021511169.tif 000102
【図３３Ｇ】
2021511169.tif 000103
【図３４】
2021511169.tif 000104
【図３５】
2021511169.tif 000105
【図３６Ａ】
2021511169.tif 000106
【図３６Ｂ】
2021511169.tif 000107
【図３７Ａ】
2021511169.tif 000108
【図３７Ｂ】
2021511169.tif 000109
【図３８Ａ】
2021511169.tif 000110
【図３８Ｂ】
2021511169.tif 000111
【図３９Ａ】
2021511169.tif 000112
【図３９Ｂ】
2021511169.tif 000113
【図４０Ａ】
2021511169.tif 000114
【図４０Ｂ】
2021511169.tif 000115
【図４０Ｃ】
2021511169.tif 000116
【図４０Ｄ】
2021511169.tif 000117
【図４１Ａ】
2021511169.tif 000118
【図４１Ｂ】
2021511169.tif 000119
【図４１Ｃ】
2021511169.tif 000120
【図４１Ｄ】
2021511169.tif 000121
【図４１Ｅ】
2021511169.tif 000122
【図４２Ａ】
2021511169.tif 000123
【図４２Ｂ】
2021511169.tif 000124
【図４２Ｃ】
2021511169.tif 000125
【図４３Ａ】
2021511169.tif 000126
【図４３Ｂ】
2021511169.tif 000127
【図４３Ｃ】
2021511169.tif 000128
【図４３Ｄ】
2021511169.tif 000129
【図４３Ｅ】
2021511169.tif 000130
【図４３Ｆ】
2021511169.tif 000131
【図４４】
2021511169.tif 000132
【図４５】
2021511169.tif 000133
【図４６】
2021511169.tif 000134
【図４７】
2021511169.tif 000135
【図４８】
2021511169.tif 000136
【図４９】
2021511169.tif 000137
【図５０】
2021511169.tif 000138
【図５１】
2021511169.tif 000139
【図５２】
2021511169.tif 000140
【図５３】
2021511169.tif 000141
【図５４】
2021511169.tif 000142
【図５５】
2021511169.tif 000143
【図５６】
2021511169.tif 000144
【図５７】
2021511169.tif 000145
【図５８】
2021511169.tif 000146
【図５９Ａ】
2021511169.tif 000147
【図５９Ｂ】
2021511169.tif 000148
【図５９Ｃ】
2021511169.tif 000149
【図５９Ｄ】
2021511169.tif 000150
【図６０Ａ】
2021511169.tif 000151
【図６０Ｂ】
2021511169.tif 000152
【図６０Ｃ】
2021511169.tif 000153
【図６１】
2021511169.tif 000154
【国際調査報告】
2021511169.tif 000155
2021511169.tif 000156
2021511169.tif 000157
2021511169.tif 000158